(57)【要約】  電気光学材料を備えた再構成可能なパララックスバリアパネルは、第１領域、第２領域、及び第１補償領域を有し、複数の第１電極は、上記パララックスバリアパネルの上記第１領域において、複数の所定のパララックスバリアアレイから選択されるパララックスバリアアレイを規定するようにアドレス駆動可能であり、複数の第２電極は、上記パララックスバリアパネルの上記第２領域において、上記第１パララックスバリアアレイから独立して、上記複数の所定のパララックスバリアアレイから選択されるパララックスバリアアレイを規定するようにアドレス駆動可能であり、上記補償領域の複数の電極は、上記第１パララックスバリアアレイ及び上記第２パララックスバリアアレイに応じて、上記第１領域と上記第２領域の間に、少なくとも一つのスリット及び／又は少なくとも一つのバリアを規定するようにアドレス駆動可能であり、上記複数の第１電極は、上記第１領域において第１パララックスバリアアレイを規定するためにアドレス駆動され、上記複数の第２電極は、上記第２領域において、上記第１パララックスバリアアレイとは異なる第２パララックスバリアアレイを規定するためにアドレス駆動され、上記第１補償領域の上記複数の電極は、上記第１パララックスバリアアレイと上記第２パララックスバリアアレイとの間の移行部においてあらゆるラインアーチファクトを少なくとも部分的に目立たなくするために、上記少なくとも一つのスリット及び／又は上記少なくとも一つのバリアを規定する。
2018519553.tif 000002
【特許請求の範囲】
【請求項１】
電気光学材料を備えた再構成可能なパララックスバリアパネルであって、
上記パララックスバリアパネルの第１領域は、上記電気光学材料をアドレス駆動するための複数の第１電極を備え、当該複数の第１電極は、互いに独立してアドレス駆動可能であり、第１方向に延び、かつ、第２方向に沿って互いに横方向に離間した、電気的に接続する２以上の電極部分を含み、上記複数の第１電極の上記電極部分は周期的に配設されており、
上記パララックスバリアパネルの第２領域は、上記電気光学材料をアドレス駆動するための複数の第２電極を備え、当該複数の第２電極は、互いに、かつ、上記複数の第１電極から独立してアドレス駆動可能であり、第１方向に延び、かつ、第２方向に沿って互いに横方向に離間した、電気的に接続する２以上の電極部分を含み、上記複数の第２電極の上記電極部分は周期的に配設されており、
上記パララックスバリアパネルの第１補償領域は、上記電気光学材料をアドレス駆動するための複数の電極を備え、上記第１補償領域の当該複数の電極は、第１方向に延びるとともに、互いに、並びに、上記複数の第１電極及び上記複数の第２電極から独立してアドレス駆動可能であり、第１補償領域は上記第１領域と上記第２領域の間に配され、
上記パララックスバリアパネルは、使用中、少なくとも１つの受信駆動信号に基づいて、上記複数の第１電極、上記複数の第２電極、及び上記第１補償領域の上記複数の電極が、以下となるようにアドレス駆動されることを特徴とするパララックスバリアパネル。
・上記複数の第１電極は、上記パララックスバリアパネルの上記第１領域において、複数の所定のパララックスバリアアレイから選択されるパララックスバリアアレイを規定する。
・上記複数の第２電極は、上記パララックスバリアパネルの上記第２領域において、上記第１パララックスバリアアレイから独立して、上記複数の所定のパララックスバリアアレイから選択されるパララックスバリアアレイを規定する。及び、
・上記第１補償領域の上記複数の電極は、上記第１パララックスバリアアレイ及び上記第２パララックスバリアアレイに応じて、上記第１領域と上記第２領域の間に、少なくとも一つのスリット及び／又は少なくとも一つのバリアを規定する。
【請求項２】
上記第１補償領域は、上記第１領域及び上記第２領域の少なくとも一方と隣り合うことを特徴とする請求項１に記載のパララックスバリアパネル。
【請求項３】
第１のモードにおいて、
上記複数の第１電極は、上記第１領域において上記複数の所定のパララックスバリアアレイのうちの一つである第１パララックスバリアアレイを規定するためにアドレス駆動され、
上記複数の第２電極は、上記第２領域において、上記複数の所定のパララックスバリアアレイのうちの一つである、上記第１パララックスバリアアレイとは異なる第２パララックスバリアアレイを規定するためにアドレス駆動され、
上記第１補償領域の上記複数の電極は、上記第１パララックスバリアアレイと上記第２パララックスバリアアレイとの間の移行部においてあらゆるラインアーチファクトを少なくとも部分的に弱めるために、上記少なくとも一つのスリット及び／又は上記少なくとも一つのバリアを規定することを特徴とする請求項１に記載のパララックスバリアパネル。
【請求項４】
上記複数の第１電極の電極部分はグループで周期的に配設されており、
上記複数の第１電極の電極部分の境界グループは、上記第１補償領域に最も近い上記複数の第１電極の電極部分のグループであり、上記複数の第１電極のｉ番目（ｉ≧１）の電極部分を失っており、
上記第１補償領域の少なくとも幾つかの電極は、上記複数の第１電極のアドレス駆動に基づいてアドレス駆動されることを特徴とする請求項１から３の何れか１項に記載のパララックスバリアパネル。
【請求項５】
上記複数の第２電極の電極部分はグループで周期的に配設されており、
上記複数の第２電極の電極部分の境界グループは、上記第１補償領域に最も近い上記複数の第２電極の電極部分のグループであり、上記複数の第２電極のｊ番目（ｊ≧１）の電極部分を失っており、
上記第１補償領域の少なくとも幾つかの電極は、上記複数の第２電極のアドレス駆動に基づいてアドレス駆動されることを特徴とする請求項１から４の何れか１項に記載のパララックスバリアパネル。
【請求項６】
ｉ＝ｊであることを特徴とする請求項５に記載のパララックスバリアパネル。
【請求項７】
上記第１補償領域は、ｉ＋ｊの第３電極を含むことを特徴とする請求項４から６の何れか１項に記載のパララックスバリアパネル。
【請求項８】
上記第１のモードにおいて、
上記第１領域において規定された上記第１パララックスバリアアレイは第１スリット位置番号を有し、
上記第２領域において規定された上記第２パララックスバリアアレイは、上記第１スリット位置番号とは異なる第２スリット位置番号を有し、
上記第１補償領域の上記複数の電極は、上記第１領域と上記第２領域との間のスリット位置番号の差を補償するために上記少なくとも一つのスリット及び／又は上記少なくとも一つのバリアを規定することを特徴とする請求項３、又は請求項３に従属するときの請求項４から７の何れか１項に記載のパララックスバリアパネル。
【請求項９】
上記第１のモードにおいて、
上記複数の第１電極は、上記第１領域において上記第１パララックスバリアアレイを規定するためにアドレス駆動され、
上記複数の第２電極は、上記第２領域において上記第２パララックスバリアアレイを規定するためにアドレス駆動され、
上記第１補償領域の上記複数の電極は、上記第１領域と上記第２領域との間に第３パララックスバリアが規定されるようにアドレス駆動され、
上記第３パララックスバリアは、バリアとスリットを有し、
上記バリアは上記スリットと隣り合い、
上記バリアと上記スリットは少なくとも部分的に上記第１補償領域に含まれており、
上記スリットの幅は、上記第２方向において、上記第１領域又は上記第２領域にすべてが含まれるスリットの幅よりも小さく、及び／又は、上記バリアの幅は、上記第２方向において、上記第１領域又は上記第２領域にすべてが含まれるバリアの幅よりも大きいことを特徴とする請求項８に記載のパララックスバリアパネル。
【請求項１０】
上記第１のモードにおいて、
上記複数の第１電極は、上記第１領域において上記第１パララックスバリアアレイを規定するようにアドレス駆動され、
上記複数の第２電極は、上記第２領域において上記第２パララックスバリアアレイを規定するようにアドレス駆動され、
上記第１補償領域の上記複数の電極は、上記第１領域と上記第２領域との間に第４パララックスバリアが規定されるようにアドレス駆動され、
上記第４パララックスバリアは、バリアとスリットを有し、
上記バリアは上記スリットと隣り合い、
上記バリアと上記スリットは少なくとも部分的に上記第１補償領域に含まれており、
上記スリットの幅は、上記第２方向において、上記第１領域又は上記第２領域にすべてが含まれるスリットの幅よりも大きく、及び／又は、上記バリアの幅は、上記第２方向において、上記第１領域又は上記第２領域にすべてが含まれるバリアの幅よりも小さいことを特徴とする請求項９に記載のパララックスバリアパネル。
【請求項１１】
上記第３パララックスバリア及び上記第４パララックスバリアの何れか一方は、そのバリア：スリット比が、上記複数の所定のパララックスバリアアレイのバリア：スリット比よりも大きく、
上記第３パララックスバリア及び上記第４パララックスバリアの他方は、そのバリア：スリット比が、上記複数の所定のパララックスバリアアレイのバリア：スリット比よりも小さいことを特徴とする請求項１０に記載のパララックスバリアパネル。
【請求項１２】
第１の期間において上記第３パララックスバリアを規定し、第２の期間において上記第４パララックスバリアを規定するように適応されていることを特徴とする請求項１０又は１１に記載のパララックスバリアパネル。
【請求項１３】
上記第３パララックスバリア及び上記第４パララックスバリアを時間ごとに規定し、
上記第３パララックスバリアが規定される期間と上記第４パララックスバリアが規定される期間との比率が、上記第１パララックスバリアアレイと上記第２パララックスバリアアレイとの間の移行部におけるラインアーチファクトの視認性を軽減するように選択されることを特徴とする請求項１０から１２の何れか１項に記載のパララックスバリアパネル。
【請求項１４】
第２のモードにおいて、
上記複数の第１電極、上記複数の第２電極及び上記第１補償領域の上記複数の電極は、少なくとも１つの第２受信駆動信号に基づいて、以下の規定が行われるようにアドレス駆動されることを特徴とする請求項１から１３の何れか１項に記載のパララックスバリアパネル。
・上記複数の第１電極及び上記複数の第２電極が、上記第１領域及び上記第２領域において、上記複数の所定のパララックスバリアアレイから選択された同じパララックスバリアアレイを規定する。及び、
上記第１補償領域の上記複数の電極は、上記第１補償領域において、上記第１パララックスバリアアレイ及び上記第２パララックスバリアアレイに連続するパララックスバリアを規定する。
【請求項１５】
第３のモードにおいて、上記複数の第１電極、上記複数の第２電極、及び上記第１補償領域の上記複数の電極は、上記パララックスバリアパネルが結像機能を提供しないように、受信した少なくとも１つの第３駆動信号に基づいてアドレス駆動されることを特徴とする請求項１から１４の何れか１項に記載のパララックスバリアパネル。
【請求項１６】
さらに、第１基板と、第２基板と、を備え、
上記電気光学材料は、上記第１基板と上記第２基板との間に配設され、
上記複数の第１電極の少なくとも幾つかは、上記第１基板上に配設され、
上記複数の第１電極の少なくともその他は、上記第２基板上に配設されていることを特徴とする請求項１から１５の何れか１項に記載のパララックスバリアパネル。
【請求項１７】
上記第１基板上に配設された上記複数の第１電極の上記少なくとも幾つかは、上記第２基板上に配設された上記複数の第１電極の上記少なくともその他に対して、上記第２方向にオフセットされていることを特徴とする請求項１６に記載のパララックスバリアパネル。
【請求項１８】
上記第１基板上に配設された上記複数の第１電極の上記少なくとも幾つかは、上記第２基板上に配設された上記複数の第１電極の上記少なくともその他に対して、上記電極ピッチの略半分の距離だけ上記第２方向にオフセットされていることを特徴とする請求項１６又は１７に記載のパララックスバリアパネル。
【請求項１９】
さらに、第１基板と、第２基板と、を備え、
上記電気光学材料は、上記第１基板と上記第２基板との間に配設され、
上記複数の第１電極はそれぞれ、上記第１基板又は上記第２基板の何れか一方に配設されていることを特徴とする請求項１から１５の何れか１項に記載のパララックスバリアパネル。
【請求項２０】
第１電極部分はそれぞれ、第１部分及び第２部分を備え、
上記第１部分及び上記第２部分は、上記パララックスバリアパネルの厚み方向に互いにオフセットされ、かつ、上記電極ギャップに略等しい距離だけ上記第２方向に互いにオフセットされていることを特徴とする請求項１から１９の何れか１項に記載のパララックスバリアパネル。
【請求項２１】
上記第１基板及び上記第２基板の何れか一方の上方に上記複数の第１電極の第１サブセットが配設され、上記複数の第１電極の上記第１サブセットの上方に絶縁層が配設され、当該絶縁層の上方に上記複数の第１電極の第２サブセットが配設され、当該第２サブセットの第１電極は、上記第２方向において、上記第１サブセットの第１電極からオフセットされていることを特徴とする請求項１９に記載のパララックスバリアパネル。
【請求項２２】
上記第２サブセットの第１電極の幅は、上記第１サブセットの第１電極の幅よりも小さく、かつ、上記第２サブセットの第１電極の幅は、上記第２サブセットに係る隣接する２つの第１電極間のギャップよりも小さいことを特徴とする請求項２１に記載のパララックスバリアパネル。
【請求項２３】
上記複数の第１電極の上記第１サブセットの電極の幅は、当該複数の第１電極の上記第２サブセットの隣接する２つの電極間のギャップよりも大きいことを特徴とする請求項２２に記載のパララックスバリアパネル。
【請求項２４】
画像表示パネルと、
上記画像表示パネル内の光路中に配設される、請求項１〜２３の何れか１項に記載のパララックスバリアパネルと、
上記パララックスバリアパネルに少なくとも１つの駆動信号を供給する制御回路と、を備えることを特徴とする表示装置。
【請求項２５】
上記画像表示パネルは透過型パネルを備え、
さらに、バックライトを備えることを特徴とする請求項２４に記載の表示装置。
【請求項２６】
上記画像表示パネルは、発光型パネルを備えることを特徴とする請求項２４に記載の表示装置。
【請求項２７】
さらに、観察者の位置を判定するための１つ以上の位置センサを備えることを特徴とする請求項２４〜２６の何れか１項に記載の表示装置。
【請求項２８】
上記制御回路は、判定された上記観察者の位置に応じて、上記複数の第１電極及び上記複数の第２電極をアドレス駆動することを特徴とする請求項２７に記載の表示装置。
【請求項２９】
さらに、上記制御回路は、少なくとも判定された上記観察者の位置に基づいて、上記パララックスバリアパネルを駆動するための少なくとも１つの駆動信号を決定する演算プロセッサを備えることを特徴とする請求項２８に記載の表示装置。
【請求項３０】
さらに、上記制御回路は、
上記パララックスバリアパネルを駆動するための複数の駆動信号を記憶するためのメモリと、
少なくとも判定された上記観察者の位置に応じて、上記メモリに記憶された少なくとも１つの上記駆動信号を読み出す演算プロセッサと、を備えることを特徴とする請求項２８に記載の表示装置。
【請求項３１】
上記パララックスバリアパネルは、請求項１３に規定されたパララックスバリアパネルであり、
上記駆動回路は、上記表示装置からの上記観察者の判定された位置に応じて、上記第３パララックスバリアが上記第１補償領域で規定される期間と上記第４パララックスバリアが上記第１補償領域で規定される期間との比率を選択することを特徴とする請求項２７に記載の表示装置。
【請求項３２】
上記パララックスバリアパネルは、請求項１３に規定されたパララックスバリアパネルであり、
上記駆動回路は、上記補償領域の電極に印加される電圧に応じて、上記第３パララックスバリアが上記第１補償領域で規定される期間と上記第４パララックスバリアが上記第１補償領域で規定される期間との比率を選択することを特徴とする請求項２７に記載の表示装置。
【請求項３３】
上記第１領域は１２個の第１電極を備え、
上記第２領域は１２個の第２電極を備え、
上記パララックスバリアパネルは、さらに、第３領域から第９領域の領域を含み、
上記第３領域から上記第９領域の領域は、上記電気光学材料をアドレス駆動するための１２個の第３電極から第９電極をそれぞれ備え、
第ｐ領域（１≦ｐ≦９）の複数の電極は、お互いに、かつ、第ｐ’領域（１≦ｐ’≦９、ｐ≠ｐ’）の複数の電極から独立してアドレス駆動可能であり、
上記第３電極から上記第９電極は、上記第１方向に沿って延び、かつ、上記第２方向に沿って互いに横方向に離間した、電気的に接続する２以上の電極部分を備え、
上記第ｐ領域（１≦ｐ≦９）の上記複数の電極の上記電極部分は周期的に配設されており、
上記パララックスバリアパネルの上記第１補償領域は、上記電気光学材料をアドレス駆動するための８個の独立してアドレス駆動可能な電極を有し、
上記パララックスバリアパネルは、さらに、第２補償領域から第８補償領域を有し、当該第２補償領域から当該第８補償領域はそれぞれ、上記電気光学材料をアドレス駆動するための８個の電極を有し、
第ｐ補償領域の複数の電極は、上記第１方向に沿って延び、かつ、上記第２方向に沿って互いに横方向に離間し、お互いに独立してアドレス駆動可能であり、他の補償領域の複数の電極から独立してアドレス駆動可能であり、上記第１電極から上記第９電極までの電極から独立してアドレス駆動可能であり、上記第ｐ補償領域は上記第ｐ領域と上記第（ｐ＋１）領域との間に配設されており、
上記駆動回路は、上記第ｐ領域及び上記第（ｐ＋１）領域に対するアドレス駆動に応じて、上記第ｐ補償領域の複数の電極をアドレス駆動することを特徴とする請求項２４から３２の何れか１項に記載の表示装置。
【発明の詳細な説明】
【技術分野】
【０００１】
本発明は、３Ｄ裸眼立体視（眼鏡なし）装置で使用するための切り替え可能な結像光学系に関する。
【背景技術】
【０００２】
長年にわたり、より優れた裸眼立体３次元（３Ｄ）ディスプレイの開発が進められている。本発明は、この分野においてさらなる進歩をもたらす。裸眼立体視ディスプレイは、ユーザーに特別な眼鏡を着用させることなく立体視の奥行きを提供するディスプレイであり、異なる画像をそれぞれの眼に投影することで実現される。裸眼立体３Ｄディスプレイは、パララックスバリア又はレンチキュラーレンズのような視差（パララックス）光学技術を使用することにより実現することができる。
【０００３】
高品質２Ｄモード及び高品質３Ｄモードで動作することをディスプレイに求める多くの用途が存在する。ディスプレイが２Ｄモードで１００％基本解像度（native resolution）を有する画像を表示するために、パララックスバリアは、第１のモードと第２のモードとの間で切り替え可能でなければならない。第１のモードは、実質的に結像機能を提供しない（２Ｄモード）。第２のモードは、結像機能を提供する（３Ｄモード）。液晶で切り替え可能なパララックスバリア技術の一例が米国特許公報第７８１３０４２号に開示されている。
【０００４】
立体画像を生成するために、移動せず静止しているユーザーのそれぞれの眼に対して異なる画像を直接導くためのパララックスバリアを使用することがよく知られている。しかしながら、当該ユーザーは、高品質の３Ｄ画像を見るためにはその場所に固定され続けなければならない。ユーザーの頭部の左右への動き（ディスプレイ装置に対する頭部の横方向の動き）は左眼用画像を右眼で見ることになり、その逆も同様である。右眼で左眼用画像を見ることは視聴者に著しい不快感を与える。この問題を解決するために、所定の視認距離に対して、左眼用画像は常に左眼に向けられ、右眼画像は常に右眼に向けられるようにするヘッドトラッキングシステムと、独立してアドレス駆動可能な複数の電極を含む液晶パララックスバリアとの併用が使用され得る。上記ヘッドトラッキングシステムは、立体画像が見えるように、ユーザーの眼の横方向の位置を決定し、かつ、液晶パララックス上の適切な電極を切り替える。独立してアドレス駆動可能な複数の電極及びヘッドトラッキングシステムを含む横方向トラッキング液晶パララックスバリアの例が米国特許出願公報第２０１３／０３４２５８６号、国際特許出願公報第２０１４／１３６６１０号、米国特許公報第８６２９９４５号、米国特許出願公報第２０１２／０２００６８０号、米国特許出願公報第２０１３／０３４２５８６号、米国特許出願公報第２０１１／０１５７１７１号、欧州特許出願公報第００８３３１８３号、米国特許出願公報第２０１０／０１１０３１６号、及び米国特許公報第５９６９８５０号に開示されている。
【０００５】
再構成可能（リコンフィギュアブル）なパララックスバリアの他の例が、国際特許出願公報第２０１４／１４１８１３号、国際特許出願公報第２０１５／０６００１１号、国際特許出願公報第２０１５／０６０００２号、欧州特許第１８１６５１０号、米国特許出願公報第２０１４／１９８０９９、及び米国特許出願公報第２０１３／０２１３２９に開示されている。
【０００６】
いくつかの用途、特に小型ディスプレイに対する用途では、横方向トラッキング液晶パララックスバリアによって、ユーザーは、ディスプレイ装置に対して頭部を前後方向（縦方向）に十分に動かすことができ、高品質な３Ｄ表示を見ることができる。しかしながら、他の用途では、横方向トラッキング液晶パララックスバリアにデメリットが認められる。具体的に、ディスプレイ装置に対してユーザーが頭部を前後方向（縦方向の動き）に動かすと、左眼用画像が右眼で視認される状態を引き起こし、その逆もまた同様である。つまり、ユーザーは、低品質の３Ｄ表示を見ることになる。米国特許第８３３１０２３号は、良好な品質の３Ｄ表示を維持しつつ、横方向および縦方向の頭部の動きを可能にする複数のパララックスバリアの使用について開示している。国際特許出願公報第２０１４／０９２１７２号、米国特許第８６２９９４５号、米国特許出願公報第２０１３／０１８７９６１号、及び米国特許出願公報第２０１４／００７８２６８号は、良好な品質の３Ｄ表示を維持しつつ、横方向および縦方向のヘッドトラッキングを可能とする複数の電極を備えた液晶パララックスバリアを開示する。開示された縦方向のヘッドトラッキング方法は、液晶パララックスバリアのピッチを変化させることで行われる。
【発明の概要】
【０００７】
本発明に係る一態様は、広範囲な横方向（左右）の頭部動作、及び広範囲な縦方向（前後）の頭部動作に対して高品質３Ｄ画像を表示する裸眼立体（眼鏡なし）表示装置１を提供する。裸眼立体（眼鏡なし）表示装置１は、画像を表示するための画像表示パネル１０と、複数の領域を持つ液晶パララックスバリアパネル２０、２００とを備える。複数の領域を持つ液晶パララックスバリアパネル２０、２００は、２Ｄ画像を表示可能とするためにスイッチオフされる、又は、３Ｄ裸眼立体画像（眼鏡なし）を表示可能とするためにスイッチオンされる。
【０００８】
複数の領域を持つ液晶パララックスバリアパネル２０、２００は、少なくとも、独立してアドレス駆動可能な複数の電極が周期的に配置された第１領域と、独立してアドレス駆動可能な複数の電極が周期的に配置された第２領域と、独立してアドレス駆動可能な第１の電極を含む、上記第１領域と上記第２領域との間に位置する第１サブ領域と、を備える。ここで、上記第１領域の複数の電極は、上記第２領域の複数の電極から独立してアドレス駆動される。上記第１領域の複数の電極は、上記第１サブ領域の（複数の）電極から独立してアドレス駆動される。上記第２領域の複数の電極は、上記第１サブ領域の（複数の）電極から独立してアドレス駆動される。
【０００９】
電極ピッチＥＰは、それぞれの領域で一定であってよい。当該電極ピッチＥＰは、それぞれの領域で異なっていてもよい。それぞれの領域は固有の電極ピッチを有していてもよい。
【００１０】
独立してアドレス駆動可能な電極は一層構造で配設されてよい。
【００１１】
独立してアドレス駆動可能な電極は二層構造で配設されてよい。
【００１２】
独立してアドレス駆動可能な電極は、第１基板上にのみ配設する、第２基板上にのみ配設する、又は、第１基板及び第２基板の両方に配設する、といった構成であってよい。
【００１３】
裸眼立体表示装置１は、さらに、制御回路４０と位置センサ４１とを備える。制御回路４０は、演算ユニット４２と、複数の領域を持つ液晶パララックスバリアパネル駆動ユニット４３と、画像表示パネル駆動ユニット４４と、を備える。制御回路４０は、スリットパターンルックアップテーブル（ＬＵＴ）４５を備えてもよい。画像表示パネル駆動ユニット４４は、入力映像信号に基づいて画像表示パネル１０を駆動し、画像表示パネル１０に画像を表示する。位置センサ及び演算ユニットは、裸眼立体表示装置のユーザーの頭部／顔／眼球の位置を決定する。複数の領域を持つ液晶パララックスバリアパネル駆動ユニット４３は、ユーザーの頭部／顔／眼球の位置に基づいて複数の領域を持つ液晶パララックスバリアパネル２００を駆動し、高品質３Ｄ（低３Ｄクロストーク）の表示を可能とする。
【００１４】
２つの異なるスリットパターンを有するサブ領域の電極をアドレス駆動するために、時分割方式が使用されてもよい。
【００１５】
本発明に係る一態様は、複数の領域を持つ液晶パララックスバリアパネルを提供する。当該複数の領域を持つ液晶パララックスバリアパネルは、上記電気光学材料をアドレス駆動するための複数の第１電極を備えた第１領域を含む。当該複数の第１電極は、互いに独立してアドレス駆動可能であり、第１方向に延び、かつ、第２方向に沿って互いに横方向に離間した、電気的に接続する２以上の電極部分を含み、上記複数の第１電極の上記電極部分は周期的に配設されている。上記複数の領域を持つ液晶パララックスバリアパネルは、上記電気光学材料をアドレス駆動するための複数の第２電極を備えた第２領域を含む。当該複数の第２電極は、互いに、かつ、上記複数の第１電極から独立してアドレス駆動可能であり、第１方向に延び、かつ、第２方向に沿って互いに横方向に離間した、電気的に接続する２以上の電極部分を含み、上記複数の第２電極の上記電極部分は周期的に配設されている。上記複数の領域を持つ液晶パララックスバリアパネルは、上記電気光学材料をアドレス駆動するための複数の電極を備えた第１補償領域を含む。上記第１補償領域の当該複数の電極は、第１方向に延びるとともに、互いに、並びに、上記複数の第１電極及び上記複数の第２電極から独立してアドレス駆動可能であり、第１補償領域は上記第１領域と上記第２領域の間に配される。上記パララックスバリアパネルは、使用中、少なくとも１つの受信駆動信号に基づいて、上記複数の第１電極、上記複数の第２電極、及び上記第１補償領域の上記複数の電極が、以下となるようにアドレス駆動される。：上記複数の第１電極は、上記パララックスバリアパネルの上記第１領域において、複数の所定のパララックスバリアアレイから選択されるパララックスバリアアレイを規定する。：上記複数の第２電極は、上記パララックスバリアパネルの上記第２領域において、上記第１パララックスバリアアレイから独立して、上記複数の所定のパララックスバリアアレイから選択されるパララックスバリアアレイを規定する。及び、：上記第１補償領域の上記複数の電極は、上記第１パララックスバリアアレイ及び上記第２パララックスバリアアレイに応じて、上記第１領域と上記第２領域の間に、少なくとも一つのスリット及び／又は少なくとも一つのバリアを規定する。
【００１６】
上記第１補償領域の上記複数の電極により規定された上記少なくとも一つのスリット及び／又は少なくとも一つのバリアは、少なくとも部分的に上記第１補償領域に位置する。
【００１７】
ここで使用する“アドレス駆動（addressing）する”という用語は、電気光学材料中に所望の透過率（一般に、極限まで透過性を有する、又は極限まで吸収する）を有する領域を規定するために１つ以上の電極に電圧を印加することをいう。幾つかの場合、所望の透過率は１つ以上の電極に０電圧を印加することにより得られる。ここで使用されるように、電気光学材料中に所望の透過率を有する領域を得るために電極に電圧を印加する行為は、たとえ印加電圧が０であっても、電極を“アドレス駆動（addressing）する”ものと見なされる。
【００１８】
上記第１補償領域は、上記第１領域及び上記第２領域の少なくとも一方と隣り合ってよい。
【００１９】
第１のモードにおいて、上記複数の第１電極は、上記第１領域において上記複数の所定のパララックスバリアアレイのうちの一つである第１パララックスバリアアレイを規定するためにアドレス駆動されてよく、上記複数の第２電極は、上記第２領域において、上記複数の所定のパララックスバリアアレイのうちの一つである、上記第１パララックスバリアアレイとは異なる第２パララックスバリアアレイを規定するためにアドレス駆動されてよく、上記第１補償領域の上記複数の電極は、上記第１パララックスバリアアレイと上記第２パララックスバリアアレイとの間の移行部においてあらゆるラインアーチファクトを少なくとも部分的に目立たなくするために、上記少なくとも一つのスリット及び／又は上記少なくとも一つのバリアを規定してよい。
【００２０】
上記第１領域と上記第２領域とが互いに隣り合っている場合、当該第１領域及び当該第２領域において異なるパララックスバリアアレイが規定されたとき、二つのパララックスバリア配置の境界において不連続性が生ずる可能性がある。例えば、上記バリア領域の通常の幅よりも少ない幅を有するバリア領域、及び／又は、上記スリットの通常の幅よりも大きい幅を有するスリットが存在するかもしれず、その場合、観察者が輝線を見ることになる。又は、上記バリア領域の通常の幅よりも大きい幅を有するバリア領域、及び／又は、上記スリットの通常の幅よりも小さい幅を有するスリットが存在するかもしれず、その場合、観察者が暗線を見ることになる。上記第１領域と上記第２領域の間に、独立してアドレス駆動可能な複数の第３電極を有する上記第３領域（補償領域）を有することにより、観察者に知覚される効果として、上記二つのパララックスバリア配置の境界における不連続性が軽減され、場合によっては取り除かれるという効果が得られる。
【００２１】
上記複数の第１電極の電極部分はグループで周期的に配設されてよく、上記複数の第１電極の電極部分の境界グループは、上記第１補償領域に最も近い上記複数の第１電極の電極部分のグループであり、上記複数の第１電極のｉ番目（ｉ≧１）の電極部分を失っている可能性があり、上記第１補償領域の少なくとも幾つかの電極は、上記複数の第１電極のアドレス駆動に基づいてアドレス駆動されうる。
【００２２】
さらに、上記複数の第２電極の電極部分はグループで周期的に配設されてよく、上記複数の第２電極の電極部分の境界グループは、上記第１補償領域に最も近い上記複数の第２電極の電極部分のグループであり、上記複数の第２電極のｊ番目（ｊ≧１）の電極部分を失っている可能性があり、上記第１補償領域の少なくとも幾つかの電極は、上記複数の第２電極のアドレス駆動に基づいてアドレス駆動されうる。
【００２３】
必要に応じて、ｉ＝ｊであってよい。
【００２４】
上記第１補償領域は、ｉ＋ｊ個の第３電極を含んでよい。
【００２５】
上記第１のモードにおいて、上記第１領域において規定された上記第１パララックスバリアアレイは第１スリット位置番号を有してよく、上記第２領域において規定された上記第２パララックスバリアアレイは、上記第１スリット位置番号とは異なる第２スリット位置番号を有してよく、上記第１補償領域の上記複数の電極は、上記第１領域と上記第２領域とのスリット位置番号の差を補償するために上記少なくとも一つのスリット及び／又は上記少なくとも一つのバリアを規定してよい。
【００２６】
上記第１のモードにおいて、上記複数の第１電極は、上記第１領域において上記第１パララックスバリアアレイを規定するためにアドレス駆動され、上記複数の第２電極は、上記第２領域において上記第２パララックスバリアアレイを規定するためにアドレス駆動され、上記第１補償領域の上記複数の電極は、上記第１領域と上記第２領域との間に第３パララックスバリアが規定されるようにアドレス駆動され、上記第３パララックスバリアは、バリアとスリットを有し、上記バリアは上記スリットと隣り合い、上記バリア及び／又は上記スリットは少なくとも部分的に上記第１補償領域に含まれており、上記スリットの幅は、上記第２方向において、上記第１領域又は上記第２領域にすべてが含まれるスリットの幅よりも小さく、及び／又は、上記バリアの幅は、上記第２方向において、上記第１領域又は上記第２領域にすべてが含まれるバリアの幅よりも大きい。これは、“暗線”状態と称されうる。通常のバリア幅よりも広いバリア、又は通常のスリット幅よりも狭いスリットによる効果として、上記第１領域と上記第２領域との境界において暗線アーチファクトが生ずるためである。
【００２７】
あるいは、上記第１のモードにおいて、上記複数の第１電極は、上記第１領域において上記第１パララックスバリアアレイを規定するようにアドレス駆動されてよく、上記複数の第２電極は、上記第２領域において上記第２パララックスバリアアレイを規定するようにアドレス駆動されてよく、上記第１補償領域の上記複数の電極は、上記第１領域と上記第２領域との間に第４パララックスバリアが規定されるようにアドレス駆動されてよく、上記第４パララックスバリアは、バリアとスリットを有し、上記バリアは上記スリットと隣り合い、上記バリア及び／又は上記スリットは少なくとも部分的に上記第１補償領域に含まれており、上記スリットの幅は、上記第２方向において、上記第１領域又は上記第２領域にすべてが含まれるスリットの幅よりも大きく、及び／又は、上記バリアの幅は、上記第２方向において、上記第１領域又は上記第２領域にすべてが含まれるバリアの幅よりも小さい。これは、“輝線”状態と称されうる。通常のバリア幅よりも狭いバリア、又は通常のスリット幅よりも広いスリットによる効果として、上記第１領域と上記第２領域との境界において輝線アーチファクトが生ずるためである。
【００２８】
上記第３パララックスバリア及び上記第４パララックスバリアの何れか一方は、そのバリア：スリット比が、上記複数の所定のパララックスバリアアレイのバリア：スリット比よりも大きくてよく、上記第３パララックスバリア及び上記第４パララックスバリアの他方は、そのバリア：スリット比が、上記複数の所定のパララックスバリアアレイのバリア：スリット比よりも小さくてよい。上記第３パララックスバリアが“暗線”状態をもたらし、上記第４パララックスバリアが“輝線”状態をもたらす場合、上記第３パララックスバリアは、上記複数の所定のパララックスバリアアレイのバリア：スリット比よりも大きいバリア：スリット比を有し、上記第４パララックスバリアは、上記複数の所定のパララックスバリアアレイのバリア：スリット比よりも小さいバリア：スリット比を有する（そのため、上記第４パララックスバリアは、上記第３パララックスバリアのバリア：スリット比よりも小さいバリア：スリット比を有する）。
【００２９】
上記パララックスバリアパネルは、第１の期間において上記第３パララックスバリアを規定し、第２の期間において上記第４パララックスバリアを規定するように適応されてよい。上記第３パララックスバリア及び上記第４パララックスバリアは時間ごとに規定されてよく、上記第３パララックスバリアが規定される期間と上記第４パララックスバリアが規定される期間との比率が、上記第１領域にて規定された上記第１パララックスバリアアレイと上記第２領域にて規定された上記第２パララックスバリアアレイとの間の移行部におけるラインアーチファクトの視認性を軽減するように選択される。上記第３パララックスバリアと上記第４パララックスバリアとを交互に表示する効果は、暗線状態と輝線状態とを交互にすることにある。上記パララックスバリアパネルが暗線状態及び輝線状態（暗線時間ＤＬＴ、及び輝線期間ＢＬＴ）にいる期間が十分に小さい場合、観察者は個々の暗線及び個々の輝線を知覚することはなく、暗線状態及び輝線状態の時間平均を知覚することになる。上記第１領域と上記第２領域との間の移行部におけるあらゆる視認可能なラインアーチファクトを取り除く、又は少なくとも軽減するために、ＢＬＴとＤＬＴとの比率が選択される。
【００３０】
第２のモードにおいて、上記複数の第１電極及び上記複数の第２電極が、上記第１領域及び上記第２領域において、上記複数の所定のパララックスバリアアレイから選択された同じパララックスバリアアレイを規定するようにアドレス駆動されてよく、上記第１補償領域の上記複数の電極は、上記第１補償領域において、上記第１パララックスバリアアレイ及び上記第２パララックスバリアアレイに連続するパララックスバリアを規定するようにアドレス駆動されてよい。これにより、上記複数の第１電極、上記複数の第２電極、及び上記第１補償領域の上方に均一なパララックスバリアアレイが提供される。
【００３１】
第３のモードにおいて、上記複数の第１電極、上記複数の第２電極、及び上記第１補償領域の上記複数の電極は、上記パララックスバリアパネルが結像機能を提供しないようにアドレス駆動されてよい。これにより、例えば、２Ｄ表示モード及び３Ｄ表示モードのいずれかのモードで動作する必要のある表示装置において、上記パララックスバリアパネルを使用することができる。
【００３２】
上記パララックスバリアパネルは、さらに、第１基板と、第２基板と、を備えてよく、上記電気光学材料は、上記第１基板と上記第２基板との間に配設されてよく、上記複数の第１電極の少なくとも幾つかは、上記第１基板上に配設され、上記複数の第１電極の少なくともその他は、上記第２基板上に配設されてよい。あるいは、上記複数の第１電極のすべてがお互いに同じ基板に配設されてもよい。
【００３３】
上記第１基板上に配設された電極は、上記第２基板上に配設された電極に対して、上記第２方向にオフセットされていてよく、上記電極ピッチの略半分の距離だけ上記第２方向にオフセットされていてよい。
【００３４】
上記パララックスバリアパネルは、さらに、第１基板と、第２基板と、を備えていてよく、上記電気光学材料は、上記第１基板と上記第２基板との間に配設されていてよく、上記複数の第１電極はそれぞれ、上記第１基板又は上記第２基板の何れか一方に配設されていてよい。
【００３５】
第１電極部分はそれぞれ、第１部分及び第２部分を備え、上記第１部分及び上記第２部分は、上記パララックスバリアパネルの厚み方向に互いにオフセットされ、かつ、上記電極ギャップに略等しい距離だけ上記第２方向に互いにオフセットされていてよい。
【００３６】
上記第１基板及び上記第２基板の何れか一方の上方に上記複数の第１電極の第１サブセットが配設されてよく、上記複数の第１電極の上記第１サブセットの上方に絶縁層が配設されてよく、当該絶縁層の上方に上記複数の第１電極の第２サブセットが配設されてよく、当該第２サブセットの第１電極は、上記第２方向において、上記第１サブセットの第１電極からオフセットされてよい。
【００３７】
上記第２サブセットの第１電極の幅は、上記第１サブセットの第１電極の幅よりも小さくてよく、かつ、上記第２サブセットの第１電極の幅は、上記第２サブセットに係る隣接する２つの第１電極間のギャップよりも小さくてよい。
【００３８】
上記複数の第１電極の上記第１サブセットの電極の幅は、当該複数の第１電極の上記第２サブセットの隣接する２つの電極間のギャップよりも大きくてよい。
【００３９】
本発明に係る第２の一態様は、上記一態様に係るパララックスバリアパネルと、上記複数の第１電極、上記複数の第２電極、及び上記第１補償領域の上記複数の電極をアドレス駆動するための制御回路と、を備えた構成を提供する。上記制御回路は、上記パララックスバリアパネル上に配設される。あるいは、上記制御回路は、上記パララックスバリアパネルから分離されるが、上記パララックスバリアパネルに電気的に接続されている配置で提供されてよい。
【００４０】
本発明に係る第３の一態様は、表示装置を提供する。当該表示装置は、画像表示パネルと、上記画像表示パネル内の光路中に配設される、上記一態様に係るパララックスバリアパネルと、上記複数の第１電極、上記複数の第２電極、及び上記第１補償領域の上記複数の電極をアドレス駆動するための制御回路と、を備える。
【００４１】
ここで使用する“アドレス駆動（addressing）する”という用語は、電気光学材料中に所望の透過率（一般に、極限まで透過性を有する、又は極限まで吸収する）を有する領域を規定するために１つ以上の電極に電圧を印加することをいう。幾つかの場合、所望の透過率は１つ以上の電極に０電圧を印加することにより得られる。ここで使用されるように、電気光学材料中に所望の透過率を有する領域を得るために電極に電圧を印加する行為は、たとえ印加電圧が０であっても、電極を“アドレス駆動（addressing）する”ものと見なされる。
【００４２】
第２及び第３の態様において、上記制御回路は、個別的、または、分散制御回路から構成されてよく、例えば、複数の制御回路の各々が、上記パララックスバリアパネルの一領域の複数の電極を駆動してもよい。あるいは、上記制御回路が、上記パララックスバリアパネルのすべての領域の複数の電極を駆動する一つの制御回路から構成されてよい。
【００４３】
上記画像表示パネルは透過型パネルを備え、上記表示装置は、さらに、バックライトを備えてよい。この場合、上記パララックスバリアパネルは、上記バックライトと上記画像表示パネルとの間に設けられてよい（“リアバリア”配置）。あるいは、上記パララックスバリアパネルは、上記画像表示パネルと観察者との間に設けられてよい（“フロントバリア”配置）。あるいは、上記画像表示パネルは、発光型パネルを備えてよい。
【００４４】
上記表示装置は、観察者の位置を判定するための１つ以上の位置センサを備えてよい。ここで使用する“位置”という用語は、上記表示装置の正面に対して平行な水平ライン上の上記観察者の位置（図１０に記載されたＸ軸）、及び／又は、観察者と上記表示装置の正面との間の垂直距離を含む。上記制御回路は、判定された上記観察者の位置に応じて、上記複数の第１電極及び上記複数の第２電極をアドレス駆動してよい。これにより、改良された３Ｄ表示特性がもたらされる。
【００４５】
上記表示装置は、判定された上記観察者の位置に応じて、上記複数の第１電極、上記複数の第２電極、及び上記第１補償領域の上記複数の電極に対するアドレス駆動スキームを決定するための演算プロセッサを備えてよい。
【００４６】
あるいは、上記表示装置は、さらに、上記複数の第１電極、上記複数の第２電極、及び上記第１補償領域の上記複数の電極に対する複数のアドレス駆動スキームを記憶するメモリと、判定された上記観察者の位置に応じて、上記メモリに記憶された上記複数のアドレス駆動スキームのうちの１つを読み出す演算プロセッサと、を備えてよい。
【００４７】
上記駆動回路は、上記表示装置からの上記観察者の判定された位置に応じて、上記第３パララックスバリアが上記第１補償領域で規定される期間と上記第４パララックスバリアが上記第１補償領域で規定される期間との比率を選択してよい。さらに、あるいは、上記駆動回路は、上記補償領域の複数の電極に印加される電圧に応じて、上記第３パララックスバリアが上記第１補償領域で規定される期間と上記第４パララックスバリアが上記第１補償領域で規定される期間との比率を選択してよい。
【００４８】
本発明に係る表示装置において、上記第１領域は１２個の第１電極を備えてよく、上記第２領域は１２個の第２電極を備えてよく、上記パララックスバリアパネルは、さらに、第３領域から第９領域の領域を含んでよく、上記第３領域から上記第９領域の領域は、上記電気光学材料をアドレス駆動するための１２個の第３電極から第９電極をそれぞれ備えてよく、第ｐ領域（１≦ｐ≦９）の複数の電極は、お互いに、かつ、第ｐ’領域（１≦ｐ’≦９、ｐ≠ｐ’）の複数の電極から独立してアドレス駆動可能であり、上記第３電極から上記第９電極は、上記第１方向に沿って延び、かつ、上記第２方向に沿って互いに横方向に離間した、電気的に接続する２以上の電極部分を備えてよく、上記第ｐ領域（１≦ｐ≦９）の上記電複数の極の上記電極部分は周期的に配設されており、上記パララックスバリアパネルの上記第１補償領域は、上記電気光学材料をアドレス駆動するための８個の独立してアドレス駆動可能な電極を有してよく、上記パララックスバリアパネルは、さらに、第２補償領域から第８補償領域を有してよく、当該第２補償領域から当該第８補償領域はそれぞれ、上記第１方向に沿って延びる上記電気光学材料をアドレス駆動するための８個の電極を有してよく、第ｋ補償領域（１≦ｋ≦８）の複数の電極は、お互いに独立してアドレス駆動可能であり、他の補償領域の電極から独立してアドレス駆動可能であり、上記第１電極から上記第９電極までの電極から独立してアドレス駆動可能であり、上記第ｋ補償領域は上記第ｋ領域と上記第（ｋ＋１）領域との間に配設されており、上記駆動回路は、上記第ｋ領域及び上記第（ｋ＋１）領域に対するアドレス駆動に応じて、上記第ｋ補償領域の複数の電極をアドレス駆動してよい。
【図面の簡単な説明】
【００４９】
【図１】フロントバリア型裸眼立体表示装置を示す図である。
【図２】リアバリア型裸眼立体表示装置を示す図である。
【図３】裸眼立体表示装置の断面図（従来例）である。
【図４】裸眼立体表示装置の断面図である。
【図５】電極位置の関係を示す図である。
【図６】液晶パララックスバリアを示す図である。
【図７】液晶パララックスバリアを示す図である。
【図８】二層電極構造の断面図である。
【図９】スリット位置番号と電極状態の関係を示す図である。
【図１０】第１領域に係る第１基板上の電極配置を示す図である。
【図１１】第１領域に係る第２基板上の電極配置を示す図である。
【図１２】第１領域と第２領域の境界を示す電極構成を示す図である。
【図１３】様々な頭部位置に対するスリットパターンを示す図である。
【図１４】有効３Ｄ表示領域を説明する図である。
【図１５】複数の領域を持つ切り替え可能液晶パララックスバリアの側面図である。
【図１６】複数の領域を持つ切り替え可能液晶パララックスバリアの正面図である。
【図１７】第１領域及び第２領域におけるスリット位置を示す図である。
【図１８】第１領域及び第２領域におけるスリット位置を示す図である。
【図１９】第１領域及び第２領域におけるスリット位置を示す図である。
【図２０】複数の領域を持つ切り替え可能液晶パララックスバリアの側面図である。
【図２１】複数の領域を持つ切り替え可能液晶パララックスバリアの正面図である。
【図２２】第１領域、サブ領域、及び第２領域を示す電極構成を示す図である。
【図２３】第１領域、サブ領域、及び第２領域におけるスリット位置を示す図である。
【図２４】スリット位置番号とサブ領域１の電極状態との関係を示す図を示す図である。
【図２５】第１領域、サブ領域、及び第２領域におけるスリット位置を示す図である。
【図２６】スリット位置番号とサブ領域１の電極状態との関係を示す図である。
【図２７】第１領域、サブ領域、及び第２領域におけるスリット位置を示す図である。
【図２８】スリット位置番号とサブ領域１の電極状態との関係を示す図である。
【図２９】第１領域、サブ領域、及び第２領域におけるスリット位置を示す図である。
【図３０】スリット位置番号とサブ領域１の電極状態との関係を示す図である。
【図３１】第１領域、サブ領域、及び第２領域におけるスリット位置を示す図である。
【図３２】スリット位置番号とサブ領域１の電極状態との関係を示す図である。
【図３３】タイミング・ダイアグラムである。
【図３４】裸眼立体表示装置の機能構成を示すブロック図である。
【図３５】裸眼立体表示装置の機能構成を示すブロック図である。
【図３６】裸眼立体表示装置により実行されるプロセスのフローチャートである。
【図３７】単層電極構造の断面図である。
【図３８】二層電極構造の断面図である。
【図３９】二層電極構造の断面図である。
【図４０】二層電極液晶パララックスバリアの図である。
【図４１】二層電極液晶パララックスバリアの図である。
【図４２】二層電極液晶パララックスバリアの図である。
【図４３】二層電極構造の断面図である。
【図４４】二層電極構造の断面図である。
【発明を実施するための形態】
【００５０】
以下、添付図面を参照して、本発明の実施形態を詳細に説明する。図中の同一または対応する部分には同一の参照符号を付し、複数の実施形態で使用される構成要素の説明は、各実施形態について繰り返さない。説明を簡略化するため、以下に示す図面では、図示の構成を簡略化したり、一部を模式的に示したり省略したりすることができる。図面に示される構成要素間の寸法比は、必ずしも実際の寸法比に関係しない。
【００５１】
図１は、画像表示パネル１０と、切り替え可能液晶パララックスバリアパネル２０とを含む裸眼立体表示装置１を示す。画像表示パネル１０は、液晶ディスプレイ（ＬＣＤ）又は有機発光ディスプレイ（ＯＬＥＤ）などであってもよい。画像表示パネル１０が液晶ディスプレイ（ＬＣＤ）である場合、バックライトユニット３００が使用される。液晶パララックスパネル２０は、裸眼立体表示装置１の表示側９０（すなわち、フロントバリアシステム）に配置される。切り替え可能液晶パララックスバリアパネル２０は、画像表示パネル１０から左眼９０Ｌへ第１画像を導き、画像表示パネル１０から右眼９０Ｒへ第２画像を導くことにより裸眼立体３Ｄ画像の表示を可能にするパララックスバリア機能を実行するように切り替えられる。また、切り替え可能液晶パララックスバリアパネル２０は、パララックス機能を実行しない状態に切り替えられる。このとき、切り替え可能液晶パララックスバリアパネル２０は、左眼９０Ｌ及び右眼９０Ｒの両方に同じ２Ｄ画像を同時に視認させる。２Ｄモードでは、切り替え可能液晶パララックスバリアパネル２０は、実質的に透明である（すなわち、切り替え可能液晶パララックスバリアパネル２０は、正しく偏光された光に対して＞７５％、好ましくは＞９０％の透過性を有する）。
【００５２】
図２は、画像表示パネル１０と、切り替え可能液晶パララックスバリアパネル２０とを含む裸眼立体表示装置１を示す。画像表示パネル１０は、液晶ディスプレイ（ＬＣＤ）又は有機発光ディスプレイ（ＯＬＥＤ）などであってもよい。画像表示パネル１０が液晶ディスプレイ（ＬＣＤ）である場合、バックライトユニット３００が使用される。画像表示パネル１０は、裸眼立体表示装置１の表示側９０（すなわち、リアバリアシステム）に配置される。切り替え可能液晶パララックスバリアパネル２０は、画像表示パネル１０から左眼９０Ｌへ第１画像を導き、画像表示パネル１０から右眼９０Ｒへ第２画像を導くことにより裸眼立体画像表示を可能にする、パララックスバリア機能を実行するために切り替えられる。また、切り替え可能液晶パララックスバリアパネル２０は、２Ｄ画像が左眼９０Ｌ及び右眼９０Ｒの両方に対して同時に視認されるよう、パララックス機能を実行しないよう切り替えられる。２Ｄモードにおいて、切り替え可能液晶パララックスバリアパネル２０は、実質的に透明である。
【００５３】
特に明記しない限り、以降のすべての実施形態は、画像表示パネル１０が裸眼立体表示装置１の表示側９０に配置された図２に関連して記載される。しかしながら、裸眼立体表示装置の表示側９０に液晶パララックスパネル２０が配置されてもよい。別の言及がない限り、以降のすべての実施形態において、画像表示パネル１０は液晶表示パネルである。しかしながら、原理的には、任意の好適な、発光型表示パネル又は透過型表示パネルを使用することができる（透過型表示パネルはバックライトを必要とする）。
【００５４】
図３は、従来の裸眼立体表示装置１を示す概略断面図である。裸眼立体表示装置１は、画像表示パネル１０と、切り替え可能液晶パララックスバリアパネル２０と、接着樹脂３０とを備える。画像表示パネル１０及び切り替え可能な液晶パララックスバリアパネル２０は重なって配置され、画像表示パネル１０が観察者９０側に配置される。画像表示パネル１０及び切り替え可能液晶パララックスバリアパネル２０は接着樹脂３０により接着する。画像表示パネル１０は、ＴＦＴ（Thin Film Transistor）基板１１と、ＣＦ（Color Filter）基板１２と、液晶層１３と、偏光板１４と、偏光板１５とを備える。画像表示パネル１０は、ＴＦＴ基板１１及びＣＦ基板１２を制御して、それぞれのピクセルを透過する光の量を調整することで画像を得るために液晶層１３の液晶分子の配向を操作する。バックライトユニット３００は図示されていない。切り替え可能液晶パララックスバリアパネル２０は、第１基板２１と、第２基板２２と、液晶層２３と、偏光板２４とを備える。液晶層２３は、第１基板２１と第２基板２２とに挟持される。
【００５５】
図４は、裸眼立体表示装置１を示すさらなる概略断面図である。第１基板２１及び第２基板２２は、それぞれＥ１、Ｅ２、Ｅ３、Ｅ４、Ｅ５、Ｅ６、Ｅ７、Ｅ８、Ｅ９、Ｅ１０、Ｅ１１、及びＥ１２とラベル付けされた、独立してアドレス駆動可能な複数の電極を含む。各電極は、図４の紙面内を延びる２つ以上の電極部分を含む。当該２つ以上の電極部分は、（図４の水平軸に沿って）互いに横方向に離間する。従って、図４において同じラベルが付された２つの部分は、同じ電極の部分であり、互いに電気的に接続されている。例えば、図４において「Ｅ４」とラベルされた２つの部分は、同じ電極の部分である。図４において「Ｅ１０」とラベルされた２つの部分は、同じ電極の部分である。３つの部分を有する電極は平面視で略「Ｅ」字形である。４つ以上の部分を有する電極は平面視で略櫛形である。第１基板２１は、Ｅ７、Ｅ８、Ｅ９、Ｅ１０、Ｅ１１、及びＥ１２とラベル付けされ、周期的に配置された、独立してアドレス駆動可能な電極からなる単一層を有する（すなわち、電極Ｅ７の一部が、電極Ｅ８の一部及び電極Ｅ１２の一部に隣接する）。第２基板２２は、Ｅ１、Ｅ２、Ｅ３、Ｅ４、Ｅ５、及びＥ６とラベル付けされ、周期的に配置された、独立してアドレス駆動可能な電極からなる単一層を有する（すなわち、電極Ｅ１の一部が、電極Ｅ２の一部及び電極Ｅ６の一部に隣り合う）。言い換えると、Ｅ１〜Ｅ１２とラベル付けされた電極それぞれに異なる電圧が印加される（すなわち、アドレス駆動される）。すなわち、Ｅ１〜Ｅ１２とラベル付けされた電極はそれぞれ、独立して制御されうる。Ｅ１〜Ｅ１２とラベル付けされた電極は一群の電極である。一群の電極には１３以上の電極が存在してよく、これによりヘッドトラッキングの精度を高めることができる。一群の電極には１１以下の電極が存在してよく、これにより駆動回路が簡素化される。一群の電極として１２個の電極の使用は、トラッキング精度と複雑さとの間で良好なバランスを保つことが分かった。別段の記載がない限り、以降のすべての実施形態において、一群の電極には１２個の電極が含まれるものとする。それぞれの電極（Ｅ１〜Ｅ１２）は、均一に離間していてよい。
【００５６】
別段の記載がない限り、以降のすべての電極に関する説明では、図４または図８に従って電極が構成されるものとする。図４または図８では、電極Ｅ７、Ｅ８、Ｅ９、Ｅ１０、Ｅ１１及びＥ１２が第１基板２１上に周期的に配置され、Ｅ１、Ｅ２、Ｅ３、Ｅ４、Ｅ５、Ｅ６が第２基板２２上に周期的に配置されている。独立にアドレス駆動可能な電極グループのグループピッチφを図４及び図８に示す（第１基板上の電極のグループピッチφは、第２基板上の電極のグループピッチφと同じである）。画像表示パネル１０の一ピクセルのピクセルピッチｐｐのサイズもまた図４に示される。裸眼立体３Ｄモードでは、交互の画素は、左眼用画像（Ｌ）及び右眼用画像（Ｒ）でアドレス駆動されてよい。ピクセルピッチの２倍（２×ＰＰ）は、電極グループピッチ（φ）にほぼ等しい。より正確には、リアバリア裸眼立体表示装置１について、φ＝２ＰＰ／Ｖｄ（Ｖｄ＋Ｓ／ｎ）である。ここで、Ｖｄは、所望の視認距離である。Ｓは、画像表示パネル層１３とパララックスバリアの切り替え可能な液晶層２３ｎとの間隔である。ｎは、画像表示パネル層１３とパララックスバリアの切り替え可能な液晶層２３との間の平均屈折率である。
【００５７】
図５を参照して、各電極の幅Ｗは、電極それぞれで同じであってもよいし、画像表示装置１０に対する位置に応じて電極ごとに変化してもよい。別段の記載がない限り、以降のすべての実施形態において、各電極の幅Ｗは、電極それぞれについて同じであるものとする。図５を参照して、２つの隣接する電極間のギャップＧは、隣接する電極の対ごとに同じであってもよいし、画像表示装置１０に対する位置に応じて電極の対ごとに変化してもよい。別段の記載がない限り、以降のすべての実施形態において、２つの隣接する電極間のギャップＧは、電極対ごとに同じであるものとする。図５を参照して、電極ピッチＥＰは、Ｇ＋Ｗに等しく、電極それぞれについて同じであってよいし、画像表示装置１０に対する位置に応じて電極ごとに変化してもよい。別段の記載がない限り、以降のすべての実施形態において、電極ピッチＥＰは、電極それぞれについて同じであるものとする。図４、図５及び図８を参照して、電極グループピッチφは、６×ＥＰに等しい。電極グループピッチφは、電極グループごとで同じであってよいし、画像表示装置１０に対する位置に応じて電極グループごとに変化してもよい。別段の記載がない限り、以降のすべての実施形態において、電極グループピッチφは、電極グループそれぞれについて同じであるものとする。図５及び図８を参照して、第１基板２１上の電極は第２基板２２上の電極からＥＰ／２に等しい一定距離、又はＥＰ／２に略等しい一定距離だけずれていてもよい（すなわち１０μｍ以内、好ましくは５μｍ以内）。各電極の幅（Ｗ）と電極間のギャップ（Ｇ）はフォトリソグラフィープロセスにより規定されるため、各電極の幅（Ｗ）、電極間ギャップ（Ｇ）、電極ピッチ（ＥＰ）、及び電極グループピッチ（φ）は動的に変更させることはできない。言い換えると、距離Ｗ、Ｇ、ＥＰ及びφは特定の設計に従って決定され、前記各距離は能動的に制御されない。
【００５８】
図４及び図５に示す電極構成は、本発明に適合する電極構成の一例に過ぎない。図４及び図５の代わりに、図３７を参照して、独立してアドレス駆動可能な電極（Ｅ１〜Ｅ１２）を第１基板２１上にのみ周期的に配設させ、共通電極を第２基板２２上に配設させてもよい。第１基板２１が裸眼立体表示装置１の表示側９０に配置されてもよいし、第２基板２２が裸眼立体表示装置１の表示側９０に配置されてもよい。図４及び図５の代わりに、図３７を参照して、独立してアドレス駆動可能な電極（Ｅ１〜Ｅ１２）を周期的に第２基板２２上にのみ配設させ、共通電極を第１基板２１上に配設させてもよい。電極Ｅ１０、Ｅ１１、Ｅ１２は図３７に記載されていない。独立してアドレス駆動可能な電極（Ｅ１〜Ｅ１２）及び共通電極ＥＣＯＭに電圧を印加することによって、切り替え可能液晶パララックスバリアパネル２０内にパララックスバリアが形成されてもよい。単一の基板にのみ（第１基板２１又は第２基板２２）独立してアドレス駆動可能な電極（Ｅ１〜Ｅ１２）を配設すると、製造コストが安くなるという利点がある。上述したように、独立してアドレス駆動可能な１２個の電極が周期的に単一基板上に配設されている場合、電極Ｅ１は電極Ｅ２及び電極Ｅ１２に隣接する。
【００５９】
図４及び図５の代わりに、液晶パララックスバリアパネル２０に二層電極が使用されてもよい。二層電極の一例を図８に示す。図８を参照して、第１基板２１及び第２基板２２は二層電極構造を有する。第１基板２１は、（１）第１基板２１上に周期的に配設された複数の電極部分（Ｅ７〜Ｅ１２）からそれぞれ形成された、独立してアドレス駆動可能な電極からなる第一層と、（２）独立してアドレス駆動可能な電極からなる第一層上に配設された絶縁層２５と、（３）絶縁層２５上に周期的に配設された複数の電極部分（Ｅ７〜Ｅ１２）からそれぞれ形成された、独立してアドレス駆動可能な電極からなる第二層と、を含む。すなわち、電極部はそれぞれ、パネルの厚さ方向に互いにずれ、かつ、横方向に互いにずれた２つの部分で形成されている。電極部の当該２つの部分は互いに電気的に接続されている。第一層に係る電極部Ｅｎは、第二層に係る電極部Ｅｎに電気的に接続されている。ｎは整数である。第１基板２１の第一層に係る、独立してアドレス駆動可能な電極Ｅ１１の一例が図８の参照符号２６により示されている。第２基板の第二層に係る、独立してアドレス駆動可能な電極Ｅ１１の一例が図８の参照符号２７により示されている。第１基板２１の第一電極層は、基板に対して垂直な方向から見たときに第二層電極部（例えば、第二層電極部Ｅ１１（２７））が、対応する第一層電極部及び隣接する第一層電極部との間のギャップ（例えば、第一層電極部Ｅ１１（２６）と隣接する第一層電極部Ｅ１０との間のギャップ）を埋めるように、又はほぼ埋めるように、電極間ギャップＧに等しいか、又は略等しい分だけ第１基板の第二電極層からオフセットされている（すなわち、６μｍ以内、好ましくは４μｍ以内）。これにより、隣接する電極部分によって規定されるダーク領域間のギャップをなくす、又はほとんどギャップをなくすことができる（例：電極部分Ｅ１１（２６、２７）によって規定されるダーク領域と電極部分Ｅ１０によって規定されるダーク領域との間にギャップがない、またはほとんどギャップがない。それゆえ、結果として生じるパララックスバリアの品質が改善する。同様に、第２基板の第一電極層は、電極間ギャップＧに等しいか、又は略等しい分だけ第２基板の第二電極層から離れている（すなわち、６μｍ以内、好ましくは４μｍ以内）。（独立してアドレス駆動可能な第一層と独立してアドレス駆動可能な第二層との間に位置する）絶縁層２５は、画像表示領域（すなわち、画像を表示する、裸眼立体表示装置１の領域）において、独立してアドレス駆動可能な第一層と独立してアドレス駆動可能な第二層との間の電気的接続を妨げる。絶縁層２５は、例えば、シリコン窒化物（ＳｉＮｘ）であってもよく、１５０ｎｍ〜３００ｎｍの範囲の厚さを有してもよい。
【００６０】
図４及び図５の代わりに、図３８を参照して、独立してアドレス駆動可能な電極（Ｅ１〜Ｅ１２）すべてが第２基板２２上の二層電極構造にのみ周期的に配設され、共通電極ＥＣＯＭが第１基板２１に配設されてもよい。第１基板２１が裸眼立体表示装置１の視認側９０に配置されてもよいし、第２基板２２が裸眼立体表示装置１の視認側９０に配置されてもよい。図２３を参照して、第２基板２２は、（１）第１基板２２上に周期的に配設された複数の電極部分（Ｅ１〜Ｅ１２）からそれぞれ形成された、独立してアドレス駆動可能な電極からなる第一層と、（２）独立してアドレス駆動可能な電極からなる第一層上に配設された絶縁層２５と、（３）絶縁層２５上に周期的に配設された複数の電極部分（Ｅ１〜Ｅ１２）からそれぞれ形成された、独立してアドレス駆動可能な電極からなる第二層と、を含む。Ｅ１０、Ｅ１１、及びＥ１２は図３８に図示されていない。独立してアドレス駆動可能な電極（Ｅ１〜Ｅ１２）及び共通電極ＥＣＯＭに電圧を印加することによって、切り替え可能液晶パララックスバリアパネル２０内にパララックスバリアが形成される。上述したように、独立してアドレス駆動可能な１２個の電極が周期的に単一基板上に配設されている場合、電極Ｅ１は電極Ｅ２及びＥ１２に隣接する。図８を参照して説明された理由により、第１基板又は第２基板の第一電極層は、電極間ギャップＧに等しいか、又は略等しい分だけ第二電極層からオフセットされている（すなわち、６μｍ以内、好ましくは４μｍ以内）。
【００６１】
電極部の第一層における電極部分と、対応する電極部の第二層における電極部分との電気的接続は画像表示領域外で発生する。電極部の第一層と電極部の第二層との電気的接続は図８には記載されていない。電極部Ｅｎは、幅Ｗを有する。電極部Ｅｎは、同じ層の隣接する電極間のギャップＧを有する。
【００６２】
図８を参照して、基板上の電極部の第一層に係る独立してアドレス駆動可能な電極それぞれの幅Ｗは、その基板上の電極部の第一層に係る他の独立してアドレス駆動可能な電極の幅Ｗと同じであってもよいし、異なっていてもよい。基板上の第一層に係る独立してアドレス駆動可能な電極の隣接対（例えば、Ｅ９及びＥ１０）のギャップＧは、基板上の第一層に係る独立してアドレス駆動可能な電極の他の隣接対と同じであってもよいし、異なっていてもよい。基板上の第二層に係る独立してアドレス駆動可能な電極それぞれの幅Ｗは、その基板上の第二層に係る他の独立してアドレス駆動可能な電極の幅Ｗと同じであってもよいし、異なっていてもよい。基板上の電極部の第二層に係る独立してアドレス駆動可能な電極の隣接対（例えば、Ｅ８及びＥ９）のギャップＧは、基板上の電極部の第二層に係る独立してアドレス駆動可能な電極の他の隣接対と同じであってもよいし、異なっていてもよい。基板上の第一層に係る独立してアドレス駆動可能な電極それぞれの幅Ｗは、その基板上の第二層に係る他の独立してアドレス駆動可能な電極の幅Ｗと同じであってもよいし、異なっていてもよい。基板上の電極部の第一層に係る独立してアドレス駆動可能な電極の隣接対（例えば、Ｅ９及びＥ１０）のギャップＧは、基板上の電極部の第二層に係る独立してアドレス駆動可能な電極の他の隣接対（例えば、Ｅ８及びＥ９）と同じであってもよいし、異なっていてもよい。基板上の独立してアドレス駆動可能な電極の第一層は、当該基板上の独立してアドレス駆動可能な電極の第二層からオフセットされている。これは、非二層電極構造のための電極間に存在するギャップＧを効率的に除去するためである。言い換えると、基板上の独立してアドレス駆動可能な電極の第一層は、ギャップＧを効率的に除去するために、その基板上の独立してアドレス駆動可能な電極の第二層からＧ分だけオフセットされる。図８を参照して、第一層に係る電極Ｅ１２の左端は、横方向において、第二層に係る電極Ｅ７の右端と一致する。図８を参照して、第二層に係る電極Ｅ１２の左端は、横方向において、第一層に係る電極Ｅ１１の右端と一致する。第一層の電極Ｅ１２が第二層の電極Ｅ１２に電気的に接続されている場合、Ｅ１２は幅ＥＰの単一の電極と見なすことができる。言い換えれば、電極ピッチは、実際上、独立にアドレス駆動可能な電極の間にギャップを含まない。例えば、図８を参照して、電極Ｅ１２と電極Ｅ７との間には実質的にギャップが存在しない。
【００６３】
図８を参照して、第２基板２２上の二層電極（Ｅ１〜Ｅ６）は、第１基板２１上の二層電極と同様に構成されてよい。図８に示すように、第１基板２１の電極に係る電極ピッチＥＰは、第２基板２２の電極に係る電極ピッチＥＰから、ＥＰ／２に等しく、又は実質的にＥＰ／２に等しく、オフセットされてもよい（すなわち、１０μｍ以内、好ましくは５μｍ以内）。二層電極構造は、第１基板上のみに使用し、第２基板上には共通電極を使用してもよい。二層電極構成は、第２基板上のみに使用し、第１基板上には共通電極を使用してもよい。図８に示すように、二層電極構成は、第１基板上及び第２基板上に使用してもよい。
【００６４】
原理的には、図８の実施形態では、第二層の電極部分（第二層の電極部分Ｅ１１（２７）など）の幅は、第一層の対応する電極部分と第一層の隣接する電極部分との間のギャップ（第一層の電極部分Ｅ１１（２６）と第一層の電極部分Ｅ１０との間のギャップ）と同じくらい小さく作製することができる。なぜならば、そのように作製することで、第一層の隣接する電極部分間に存在するギャップを効率的に除去できるためである。しかしながら、実際には、同じマスクを用いて基板上に電極部分の２つの層を規定すると都合がよい。この場合、第二層の電極部分の幅は、第一層の対応する電極部分の幅と同じ（製造誤差範囲内）である。
【００６５】
二層電極構成（図８）の利点は、単一層電極構成（図４）よりも高品質３Ｄ（低光学３Ｄクロストーク）を実現しうる点にある。電極の二層電極構成により、独立してアドレス駆動可能な電極間のギャップＧを効率的に排除し、高品質３Ｄ（低光学３Ｄクロストーク）を実現することができる。このことを図６及び図７を参照して説明する。図６及び図７において、バリアＢＲは、スリットＳＬに達するまで連続的に現れる。しかしながら、図６及び図７は、バリアＢＲ上の有限ギャップＧの影響を正確に示していない。より正確に説明すると、図６及び図７には示されていないが、バリアＢＲは、隣接する独立してアドレス駆動可能な電極間のギャップＧにおいて発生する非常に小さなスリットＳＬ領域を有しうる。バリア領域ＢＲを穿孔するこれらの不要な非常に小さなスリットＳＬ領域（不図示）は、望まれない光学的３Ｄクロストークを引き起こす。図２０の二重層電極構成が使用される場合、独立してアドレス駆動可能な第一層と独立してアドレス駆動可能な第二層との間のオフセットによって、バリア領域内のこれらの非常に小さい透過スリット領域は除去されうる。電極の二層電極構成の欠点は、単層電極構成よりも製造コストが高くなりうる点にある。
【００６６】
図４及び図８は、液晶パララックスバリアパネル２０を示す。図８に示す電極構成の詳細は図４に示す電極構成とは異なるが、以降のすべての実施形態において、図４及び図８に係る液晶パララックスバリアパネル２０は、実際上は入れ替え可能である。
【００６７】
図６を参照して、独立してアドレス駆動可能な電極（Ｅ１〜Ｅ１２）に電圧を印加することによって、切り替え可能液晶パララックスバリアパネル２０内にパララックスバリアが形成される。図６は、図４に関連して記載されているが、図８にも適用可能である。パララックスバリアは、以後バリアＢＲと称される非透過領域と、以後スリットＳＬと称される透過領域とを含む（実際には、非透過領域または「バリア」は完全に不透明ではなく、透過領域または「スリット」は完全に透過する訳ではなく、これらの領域は「最小透過」領域、及び「最大透過」領域と称されるのがより適切である。しかしながら、便宜上、「非透過領域」及び「透過領域」との用語が使用される。）。一例では、バリアＢＲは、偏光板１４及び偏光板２４（図示せず。図４に図示）と組み合わせて、第１基板２１上の電極と第２基板２２上の電極との電位差を与えることにより形成される。言い換えると、この例では、切換可能な液晶パララックスバリアパネル２０はノーマリーホワイトモードである。あるいは、スリットＳＬは、偏光板１４及び偏光板２４（図示せず）と組み合わせて、第１基板２１上の電極と第２基板２２上の電極との電位差を与えることにより形成されてよい。言い換えると、この代替例では、切換可能な液晶パララックスバリアパネル２０はノーマリブラックモードである。他に言及がない限り、以降のすべての実施形態では、切り替え可能液晶パララックスバリアパネル２０はノーマリーホワイトモードであるものとする。
【００６８】
図６は、第１電圧が電極Ｅ９、Ｅ８及びＥ７に印加され、第２電圧が残りの電極Ｅ１、Ｅ２、Ｅ３、Ｅ４、Ｅ５、Ｅ６、Ｅ１０、Ｅ１１及びＥ１２に印加される様子を示す。第１電圧と第２電圧との電位差と偏光板１４及び偏光板２４（図示せず）との組み合わせはバリア（非透過領域）を形成するのに十分である。切り替え可能液晶パララックスバリアパネル２０は、９０°ツイストネマチックモードであってもよい。第１電圧と第２電圧との電位差は、２．５Ｖ〜９Ｖの範囲内であってよい。第１電圧と第２電圧との電位差は、４Ｖ〜６Ｖの範囲内であってよい。他に言及がない限り、以降のすべての実施形態では、第２電圧は接地されている、すなわち０Ｖであるものとする。
【００６９】
図６は、バリア（ＢＲ）幅がスリット（ＳＬ）幅にほぼ等しく、スリット（ＳＬ）幅は３×ＥＰの幅にほぼ等しいことを示す。あるいは、例えば電極Ｅ１０、Ｅ９、Ｅ８、及びＥ７に第１電圧を印加し、残りの電極Ｅ１、Ｅ２、Ｅ３、Ｅ４、Ｅ５、Ｅ６、Ｅ１１及びＥ１２に第２電圧を印加することによって、バリア幅を４×ＥＰにほぼ等しくすることができる。あるいは、例えば電極Ｅ８及びＥ７に第１電圧を印加し、残りの電極Ｅ１、Ｅ２、Ｅ３、Ｅ４、Ｅ５、Ｅ６、Ｅ９、Ｅ１０、Ｅ１１及びＥ１２に第２電圧を印加することによって、バリア幅を２×ＥＰにほぼ等しくすることができる。他に言及がない限り、以降のすべての実施形態では、図６に示すように、バリア（ＢＲ）幅はスリット（ＳＬ）幅にほぼ等しく、スリット（ＳＬ）幅は３×ＥＰの幅にほぼ等しいものとする。
【００７０】
図７は、第１電圧が電極Ｅ３、Ｅ２及びＥ１に印加（又は、アドレス駆動）され、第２電圧が残りの電極Ｅ４、Ｅ５、Ｅ６、Ｅ７、Ｅ８、Ｅ９、Ｅ１０、Ｅ１１、及びＥ１２に印加（又は、アドレス駆動）された様子を示す。図７は、図４に関連して記載されているが、図８にも適用可能である。第１電圧と第２電圧との電位差と偏光板１４及び偏光板２４（図示せず）との組み合わせはバリアＢＲ（非透過領域）を形成するのに十分である。図７は、バリア（ＢＲ）領域の位置及びスリット（ＳＬ）領域の位置が、図６のバリア（ＢＲ）領域の位置及びスリット（ＳＬ）領域の位置に対してほぼＥＰ／２の距離だけ移動している様子を示す。
【００７１】
図６及び図７の電極配置について、スリット（ＳＬ）位置は１２の固有の位置を有する。各スリット位置は、関連するスリット位置番号を有する。図６について、スリット位置番号を９と定義する。図７について、スリット位置番号を１０と定義する。スリット位置番号と電極値との完全な関係を図９に示す。図９を参照して、「０」は第２電圧を示し、０Ｖの値をとる（すなわち、電極はオフになる）。図９を参照して、「１」は第１電圧を示し、２.５ボルトから９ボルトの範囲内のＶボルトの値をとる（すなわち、電極がオンにされる）。図９を参照して、スリット位置番号は周期的であり、したがって、スリット位置番号１に関連するスリット位置はスリット位置番号２及び１２のスリット位置に隣接する。
【００７２】
以下の説明では、電極部分はパララックスバリアパネルのすべての領域において、同じ周期（つまり、図４、６、７、及び８に示される周期）で配置されるものとする。もしそうでない場合、ある一つの領域における電極部分は他の領域における電極部分とは異なる周期で構成されるべきである。領域間における同一周期の差異はパララックスバリアパネルのアドレス駆動の間に補償されうる。
【００７３】
図４、図８、図６、図７、図９、及び先行技術（特に国際出願公開第２０１４１３６６１０号）を参照して、切り替え可能液晶パララックスバリアパネル２０は、画像表示パネル１０、カメラ、顔／頭部／眼球トラッキングソフトウェア、及び制御ユニットとともに使用され、左眼用画像を左眼９０Ｌへ、右眼用画像を右眼９０Ｒへ向け、広範囲にわたる横方向の頭部動作に対して高品質３Ｄ画像を表示させることができる。本質的に、ユーザーが左右に動作すると、顔／頭部／眼球トラッキングソフトウェアは、ユーザーの横方向における位置の変化を認識し、制御ユニットに情報を送信する。制御ユニットは、高品質３Ｄ画像の表示を可能とする適切な電極スイッチをオンにする。
【００７４】
電極グループのピッチ（φ）を動的に制御しないパララックスバリアの設計及び方法を使用して、実効的な縦視認距離範囲ＶｄＲを大幅に増加させることを可能にした驚くべき実験結果が見出された。この驚くべき実験結果は、新しいタイプの切り替え可能液晶パララックスバリアパネル２０の設計を可能にした。新しいタイプの切り替え可能液晶パララックスバリアパネル２０は、より長い縦視認距離範囲ＶｄＲを実現し、その結果、幅広い頭部位置から高品質３Ｄ画像を見ることが可能となる。新しいタイプの液晶パララックスバリアパネル２０は、複数の領域を持つ液晶パララックスバリアパネル２００である。図１４ａを参照して、複数の領域を持つ液晶パララックスバリアパネル２００は、横（左右）方向及び縦方向（前後）に３Ｄ表示領域７０を移動可能にし、それにより、横方向及び縦方向の両方において大きな有効３Ｄ表示領域７１を実現する。図１４に示されている有効３Ｄ表示領域７１の形状は、例示的のみを目的とする。有効３Ｄ表示領域７１の形状は、正方形、長方形、台形などであってもよい。任意の所与の頭部位置に対して、３Ｄ表示領域７０は比較的小さくてもよいが、複数の領域を持つ液晶パララックスバリアパネル２００が左右及び前後方に３Ｄ表示領域７０を移動させる能力を有することにより、大きな有効３Ｄ表示領域７１が形成される。
【００７５】
本発明に係る複数の領域を持つ液晶パララックスバリアパネル２００とは対照的に、複数の独立した電極を有する単一領域液晶パララックスバリアパネルは、横方向（左右）方向にのみ３Ｄ表示領域７０の移動が可能である。結果として、複数の独立した電極を有する単一領域液晶パララックスバリアパネルでは、大きな有効３Ｄ表示領域７１は、横方向においてのみ実現され、縦方向には実現されない。複数の領域を持つ液晶パララックスバリアパネル２００は、縦方向においてより大きな有効３Ｄ表示領域７１を可能とすることから、単一領域液晶パララックスバリアパネルよりも有利である。
【００７６】
９つの領域を有する複数の領域を持つ切り替え可能液晶パララックスバリアパネル２００の一例が図１５（側面図）及び図１６（正面図）に示されている。図１６（正面図）を参照して、複数の領域を持つ切り替え可能液晶パララックスバリアパネル２００の視認可能領域の高さがＡＤＤＨで示され、複数の領域を持つ切り替え可能液晶パララックスバリアパネル２００の視認可能領域の幅がＡＤＤＷ及びＡＤＤＷ２で示される。図１６（正面図）を参照して、ＡＤＤＷ×ＡＤＤＨにより規定される領域が、裸眼立体表示装置１の視認可能領域である（すなわち、裸眼立体表示装置１の視認可能領域の平面はページの平面と一致する）。図１５及び図１６を参照して、領域１は「Ｒ１」、領域２は「Ｒ２」などとラベル付けされている。一般に、領域ｐは「Ｒｐ」と表示される。ｐは整数である。複数の領域を持つ切り替え可能液晶パララックスバリアパネル２００は１０以上の領域を有することができる。複数の領域を持つ切り替え可能液晶パララックスバリアパネル２００は、９未満の領域を有することができる。より多くの領域を有することの第１の利点は、より高品質の３Ｄ画像を観察者に知覚させられる点である（すなわち、左眼９０Ｌに左画像を、右眼９０Ｒに右画像を向ける精度が高くなる。すなわち、３Ｄクロストークが少なくなる）。より多くの領域を有する第２の利点は、特に縦方向において、より大きな有効３Ｄ表示領域７０が可能になる点である。より少ない領域を有する利点は、裸眼立体表示装置１が簡素化する点にある（よりシンプルな駆動回路、よりシンプルな実装など）。２０ｃｍ〜３５ｃｍの範囲の表示幅ＡＤＤＷを有する裸眼立体表示装置１について、９つの領域の使用は、３Ｄ画像品質、有効３Ｄ表示領域サイズ、及び設計の簡素化でよいバランスを保つことが見出された。９つの領域の使用は、２０ｃｍ〜３５ｃｍの範囲の表示幅ＡＤＤＷ、５０ｃｍ〜６０ｃｍの範囲の最小視認距離Ｖｄ６０、及び８０ｃｍ〜１００ｃｍの範囲の最大視認距離Ｖｄ６２を有する裸眼立体表示装置１の好ましい折衷的な設計であることが見出された。奇数個の領域の使用は、裸眼立体表示装置１を見るときに、ユーザーの頭部位置が実質的に軸上の中心にある場合に有利であることが見出された。
【００７７】
複数の領域を持つ液晶パララックスバリアパネル２００は、液晶パララックスバリアパネル２０の新規タイプである。図１、図２、及び図３を参照して、複数の領域を持つ液晶パララックスバリアパネル２００の画像表示装置１０に対する位置は、液晶パララックスバリアパネル２０の位置と同じであってもよい。特段の言及がなければ、以降のすべての実施形態は、画像表示装置１０が裸眼立体表示装置１の表示側９０に配置される図２に関連して記載される。しかしながら、複数の領域を持つ液晶パララックスバリアパネル２０、２００が裸眼立体表示装置の表示側９０に配置されてもよい。
【００７８】
単一領域液晶パララックスバリアパネルは、独立してアドレス駆動可能な単一グループの電極を有する（例えば、図４に示すＥ１〜Ｅ１２）。当該独立してアドレス駆動可能な単一グループの電極は、表示領域ＡＤＤＷの全幅に亘って延びるように繰り返される。本発明に係る複数の領域を持つ液晶パララックスバリアパネル２０、２００は、少なくとも第１領域と、少なくとも第２領域と、を有する。上記第１領域は、独立してアドレス駆動可能な少なくとも第１グループを含む。上記第２領域は、独立してアドレス駆動可能な少なくとも第２グループを含む。第１領域の電極は、第２領域に係る電極からは独立してアドレス駆動される。一般に、複数の領域を持つ液晶パララックスバリアパネル２０、２００は複数の領域を有する。すなわち、複数の領域を持つパララックスバリアの各領域Ｒ１．．．Ｒ９はそれぞれ、本明細書に記載された複数の例のうちの１つの例に従って、独立してアドレス駆動可能な電極のグループを有する。例えば、それぞれの領域は、複数の電極部分を有する電極Ｅ１〜Ｅ１２を含んでよい。１つの領域中の電極は、パララックスバリアパネルの他の領域の電極からは独立してアドレス駆動可能である。
【００７９】
複数の領域を持つ液晶パララックスバリアパネル２０、２００における独立してアドレス駆動可能な電極の総数は、各領域における独立してアドレス駆動可能な電極の合計である。図１５及び図１６を参照して、独立してアドレス駆動可能な電極の数が各領域で同じであり、それが１２である場合、独立してアドレス駆動可能な電極の総数は１２×９＝１０８である。
【００８０】
上記第１領域に属する上記第１グループに係る独立してアドレス駆動可能な電極の部分は、画像表示装置１０に係る上記第１領域（ＷＲ１）の幅に亘って繰り返される。上記第２領域に属する上記第２グループに係る独立してアドレス駆動可能な電極の部分は、画像表示装置１０に係る上記第２領域（ＷＲ２）の幅に亘って繰り返される。その他の領域についても同様である。
【００８１】
より一般的には、独立してアドレス駆動可能な電極の数が各領域において同じである場合、各グループは独立してアドレス駆動可能な電極をｎ個含み、画像表示装置１０の第ｐの領域（ＷＲｐ）の幅に亘って延びるように、上記グループはｍ回繰り返される（つまり、電極はｍ個の部分を有する）。ここで、ｍは整数である。第１領域ＷＲ１の幅は、第２領域ＷＲ２の幅に等しくてもよいし、ほぼ等しくてもよいし、等しくなくてもよい。一般に、第ｐの領域ＷＲｐは、第ｐ＋１の領域ＷＲｐ＋１の幅に等しくてもよいし、ほぼ等しくてもよいし、等しくなくてもよい。ｐは１からｐまでの整数であり、ｐ個の領域が存在する。特段の言及がなければ、以降のすべての実施形態は、各領域の幅はほぼ同じであるものとする。ここで、２つの領域は互いに同じ幅を有し、ｍｐ（ここで、ｍｐは第ｐ番領域のｍの値）は各領域について同じ値を有してよい。
【００８２】
複数の領域を持つ液晶パララックスバリアパネルは、１つ以上のモードで動作可能である。あるモードでは、パララックスバリアパネルは、受信駆動信号に基づいて、ある領域の電極と他の領域の電極とにアドレス駆動する。ある領域の電極は、その領域の第１パララックスバリアアレイを規定する。他の領域の電極は、異なるパララックスバリアアレイを規定する。後述するように、例えば、図１３を参照して、表示パネルから観察者までのある視認距離に対して良好な３Ｄ画像品質が提供される。
【００８３】
さらに、パララックスバリアパネルは、同じパララックスバリアアレイがパネルの各領域に規定されるように、第２駆動信号に基づいて、パララックスバリアの領域内の電極をアドレス駆動してよい。以下に説明するように、例えば、図１３を参照して、一様なパララックスバリアアレイがパネル全体にわたって規定されているときに、最良の３Ｄ画像品質をもたらす視認距離が存在する（図１３の例では、視認距離は７３０ｍｍ）。
【００８４】
さらに、あるいは、パララックスバリアパネルは、結像機能を提供しないように、第３駆動信号に基づいて、パララックスバリアの領域内の電極をアドレス駆動してよい。そして、パララックスバリアパネルに関連する画像表示パネルは、従来の２Ｄ表示モードで動作することができる。
【００８５】
第１駆動信号及び第２駆動信号は、例えば、観察者とパネルとの距離を決定する（すなわち、視認距離を決定する）１または複数の位置センサからの入力を使用して得ることができる。パララックスバリアパネルの各領域におけるパララックスバリアの所望の構成は、図１３に示すように予め記憶された情報から決定されるか、毎回新たに計算され、それに応じて各領域の電極がアドレス駆動される。第３駆動信号は、例えば、２Ｄ表示モードが望ましいことを示す、入力表示信号又はユーザー入力から得られる。
【００８６】
図１２を参照して、切り替え可能な複数の領域を持つ液晶パララックスバリアパネル２００について、第１領域（例えば、領域１）と第２領域（例えば、領域２）との境界における独立してアドレス駆動可能な電極の概略的なレイアウトが示される。図１２は、図４又は図８のいずれかにより示される電極構成に関連して記載されている。明確な図示のため、基板、偏光板、ＬＣ配向層等は図１２には図示されていない。領域１は、独立してアドレス駆動可能な１２の電極を一つのグループ内に有し、それらはＲ１Ｅ１〜Ｒ１Ｅ１２とラベルが付されている。領域１の電極は、周期的な構成を有しており、電極Ｅ１は電極Ｅ２及び電極Ｅ６等に隣接する。領域１の電極は、周期的な構成を有しており、電極Ｅ７は電極Ｅ８及び電極Ｅ１２等に隣接する。領域２は、独立してアドレス駆動可能な１２の電極を一つのグループ内に有し、それらはＲ２Ｅ１〜Ｒ２Ｅ１２とラベルが付されている。領域２の電極は、周期的な構成を有しており、電極Ｅ１は電極Ｅ２及び電極Ｅ６等に隣接する。領域２の電極は、周期的な構成を有しており、電極Ｅ７は電極Ｅ８及び電極Ｅ１２等に隣接する。電極の周期的配置は、領域１と領域２との境界で維持されている。例えば、電極Ｅ７は常に電極Ｅ８及び電極Ｅ１２に隣接する。固有の電極ラベルはそれぞれ、独立してアドレス駆動可能な電極を意味する。図１２は、独立してアドレス駆動可能な２４個の電極を示す。
【００８７】
図４、図５、図６、図７及び図８を参照して、複数の領域を持つ液晶パララックスバリアパネル２００の所与の領域（Ｒ１、Ｒ２等）の電極配置は、液晶パララックスパネル２０と同じであってよい。第１領域に係る１グループに含まれる独立してアドレス駆動可能な電極の数は、第２領域に係る別のグループに含まれるアドレス駆動可能な電極の数と同じであってもよく、異なっていてもよい。一般に、領域ｐに含まれる独立にアドレス駆動可能な電極の数は、領域（ｐ＋１）に含まれる独立してアドレス駆動可能な電極の数と同じであってもよく、異なっていてもよい。別段の記載がない限り、以降のすべての実施形態について、各領域に属する各グループ内に含まれる独立してアドレス駆動可能な電極の数は、同じであり、例えば１２であるものとする（他のグループよりも電極数が少ない端部グループ（後述）を除く。）。
【００８８】
図５を参照して、複数の領域を持つ液晶パララックスバリアパネル２００の第１領域に関連する各電極の幅Ｗは、複数の領域を持つ液晶パララックスバリアパネル２００の第２領域に関連する各電極の幅と同じであってもよいし、ほぼ同じであってもよいし、異なっていてもよい。一般に、複数の領域を持つ液晶パララックスバリアパネル２００の領域ｐに関連する各電極の幅Ｗは、複数の領域を持つ液晶パララックスバリアパネル２００の領域ｐ＋１に関連する各電極の幅と同じであってもよいし、ほぼ同じであってもよいし、異なっていてもよい。ここで、ｐは整数である。別段の記載がない限り、以降のすべての実施形態について、複数の領域を持つ液晶パララックスバリアパネル２００の各領域における各電極の幅Ｗは同じであるものとする。
【００８９】
図５を参照して、複数の領域を持つ液晶パララックスバリアパネル２００の第１領域に係る各電極間のギャップＧは、複数の領域を持つ液晶パララックスバリアパネル２００の第２領域に係る各電極間のギャップと同じであってもよいし、ほぼ同じであってもよいし、異なっていてもよい。一般に、複数の領域を持つ液晶パララックスバリアパネル２００の第ｐ領域に係る各電極間のギャップＧは、複数の領域を持つ液晶パララックスバリアパネル２００の第ｐ＋１領域に係る各電極間のギャップと同じであってもよいし、ほぼ同じであってもよいし、異なっていてもよい。ここで、ｐは整数である。別段の記載がない限り、以降のすべての実施形態について、複数の領域を持つ液晶パララックスバリアパネル２００の各領域に係る各電極間のギャップＧは同じであるものとする。
【００９０】
図５を参照して、複数の領域を持つ液晶パララックスバリアパネル２００の第１領域に係る電極ピッチＥＰは、複数の領域を持つ液晶パララックスバリアパネル２００の第２領域に係る電極ピッチと同じであってもよいし、ほぼ同じであってもよいし、異なっていてもよい。一般に、複数の領域を持つ液晶パララックスバリアパネル２００の第ｐ領域に係る電極ピッチＥＰは、複数の領域を持つ液晶パララックスバリアパネル２００の第ｐ＋１領域に係る電極ピッチＥＰと同じであってもよいし、ほぼ同じであってもよいし、異なっていてもよい。ここで、ｐは整数である。別段の記載がない限り、以降のすべての実施形態について、複数の領域を持つ液晶パララックスバリアパネル２００の各領域に係る電極ピッチＥＰは同じであるものとする。
【００９１】
図１０を参照して、第１領域Ｒ１の第１基板２１上の周期的な電極レイアウトの例が示されている。電極（Ｅ７、Ｅ８、Ｅ９、Ｅ１０、Ｅ１１、Ｅ１２とラベルされた電極）は、表示領域の高さＡＤＤＨ全体に亘って延在している。グループピッチφが示されている。図１０は、第１領域Ｒ１の幅ＷＲ１を満たすためにグループピッチが３回繰り返されている様子を示す。実際には、第１領域の幅ＷＲ１を埋めるためにグループピッチはｍ１回繰り返されてよい。ｍ１は整数である（一般に、第ｐ領域の幅ＷＲｐを満たすためにグループピッチはｍｐ回繰り返される）。第１基板に係る電極は、ディスプレイ表示領域の外側に配置された電気配線（不図示）を介して駆動回路（不図示）に接続される。言い換えると、図１０は、第１領域に係る複数の第１電極を示す。当該複数の第１電極は、互いに独立してアドレス駆動可能である。当該複数の第１電極は、第１方向（ｙ方向）に沿って延び、かつ、第１方向とは異なる第２方向（ｘ方向）に沿って互いに横方向に離間する２以上の電極部を含む。上記複数の第１電極の電極部は周期的配置で構成されている。すなわち、図１０の電極部Ｅ１２は、同じ電極（第１２電極）の部分であり、図１０には不図示の導電配線部により電気的に接続されている。同様に、図１０の電極部Ｅ１１は、第１１電極の部分であり、互いに電気的に接続されている。
【００９２】
図１１を参照して、第１領域Ｒ１の第２基板２２上の周期的な電極レイアウトの例が示されている。電極（Ｅ１、Ｅ２、Ｅ３、Ｅ４、Ｅ５、Ｅ６とラベルされた電極）は、表示領域の高さＡＤＤＨ全体に亘って延在している。グループピッチφが示されている。図１０は、第１領域Ｒ１の幅ＷＲ１を満たすためにグループピッチが３回繰り返されている様子を示す。実際には、第１領域の幅ＷＲ１を埋めるためにグループピッチはｍ１回繰り返されてよい。ｍ１は整数である（一般に、第ｐ領域の幅ＷＲｐを満たすためにグループピッチはｍｐ回繰り返される）。第２基板に係る電極は、ディスプレイ表示領域の外側に配置された電気配線（不図示）を介して駆動回路（不図示）に接続される。言い換えると、図１１は、第１領域に係る複数の第１電極を示す。当該複数の第１電極は、互いに独立してアドレス駆動可能である。当該複数の第１電極は、第１方向（ｙ方向）に沿って延び、かつ、第１方向とは異なる第２方向（ｘ方向）に沿って互いに横方向に離間する２以上の電極部を含む。上記複数の第１電極の電極部は周期的配置で構成されている。すなわち、図１４の電極部Ｅ６は、同じ電極（第６電極）の部分であり、図１１には不図示の導電配線部により電気的に接続されている。同様に、図１１の電極部Ｅ５は、第５電極の部分であり、互いに電気的に接続されている。
【００９３】
図４、図５、図６、図７、図８、図１０及び図１１を参照して、第１基板２１に係る電極は、第２基板２２に係る電極から、電極ピッチの２分の１、すなわちＥＰ／２と等しいか、ほぼ等しい分だけオフセットされている。
【００９４】
所与の頭部位置に関する図１３を参照して、第１領域Ｒ１は、第１スリット位置番号を有するパララックスバリアを規定するようにアドレス駆動され、第２領域Ｒ２は、第２スリット位置番号を有するパララックスバリアを規定するようにアドレス駆動される。第１スリット位置番号は、第２スリット位置番号と同じであってもよい（すなわち、第１領域及び第２領域で同じパララックスバリア配列が規定される）。又は、第１スリット位置番号は第２スリット位置と異なっていてもよい（すなわち、第１領域及び第２領域で異なるパララックスバリア配列が規定される）。一般に、複数の領域を持つ液晶パララックスバリアパネル２０、２００の各領域（Ｒ１、Ｒ２等）のスリット位置番号は、独立して制御されてよい。すべての頭部位置に対して隣接領域のスリット位置番号が２以上のスリット位置番号によって異なることを要求されることがないように十分な領域数を有する複数の領域を持つ液晶パララックスバリアパネル２００を設計することが有利である。図９を参照して、スリット位置１は、スリット位置２及びスリット位置１２に隣接する。
【００９５】
図１３は、裸眼立体表示装置１からの距離が変化したときの、裸眼立体表示装置１の軸上の観察者に対する各領域（Ｒ１、Ｒ２等）のスリット位置番号を例示する（すなわち、観察者の頭部位置は、裸眼立体表示装置１の中央に位置し、横方向の位置が一定である。）。領域が図１６の行に従うスリット位置番号を有するパララックスバリアを含むようにディスプレイの領域を駆動すると、当該行に対応する表示装置からの距離に位置する観察者に対して高品質３Ｄを表示することができる。軸上の観察者は、位置ｘ＝０に位置すると考えることができ、中央表示部から左側は負のｘ位置であり、中央表示部から右側は正のｘ位置である。上述したように、従来の単一領域切替可能液晶パララックスバリアパネル２０のスリット位置番号は、横方向頭部位置の関数としてのみ変化する。対照的に、複数の領域を持つ液晶パララックスバリアパネル２００のスリット位置番号は、裸眼立体表示装置１のそのときの表示領域全体に亘って高品質３Ｄ画像を提供するために、横方向頭部位置及び／又は縦方向頭部位置の関数として変化する。図１３に示すように、スリット位置番号は、表示距離（すなわち、縦方向の頭部位置）が変化すると幾つかの領域に対して変化する。また、図示されるように、パララックスバリアパネルの各領域が同じスリット位置番号を有する１つの視認距離が存在する。このとき、当該視認距離に位置する観察者のためにアドレス駆動される（この例では視認距離７３０ｍｍ）。好ましくは、パララックスバリアパネルは、パララックスバリアパネルのすべての領域が設計視認距離において同じスリット位置番号を有するように構成される。この視認距離（Ｖｄ）は、方程式：φ＝２ＰＰ／Ｖｄ（Ｖｄ＋Ｓ／ｎ）を解くことによって選択される。この設計視認距離において、電極グループピッチφは、すべての領域に対して同じスリット位置番号が必要となるように選択される。第１近似では、左側への比較的僅かな横方向への頭部の動きに対して、図１３に示されるすべてのスリット位置番号は同じ量だけ減少する。第１近似では、右側への比較的僅かな横方向への頭部の動きに対して、図１３に示されるすべてのスリット位置番号は同じ量だけ増加する。図１３に示すように、軸上観察者の距離が設計視認距離から離れるにつれて、裸眼立体表示装置１の端部領域（すなわち、Ｒ１及びＲ９）のスリット位置番号が最初に変化する。さらに、上記軸上観察者が設計視認距離から離れるにつれて、裸眼立体表示装置１の端部領域のスリット位置番号の変化（Ｒ１及びＲ９）は中央領域（Ｒ５）に対して大きくなる。
【００９６】
図９、図１２及び図１３を参照して、隣接する２つの領域（例えば、Ｒ３及びＲ４）のスリット位置番号が同じである場合、隣接領域の境界に最も近いスリットの幅（例えば、Ｒ３とＲ４）は３×ＥＰに等しい。言い換えると、隣接領域のスリット位置番号が同じである場合、隣接領域のスリット位置に不連続性は存在しない。図１３を参照して、Ｒ４における視認距離５８０ｍｍのスリット位置番号は７であり、Ｒ３は８である。これは、隣接領域の境界に最も近く位置するスリットの幅は、（（３×ＥＰ）＋（ＥＰ／２））に等しいことを意味する。図１３を参照して、Ｒ４における視認距離９００ｍｍのスリット位置番号は７であり、Ｒ３は６である。これは、隣接領域の境界に最も近く位置するスリットの幅は、（（３×ＥＰ）−（ＥＰ／２））であることを意味する。設計視認距離から離れた位置に対して高品質３Ｄを表示（低クロストーク）可能なように２つの隣接領域の境界に最も近接して位置するスリットが最大幅（（３×ＥＰ）＋（ＥＰ／２））と最小幅（（３×ＥＰ）−（ＥＰ／２））を有することは利点であろう。
【００９７】
要求される領域数を決定するための第１の一般設計ルールは、分析的方法又は光学シミュレーションソフトウェア（光跡追跡法）を使用して、所望の視認距離範囲ＶｄＲに対して所望の高品質３Ｄ表示（低３Ｄクロストーク）を可能にするために必要となる最大領域幅（ＷＲｐの最大値）を決定することにある。裸眼立体表示装置１の幅ＡＤＤＷをＷＲｐの最大値で除算した値は、複数の領域を持つ液晶パララックスバリアパネル２００の必要な領域数をもたらす。要求される領域数を決定するための第２の一般設計ルールは、分析的方法又は光学シミュレーションソフトウェア（光跡追跡法）を使用して、隣接する２つの領域間のスリット位置番号を１より大きくする必要がないようにすることにある。例えば、Ｒ３のスリット位置番号が７の場合、Ｒ２のスリット位置番号は６又は７又は８のみとなる。言い換えると、隣接する２つの領域間のスリット位置の最大変化は、距離ＥＰ／２に等しい。横方向及び縦方向において所望の範囲に位置する頭部位置に対して高品質３Ｄ画像の表示が可能な複数の領域を持つ液晶パララックスバリアパネル２００を設計するために、第１及び第２の一般設計ルールは合わせて検討されてよい。
【００９８】
上記第１及び第２の一般設計ルールを満たすために光学シミュレーションソフトウェア（光跡追跡法）で用いられるパラメータとしては、最大視認距離Ｖｄ６２、最小視認距離Ｖｄ６０、設計視認距離Ｖｄ６１、画像パネルの幅ＡＤＤＷ及びＡＤＤＷ２、画像パネル１０のピクセルピッチＰＰ、画像パネルのｘ方向（第２方向）の画素開口幅、バリア幅ＢＲ、スリット幅ＳＬ、電極ピッチＥＰ、グループピッチφ（パララックスバリアピッチ）、及び独立してアドレス駆動可能な領域当たりの電極数を含む。光学シミュレーションに必要な他のパラメータは、画像表示パネルＬＣ層１３と複数の領域を持つ液晶パララックスバリアパネル２０、２００のＬＣ層２３との間の距離である。設計視認距離Ｖｄ６１は、最小視認距離Ｖｄ６０又は最大視認距離Ｖｄ６２と等しいか。設計視認距離Ｖｄ６１は、最小視認距離Ｖｄ６０と最大視認距離Ｖｄ６２との間であってよい。
【００９９】
リアバリア型（図２参照）の裸眼立体表示装置１の第１例は次のとおりである。最大視認距離（Ｖｄ６２）＝９００ｍｍ、最小視認距離（Ｖｄ６０）＝５８０ｍｍ、設計視認距離（Ｖｄ６１）＝７４０ｍｍ、ｘ方向における画像表示パネル１０のピクセルピッチｐｐ＝５０.７μｍ、画像パネルの幅ＡＤＤＷ、ＡＤＤＷ２＝５７６０×５０．７μｍ＝２９２.０３２ｍｍ、ｘ方向の画素開口２１μｍ（すなわち、画素ピッチＰＰは、透過する開口部及び非透過部を含む）、バリア幅ＢＲ＝５０.７４２μｍ、スリット幅ＳＬ＝５０.７４２μｍ、グループピッチφ（パララックスバリアピッチ）＝１０１.４８４μｍ、図４に示す、領域ごとに独立してアドレス駆動可能な１２個の電極。画像表示パネルＬＣ層１３から複数の領域を持つ液晶パララックスバリアパネル２０、２００のＬＣ層２３までの距離は０.９２ｍｍであった。シミュレーション結果によると、裸眼立体表示装置１の第１例は、均等に間隔を置いた領域が５個から１３個必要であり、さらに最適化された設計によると、均等に間隔を置いた領域が７個から１１個必要であった。第１実施例に係る裸眼立体表示装置１は、等間隔に置かれた９つの領域（Ｒ１〜Ｒ９）を備えるものであった。裸眼立体表示装置１の第１例は、ｘ方向にピクセル５７６０個、ｙ方向にピクセル１０８０個を有していた。したがって、各領域（Ｒ１〜Ｒ９）は、実質的に（２有効数字内で）６４０画像表示パネルピクセル（すなわち、ＷＲｐ＝６４０×５０.７μｍ、ｐは１〜９の整数）の幅であった。カラーアーチファクトの問題を避けるためにｘ方向のピクセルは同じ色を有していた。ｙ方向は、赤、緑、青のピクセルが周期的に配置されており、その３つの色で白の画素を形成していた。ｘ方向のピクセルピッチは幅５０.７μｍであった。ｙ方向の各カラーピクセルは長さ３３.８μｍであった。したがって、画像表示パネル１０の白の画素は、ｘ方向（第２方向）に５０.７μｍ、ｙ方向（第１方向）に１０１.４μｍであった。この第１例では、領域ごとに独立してアドレス駆動可能な１２個の電極を有する９つの領域を使用する設計であった。この設計は、電極レイアウトの複雑さが相対的に低く、比較的広範囲の頭部位置に対して高品質３Ｄ画像の表示が可能という、良好な設計上のトレードオフが認められた。
【０１００】
リアバリア型（図２参照）の裸眼立体表示装置１の第２例は次のとおりである。最大視認距離（Ｖｄ６２）＝９００ｍｍ、最小視認距離（Ｖｄ６０）＝５８０ｍｍ、設計視認距離（Ｖｄ６１）＝７４０ｍｍ、ｘ方向における画像表示パネル１０のピクセルピッチｐｐ＝９３．７５μｍ、画像パネルの幅ＡＤＤＷ、ＡＤＤＷ２＝２５６０×９３．７５μｍ＝２４０ｍｍ、ｘ方向の画素開口５２．７５μｍ（すなわち、画素ピッチＰＰは、透過する開口部及び非透過部を含む）、バリア幅ＢＲ＝９３．８９１μｍ、スリット幅ＳＬ＝９３．８９１μｍ、グループピッチφ（パララックスバリアピッチ）＝１８７．７８２μｍ、図４に示す、領域ごとに独立してアドレス駆動可能な１２個の電極。画像表示パネルＬＣ層１３から複数の領域を持つ液晶パララックスバリアパネル２０、２００のＬＣ層２３までの距離は１．７ｍｍであった。シミュレーション結果によると、裸眼立体表示装置１の第２例は、均等に間隔を置いた領域が５個から１１個必要であり、さらに最適化された設計によると、均等に間隔を置いた領域が７個から９個必要であった。第２実施例に係る裸眼立体表示装置１は、等間隔に置かれた９つ（２有効数字内で）の領域（Ｒ１〜Ｒ９）を備えるものであった。裸眼立体表示装置１の第２例は、ｘ方向にピクセル２５６０個、ｙ方向にピクセル５４２個を有していた。領域Ｒ５（中央領域）は、ほぼ（有効数字２桁以内に）２８８の画像表示パネルピクセル（すなわち、ＷＲ５＝２８８×９３．７５μｍ）の幅を有し、残りの領域（Ｒ１、Ｒ２、Ｒ３、Ｒ４、Ｒ６、Ｒ７、Ｒ８、Ｒ９）はそれぞれ、ほぼ（有効数字２桁以内に）２８４の画像表示パネルピクセル（ＷＲ１＝ＷＲ２＝ＷＲ３＝ＷＲ４＝ＷＲ６＝ＷＲ７＝ＷＲ８＝ＷＲ９＝２８４×９３．７５μｍ）の幅を有していた。カラーアーチファクトの問題を避けるためにｘ方向のピクセルは同じ色を有していた。ｙ方向は、赤、緑、青のピクセルが周期的に配置されており、その３つの色で白の画素を形成していた。ｘ方向のピクセルピッチは幅９３．７５μｍであった。ｙ方向の各カラーピクセルは長さ６２．５μｍであった。したがって、画像表示パネル１０の白の画素は、ｘ方向（第２方向）に９３．７５μｍ、ｙ方向（第１方向）に１８７．５μｍであった。この第２例では、領域ごとに独立してアドレス駆動可能な１２個の電極を有する９つの領域を使用する設計であった。この設計は、電極レイアウトの複雑さが相対的に低く、比較的広範囲の頭部位置に対して高品質３Ｄ画像の表示が可能という、良好な設計上のトレードオフが認められた。
【０１０１】
図１３を参照して、所定の横方向及び縦方向の頭部位置（ｘ、ｚ）に対して、各領域は関連するスリット位置番号を有する。所与の頭部位置（ｘ、ｚ）についてのスリット位置番号のセットを、以後、スリットパターン又はバリアパターンと称する。所与の頭部位置（ｘ、ｚ）のスリットパターンは、独立してアドレス駆動可能な電極群ごとに各領域のスリット位置番号を規定する。例えば、図１３を参照して、頭部位置ｘ＝０ｍｍ、ｚ＝５８０ｍｍのスリットパターンは、９、８、８、７、７、７、６、６、５である。スリットパターンは、複数の領域を持つ液晶パララックスバリアパネル２０、２００の各電極の電極状態（ＯＮまたはＯＦＦ）を決定する。高品質３Ｄ画像の最適な表示（低３Ｄクロストーク）を可能にするスリットパターンは、分析的アプローチ及び／又は光学シミュレーションソフトウェア（光跡追跡法）及び／又は実験により確定する。最適なスリットパターンを決定するために実験を使用することは、裸眼立体表示装置１における構成誤差を排除するうえで有利である。換言すれば、最適なスリットパターンの決定のための実験の使用が、裸眼立体表示装置１の較正に用いられる。
【０１０２】
図１３を参照して、所定の横方向及び縦方向の頭部位置（ｘ、ｚ）に対して、領域１は、領域２のスリット位置番号よりも大きい、小さい、又は同じスリット位置番号を有する。領域１のスリット位置番号が領域２のスリット位置番号と等しくない場合、高品質３Ｄ画像を表示するために、スリット位置番号の差異は決して１よりも大きくならないことが好ましい。一般に、複数の領域を持つ液晶パララックスバリアパネル２００は、すべての頭部位置に対して、隣接する領域間のスリット位置番号の差異が１よりも大きくならないように設計される。特段の記載がない限り、以降のすべての実施形態について、隣接する領域間のスリット位置番号の差異は１よりも大きくないものとする。
【０１０３】
図１７では、領域１においてスリット位置番号２を有するパララックスバリアが規定されるように領域１がアドレス駆動され（簡潔性のため、概して、「スリット位置２を有する」と短縮される）、領域２がスリット位置番号３を有する状況を検討する。領域１に係る電極グループ（Ｒ１Ｅ１〜Ｒ１Ｅ１２）は、領域１の幅に亘って複数回繰り返される。領域２に係る電極グループ（Ｒ２Ｅ１〜Ｒ２Ｅ１２）は、領域２の幅に亘って複数回繰り返される。図面の明瞭性のため、図１７では、領域１と領域２との境界付近の電極のみが示される。領域１と領域２との境界が実線で記載される。図９を参照して、電極Ｅ５、Ｅ４、及びＥ３がオンとなり、領域１においてバリアが形成される（スリット番号２を有する）。図９を参照して、電極Ｅ１２、Ｅ１１、及びＥ１０がオンとなり、領域２においてバリアが形成される（スリット番号３を有する）。図１７を参照して、電極それぞれの幅が１．０ユニット幅と考えられる場合（図面の明瞭性のため、電極間ギャップは無視される）、領域１のバリア幅は３．０ユニット幅（ＢＲＷ＝３．０）であり、領域２のバリア幅は３．０ユニット幅（ＢＲＷ＝３．０）である。領域１のスリットの大部分は３．０ユニット幅（ＳＬＷ＝３．０）であり、領域２のスリットの大部分は３．０ユニット幅である。しかしながら、領域１及び領域２の境界近くに、又は、領域１及び領域２の境界に跨って位置する単一スリット２．５ユニット幅（ＳＬＷ＝２．５）が存在する。図１７には、領域１と領域２との境界に跨って存在するスリット２．５ユニット幅が示される。人間の目は、他の点では通常パターンである中に存在する変化に対して極めて明敏であり、それゆえ、不規則なスリット幅２．５ユニット（ＳＬＷ＝２．５）を視認しうる。不規則なスリット幅を視認すると、３Ｄ画像品質に対する観察者の印象が低下しうる。一般に、領域ｐがスリット位置番号ｉを有し、領域ｐ＋１がスリット位置番号ｉ＋１を有する任意の隣接領域間についても同様のことが当てはまる。ここで、ｐ及びｉは整数である。
【０１０４】
図１８を参照して、領域１がスリット番号４を有し、領域２がスリット番号３を有する状況を検討する。領域１に係る電極グループ（Ｒ１Ｅ１〜Ｒ１Ｅ１２）は、領域１の幅に亘って複数回繰り返される。領域２に係る電極グループ（Ｒ２Ｅ１〜Ｒ２Ｅ１２）は、領域２の幅に亘って複数回繰り返される。図面の明瞭性のため、図１８では、領域１と領域２との境界付近の電極のみが示される。領域１と領域２との境界が実線で記載される。図９を参照して、電極Ｅ６、Ｅ５、及びＥ４がオンとなり、領域１においてバリアが形成される。図９を参照して、電極Ｅ１２、Ｅ１１、及びＥ１０がオンとなり、領域２においてバリアが形成される。電極それぞれの幅が１．０ユニット幅（図面の明瞭性のため、電極間ギャップは無視される）と考えられる場合、領域１のバリア幅は３．０ユニット幅（ＢＲＷ＝３．０）であり、領域２のバリア幅は３．０ユニット幅（ＢＲＷ＝３．０）である。領域１のスリットの大部分は３．０ユニット幅（ＳＬＷ＝３．０）であり、領域２のスリットの大部分は３．０ユニット幅である。しかしながら、領域１及び領域２の境界近くに、又は、領域１及び領域２の境界に跨って位置する単一スリット３．５ユニット幅（ＳＬＷ＝３．５）が存在する。図１８には、領域１と領域２との境界に跨って存在するスリット３．５ユニット幅が示される。人間の目は、他の点では通常パターンである中に存在する変化に対して極めて明敏であり、それゆえ、不規則なスリット幅３．５ユニット（ＳＬＷ＝３．５）を視認しうる。不規則なスリット幅を視認すると、３Ｄ画像品質に対する観察者の印象が低下しうる。一般に、領域ｐがスリット位置番号ｉを有し、領域ｐ＋１がスリット位置番号ｉ＋１を有する任意の隣接領域間についても同様のことが当てはまる。ここで、ｐ及びｉは整数である。
【０１０５】
図１９を参照して、領域１がスリット番号６を有し、領域２がスリット番号５を有する状況を検討する。領域１に係る電極グループ（Ｒ１Ｅ１〜Ｒ１Ｅ１２）は、領域１の幅に亘って複数回繰り返される。領域２に係る電極グループ（Ｒ２Ｅ１〜Ｒ２Ｅ１２）は、領域２の幅に亘って複数回繰り返される。図面の明瞭性のため、図１９では、領域１と領域２との境界付近の電極のみが示される。領域１と領域２との境界が実線で記載される。図９を参照して、電極Ｅ１、Ｅ６、及びＥ５がオンとなり、領域１においてバリアが形成される。図９を参照して、電極Ｅ７、Ｅ１２、及びＥ１１がオンとなり、領域２においてバリアが形成される。電極それぞれの幅が１．０ユニット幅（図面の明瞭性のため、電極間ギャップは無視される）と考えられる場合、領域１のバリア幅の大部分は３．０ユニット幅（ＢＲＷ＝３．０）であり、領域２のバリア幅の大部分は３．０ユニット幅（ＢＲＷ＝３．０）である。しかしながら、領域１と領域２との間には、以下の構成を含むスリット（ＳＬ）とバリア（ＢＲ）の組み合わせが存在する。その構成とは、バリア幅２．０ユニット（ＢＲＷ＝２．０）にスリット幅０．５ユニット（ＳＬＷ＝０．５）が隣接し、そのスリット幅０．５ユニット（ＳＬＷ＝０．５）にバリア幅１．０ユニット（ＢＲＷ＝１．０）が隣接する、というものである。人間の目は、他の点では通常パターンである中に存在する変化に対して極めて明敏であり、それゆえ、領域１と領域２との境界に跨るスリット幅及びバリア幅の不規則パターンを視認しうる。不規則なスリット幅を視認すると、３Ｄ画像品質に対する観察者の印象が低下しうる。一般に、領域ｐと領域ｐ＋１とラベルされた任意の隣接領域間に対して同様のことが当てはまる。ここで、ｐは整数である。
【０１０６】
図２０及び図２１を参照して、複数の領域を持つ液晶パララックスバリアパネル２００における２つの隣接する領域間に位置するサブ領域を使用すると、観察者から、図１９で説明するラインアーチファクトの問題を弱めることが分かった。ラインアーチファクトを弱めることにより知覚される３Ｄ画像品質が改善するという利点が得られる。サブ領域１（ＳＲ１）は、領域１（Ｒ１）と領域２（Ｒ２）との間に位置し、サブ領域２（ＳＲ２）は、領域２（Ｒ２）と領域３（Ｒ３）との間に位置する。一般に、サブ領域ｐ（ＳＲｐ）は、領域ｐ（Ｒｐ）と領域ｐ＋１（Ｒｐ＋１）の間に位置する。ｐは整数である。サブ領域を表示するときにインデックスｐが１とＰ−１との間の整数値を取り、領域を表示するときにインデックスｐが１とＰの間の整数値を取るように（Ｐ個の領域とＰ−１個のサブ領域をもたらす）、サブ領域は領域よりも１つ少ないのがよい。後ほど詳細に説明するように、サブ領域ｐは補償領域として機能する。これは、サブ領域ｐが、完全に又は部分的に、領域ｐにおけるパララックスバリアアレイと領域（ｐ＋１）におけるパララックスバリアアレイとの間の任意の不連続性を補償するためである。
【０１０７】
サブ領域（ＳＲ１、ＳＲ２、ＳＲ３、ＳＲ４、ＳＲ５、ＳＲ６、ＳＲ７、ＳＲ８）はそれぞれ、独立してアドレス駆動可能な電極を含む。ｐを整数として、サブ領域ｐ（ＳＲｐ）に係る電極は、他のサブ領域における電極からは独立してアドレス駆動される。ｐを整数として、サブ領域ｐ（ＳＲｐ）に係る電極は、すべての領域Ｒｐにおける電極からは独立してアドレス駆動される。ｐを整数として、サブ領域ｐ（ＳＲｐ）の幅はＷＳＲｐと表示される。
【０１０８】
図２２を参照して、少なくとも第１領域（領域１）と、少なくとも第２領域（領域２）、及び少なくとも第１サブ領域（サブ領域１）とを含む複数の領域を持つ液晶パララックスバリアパネル２００における電極構成が例示される。この例において、第１サブ領域（サブ領域１）は、第１領域（領域１）と第２領域（領域２）との間に隣接して位置する。それぞれの独自にラベル付けされた電極は独立してアドレス駆動可能な電極である。例えば、電極Ｒ１Ｅ１２は電極ＳＲ１Ｅ１２からは独立してアドレス駆動可能である。電極Ｒ１Ｅ１２は電極Ｒ２Ｅ１２からは独立してアドレス駆動可能である。電極ＳＲ１Ｅ１２は電極Ｒ２Ｅ１２からは独立してアドレス駆動可能である。領域１は、１２個の独立してアドレス駆動可能な電極Ｒ１Ｅ１、Ｒ１Ｅ２、Ｒ１Ｅ３、Ｒ１Ｅ４、Ｒ１Ｅ５、Ｒ１Ｅ６、Ｒ１Ｅ７、Ｒ１Ｅ８、Ｒ１Ｅ９、Ｒ１Ｅ１０、Ｒ１Ｅ１１、Ｒ１Ｅ１２を含む。領域２は、１２個の独立してアドレス駆動可能な電極Ｒ２Ｅ１、Ｒ２Ｅ２、Ｒ２Ｅ３、Ｒ２Ｅ４、Ｒ２Ｅ５、Ｒ２Ｅ６、Ｒ２Ｅ７、Ｒ２Ｅ８、Ｒ２Ｅ９、Ｒ２Ｅ１０、Ｒ２Ｅ１１、Ｒ２Ｅ１２を含む。サブ領域１は、８個の独立してアドレス駆動可能な電極ＳＲ１Ｅ１、ＳＲ１Ｅ２、ＳＲ１Ｅ５、ＳＲ１Ｅ６、ＳＲ１Ｅ７、ＳＲ１Ｅ８、ＳＲ１Ｅ１１、Ｒ１Ｅ１２を含む。図２２中の独立してアドレス駆動可能な電極の総数は３２（１２＋８＋１２）である。領域１における１２個の独立してアドレス駆動可能な電極が領域１の幅をカバーするために繰り返される電極の１グループを構成する。しかしながら、領域１の右端に位置する電極の最後のグループは、電極Ｅ１、Ｅ２、Ｅ７及びＥ８を含まない。領域２における１２個の独立してアドレス駆動可能な電極が領域２の幅をカバーするために繰り返される電極の１グループを構成する。しかしながら、領域２の左端に位置する電極の最後のグループは、電極Ｅ５、Ｅ６、Ｅ１１及びＥ１２を含まない。サブ領域１における８個の独立してアドレス駆動可能な電極は、電極の１グループを構成する。理解の容易のため、電極ＳＲ１Ｅ１、ＳＲ１Ｅ２、ＳＲ１Ｅ７、及びＳＲ１Ｅ８は、領域１の右端における最後のグループから喪失した４つの電極と考えてよい。しかしながら、領域１に係る電極からは独立してアドレス駆動可能である。理解の容易のため、電極ＳＲ１Ｅ５、ＳＲ１Ｅ６、ＳＲ１Ｅ１１、及びＳＲ１Ｅ１２は、領域２の左端における最後のグループから喪失した４つの電極と考えてよい。しかしながら、領域２に係る電極からは独立してアドレス駆動可能である。領域１とサブ領域１との境界は実線で示される。領域２とサブ領域１との境界は実線で示される。換言すると、複数の領域を持つ液晶パララックスバリアパネル２００の第１補償領域（サブ領域としても知られる）は、電気光学材料をアドレス駆動するための複数の電極を有し、第１補償領域の電極は第１方向（ｙ方向）に延び、互いに独立してアドレス駆動可能であり、かつ、第１電極及び第２電極から独立してアドレス駆動可能であり、第１補償領域は、第１領域と第２領域の間に位置する。
【０１０９】
サブ領域１に係る電極は、図１９に示す特定のラインアーチファクトを排除するためにアドレス駆動されてよい。一般に、サブ領域１に係る電極は、領域１が第１スリット位置番号を有し、第２領域が第１スリット位置番号とは異なる第２スリット位置番号を有するときに、領域１と領域２との間に生じうるラインアーチファクトの視認性を減ずるために（つまり、少なくとも部分的に弱めるために）アドレス駆動されてよい。
【０１１０】
リアバリア型（図２参照）の裸眼立体表示装置１の第３例は次のとおりである。最大視認距離（Ｖｄ６２）＝９００ｍｍ、最小視認距離（Ｖｄ６０）＝５８０ｍｍ、設計視認距離（Ｖｄ６１）＝７４０ｍｍ、ｘ方向における画像表示パネル１０のピクセルピッチｐｐ＝５０．７μｍ、画像パネルの幅ＡＤＤＷ、ＡＤＤＷ２＝５７６０×５０．７μｍ＝２９２．０３２ｍｍ、ｘ方向の画素開口２１μｍ（すなわち、画素ピッチＰＰは、透過する開口部及び非透過部を含む）、バリア幅ＢＲ＝５０．７４２μｍ、スリット幅ＳＬ＝５０．７４２μｍ、グループピッチφ（パララックスバリアピッチ）＝１０１．４８４μｍ、領域ごとに独立してアドレス駆動可能な１２個の電極、サブ領域ごとに独立してアドレス駆動可能な８個の電極。画像表示パネルＬＣ層１３から複数の領域を持つ液晶パララックスバリアパネル２０、２００のＬＣ層２３までの距離は０．９２ｍｍであった。シミュレーション結果によると、裸眼立体表示装置１の第３例は、均等に間隔を置いた領域が５個から１３個必要であり、さらに最適化された設計によると、均等に間隔を置いた領域が７個から１１個必要であった。裸眼立体表示装置１の第３例は、ｘ方向にピクセル５７６０個、ｙ方向にピクセル１０８０個を有していた。第３実施例に係る裸眼立体表示装置１は、９つの領域（Ｒ１〜Ｒ９）と８つのサブ領域（ＳＲ１〜ＳＲ８）により製造されていた。この第３例における電極部分の総数は、第１例における電極部分の総数と同じであった。しかしながら、この第３例は、追加的な８つのサブ領域（又は、８つの補償領域）を備え、それぞれのサブ領域には独立してアドレス駆動可能な８つの電極を含む。これらの８つのサブ領域それぞれの独立してアドレス駆動可能な８つの電極は、領域１から領域９それぞれの端部における電極部分から得られたものである。第３例における領域１及び領域９は、対応する第１例における領域１及び領域９よりも電極部分が４つ少ない。第３例における領域２、３、４、５、６、７、８は、対応する第１例における領域２、３、４、５、６、７、８よりも電極部分が８つ少ない。
【０１１１】
第３例で記載する領域１（ＷＲ１）の幅は、先述した第１例における領域１の幅とほぼ同じである。より正確に、第３例で記載する領域１（ＷＲ１）の幅は、第１例における領域１（ＷＲ１）の幅よりも僅かに小さい。これは、第１例の領域１の右端における４つの電極部分が、この第３例の領域１に存在しないためである。これら４つの電極は、サブ領域１の左端に属し、第３例における領域１及び領域２からは独立して制御される。
【０１１２】
第３例で記載する領域９（ＷＲ９）の幅は、先述した第１例における領域９の幅とほぼ同じである。より正確に、第３例で記載する領域９（ＷＲ９）の幅は、第１例における領域９（ＷＲ９）の幅よりも僅かに小さい。これは、第１例の領域９の左端における４つの電極部分が、この第３例の領域９に存在しないためである。これら４つの電極は、サブ領域８の左端に属し、第３例における領域８及び領域９からは独立して制御される。
【０１１３】
第３例で記載する領域２（ＷＲ２）の幅は、先述した第１例における領域２の幅とほぼ同じである。より正確に、第３例で記載する領域２（ＷＲ２）の幅は、第１例における領域２（ＷＲ２）の幅よりも僅かに小さい。これは、第１例の領域２の左端における４つの電極部分が第３例の領域２に存在しないためであり、かつ、第１例の領域２の右端における４つの電極部分が第３例の領域２に存在しないためである。第１例の領域２の左端における４つの電極部分はサブ領域１の右端に属し、領域１及び領域２からは独立して制御される。第１例の領域２の右端における４つの電極部分はサブ領域２の左端に属し、領域２及び領域３からは独立して制御される。第３例の領域３、４、５、６、７、８の幅は、領域２について先述したのと同様の構成に従う。
【０１１４】
第３例において、カラーアーチファクトの問題を避けるためにｘ方向のピクセルは同じ色を有していた。ｙ方向は、赤、緑、青のピクセルが周期的に配置されており、その３つの色で白の画素を形成していた。ｘ方向のピクセルピッチは幅５０.７μｍであった。ｙ方向の各カラーピクセルは長さ３３.８μｍであった。したがって、画像表示パネル１０の白の画素は、ｘ方向（第２方向）に５０.７μｍ、ｙ方向（第１方向）に１０１.４μｍであった。この第３例では、領域ごとに独立してアドレス駆動可能な１２個の電極を有する９つの領域を使用し、かつ、サブ領域ごとに独立してアドレス駆動可能な８個の電極を有する８つのサブ領域を使用する設計であった。この設計は、電極レイアウトの複雑さが相対的に低く、比較的広範囲の頭部位置に対して高品質３Ｄ画像の表示が可能という、良好な設計上のトレードオフが認められた。
【０１１５】
リアバリア型（図２参照）の裸眼立体表示装置１の第４例は次のとおりである。最大視認距離（Ｖｄ６２）＝９００ｍｍ、最小視認距離（Ｖｄ６０）＝５８０ｍｍ、設計視認距離（Ｖｄ６１）＝７４０ｍｍ、ｘ方向における画像表示パネル１０のピクセルピッチｐｐ＝９３．７５μｍ、画像パネルの幅ＡＤＤＷ、ＡＤＤＷ２＝２５６０×９３．７５μｍ＝２４０ｍｍ、ｘ方向の画素開口５２．７５μｍ（すなわち、画素ピッチＰＰは、透過する開口部及び非透過部を含む）、バリア幅ＢＲ＝９３．８９１μｍ、スリット幅ＳＬ＝９３．８９１μｍ、グループピッチφ（パララックスバリアピッチ）＝１８７．７８２μｍ、画像表示パネルＬＣ層１３から複数の領域を持つ液晶パララックスバリアパネル２０、２００のＬＣ層２３までの距離は１．７ｍｍであった。シミュレーション結果によると、裸眼立体表示装置１の第４例は、均等に間隔を置いた領域が５個から１１個必要であり、さらに最適化された設計によると、均等に間隔を置いた領域が７個から９個必要であった。裸眼立体表示装置１の第４例は、ｘ方向にピクセル２５６０個、ｙ方向にピクセル５４２個を有していた。第３実施例に係る裸眼立体表示装置１は、９つの領域（Ｒ１〜Ｒ９）と８つのサブ領域（ＳＲ１〜ＳＲ８）により製造されていた。この第４例における電極部分の総数は、第２例における電極部分の総数と同じであった。しかしながら、この第４例は、追加的な８つのサブ領域を備え、それぞれのサブ領域には独立してアドレス駆動可能な８つの電極を含む。これらの８つのサブ領域それぞれの独立してアドレス駆動可能な８つの電極は、領域１から領域９それぞれの端部における電極部分から得られたものである。第４例における領域１及び領域９は、対応する第２例における領域１及び領域９よりも電極部分が４つ少ない。第４例における領域２、３、４、５、６、７、８は、対応する第２例における領域２、３、４、５、６、７、８よりも電極部分が８つ少ない。
【０１１６】
第４例で記載する領域１（ＷＲ１）の幅は、先述した第２例における領域１の幅とほぼ同じである。より正確に、第４例で記載する領域１（ＷＲ１）の幅は、第２例における領域１（ＷＲ１）の幅よりも僅かに小さい。これは、第２例の領域１の右端における４つの電極部分が、この第４例の領域１に存在しないためである。これら４つの電極は、サブ領域１の左端に属し、第４例における領域１及び領域２からは独立して制御される。
【０１１７】
第４例で記載する領域９（ＷＲ９）の幅は、先述した第２例における領域９の幅とほぼ同じである。より正確に、第４例で記載する領域９（ＷＲ９）の幅は、第２例における領域９（ＷＲ９）の幅よりも僅かに小さい。これは、第２例の領域９の左端における４つの電極部分が、この第４例の領域９に存在しないためである。これら４つの電極は、サブ領域８の右端に属し、第４例における領域８及び領域９からは独立して制御される。
【０１１８】
第４例で記載する領域２（ＷＲ２）の幅は、先述した第２例における領域２の幅とほぼ同じである。より正確に、第４例で記載する領域２（ＷＲ２）の幅は、第２例における領域２（ＷＲ２）の幅よりも僅かに小さい。これは、第２例の領域２の左端における４つの電極部分が第４例の領域２に存在しないためであり、かつ、第２例の領域２の右端における４つの電極部分が第４例の領域２に存在しないためである。第２例の領域２の左端における４つの電極部分はサブ領域１の右端に属し、領域１及び領域２からは独立して制御される。第２例の領域２の右端における４つの電極部分はサブ領域２の左端に属し、領域２及び領域３からは独立して制御される。第４例の領域３、４、５、６、７、８の幅は、領域２について先述したのと同様の構成に従う。
【０１１９】
第４例において、カラーアーチファクトの問題を避けるためにｘ方向のピクセルは同じ色を有していた。ｙ方向は、赤、緑、青のピクセルが周期的に配置されており、その３つの色で白の画素を形成していた。ｘ方向のピクセルピッチは幅９３．７５μｍであった。ｙ方向の各カラーピクセルは長さ６２．５μｍであった。したがって、画像表示パネル１０の白の画素は、ｘ方向（第２方向）に９３．７５μｍ、ｙ方向（第１方向）に１８７．５μｍであった。この第４例では、領域ごとに独立してアドレス駆動可能な１２個の電極を有する９つの領域を使用し、かつ、サブ領域ごとに独立してアドレス駆動可能な８個の電極を有する８つのサブ領域を使用する設計であった。この設計は、電極レイアウトの複雑さが相対的に低く、比較的広範囲の頭部位置に対して高品質３Ｄ画像の表示が可能という、良好な設計上のトレードオフが認められた。
【０１２０】
図８、図１２、及び図２２を参照して、特定の電極がいずれの領域に属するかに関係なく、第２基板２２に係る電極Ｅ１、Ｅ２、Ｅ３、Ｅ４、Ｅ５、及びＥ６の周期的配置と同じ配置がディスプレイ幅（ＡＤＤＷ、ＡＤＤＷ２）に亘って保持されている。例えば、電極Ｅ２はいつも電極Ｅ３及び電極Ｅ１に隣り合う。電極Ｅ２及び電極Ｅ３は、同じ領域（例えば領域Ｒ１）に位置してもよいし、電極Ｅ２及び電極Ｅ３は、異なる領域に位置してもよい。例えば、電極Ｅ２はサブ領域１に位置し、電極３は領域１に位置する。図８、図１２、及び図２２を参照して、電極の周期的配置により、電極Ｅ１は常に電極Ｅ６及び電極Ｅ２に隣り合う。
【０１２１】
図８、図１２、及び図２２を参照して、特定の電極がいずれの領域に属するかに関係なく、第１基板２１に係る電極Ｅ７、Ｅ８、９、Ｅ１０、Ｅ１１、及びＥ１２の周期的配置と同じ配置がディスプレイ幅（ＡＤＤＷ、ＡＤＤＷ２）に亘って保持されている。例えば、電極Ｅ８は常に電極Ｅ７及び電極Ｅ９に隣り合う。電極Ｅ７及び電極Ｅ９は、同じ領域（例えば領域Ｒ１）に位置してもよいし、電極Ｅ７及び電極Ｅ９は、異なる領域に位置してもよい。例えば、電極Ｅ７はサブ領域１に位置し、電極９は領域１に位置する。図８、図１２、及び図２２を参照して、電極の周期的配置により、電極Ｅ７はいつも電極Ｅ８及び電極Ｅ１２に隣り合う。
【０１２２】
図２３を参照して、領域１がスリット番号４を有し、領域２がスリット番号４を有する状況を検討する。領域１に係る電極グループ（Ｒ１Ｅ１〜Ｒ１Ｅ１２）は、領域１の幅に亘って周期的に複数回繰り返される。領域２に係る電極グループ（Ｒ２Ｅ１〜Ｒ２Ｅ１２）は、領域２の幅に亘って周期的に複数回繰り返される。サブ領域１（ＳＲ１Ｅ１、ＳＲ１Ｅ２、ＳＲ１Ｅ７、ＳＲ１Ｅ８、ＳＲ１Ｅ５、ＳＲ１Ｅ６、ＳＲ１Ｅ１１、ＳＲ１Ｅ１２）に係る電極グループもまた示されている。領域１の右端における電極グループは電極Ｅ１、Ｅ２、Ｅ７、及びＥ８を含まない。これらの電極は、サブ領域１に含まれる。領域２の左端における電極グループは電極Ｅ５、Ｅ６、Ｅ１１、及びＥ１２を含まない。これらの電極は、サブ領域１に含まれる。図面の明瞭性のため、図２３はサブ領域１に近い電極のみが示される。領域１とサブ領域１との境界が実線で示される。領域２とサブ領域１との境界が実線で示される。図９を参照して、電極Ｅ６、Ｅ５、及びＥ４がオンとなり、領域１においてバリアが形成される（スリット番号４を有する）。図９を参照して、電極Ｅ６、Ｅ５、及びＥ４がオンとなり、領域２においてバリアが形成される（スリット番号４を有する）。電極Ｅ５、及びＥ６がオンとなり、サブ領域１においてバリアが形成される。図２３を参照して、部分的にサブ領域１に、部分的に領域２に位置する連続的なバリアが存在する。それぞれの電極の幅が１．０ユニット幅と考えられる場合（図面の明瞭性のため、電極間ギャップは無視される）、領域１のバリア幅は３．０ユニット幅（ＢＲＷ＝３．０）であり、領域２のバリア幅は３．０ユニット幅（ＢＲＷ＝３．０）であり、部分的にサブ領域１に、部分的に領域２に位置するバリアのバリア幅は３．０ユニット幅（ＢＲＷ＝３．０）である。領域１のスリットは３．０ユニット幅（ＳＬＷ＝３．０）であり、領域２のスリットは３．０ユニット幅（ＳＬＷ＝３．０）であり、部分的にサブ領域１に、部分的に領域１に位置するスリットは３．０ユニット幅（ＳＬＷ＝３．０）である。
【０１２３】
図２４を参照して、領域１のスリット位置番号がｉであり、領域２のスリット位置番号がｉである一般的な状況を検討する。ここで、ｉは、１から１２の間の整数であり、１と１２を含む。図２４を参照して、領域１のスリット位置番号がｉであり、領域２のスリット位置番号がｉである場合（ｉは、１から１２の間の整数であり、１と１２を含む場合のすべてのケースに対するサブ領域１の電極状態を示す。“１”と示される電極状態は、電極がオンとなり、バリア（ＢＲ）が形成される状態を示す。“０”と示される電極状態は、電極がオフとなり、スリット（ＳＬ）が形成される状態を示す。
【０１２４】
図２５を参照して、領域１がスリット番号４を有し、領域２がスリット番号５を有する特定の状態を検討する。図２５は図２３に類似する。しかしながら、領域２のスリット番号は異なる。図９を参照して、電極Ｅ７、Ｅ１２、及びＥ１１はオンとなり、領域２にバリアが形成される（スリット番号５）。サブ領域１では電極Ｅ１２、及びＥ１１がオンとなり、バリアが形成される（つまり、ＳＲ１Ｅ１２及びＳＲ１Ｅ１１がオンとなる）。それぞれの電極の幅が１．０ユニット幅と考えられる場合（図面の明瞭性のため、電極間ギャップは無視される）、領域１のバリア幅は３．０ユニット幅（ＢＲＷ＝３．０）であり、領域２のバリア幅は３．０ユニット幅（ＢＲＷ＝３．０）であり、サブ領域１のバリア幅は２．０ユニット幅（ＢＲＷ＝２．０）である。領域１のスリットは３．０ユニット幅（ＳＬＷ＝３．０）であり、領域２のスリットは３．０ユニット幅（ＳＬＷ＝３．０）であり、部分的にサブ領域１に位置するスリットは３．５ユニット幅（ＳＬＷ＝３．５）である。サブ領域１におけるバリア幅（ＢＲＷ）と部分的にサブ領域１に位置するスリットのスリット幅（ＳＬＷ）の合計は５．５ユニット幅である（すなわち、２．０＋３．５）。領域１に双方が完全に位置するバリアのバリア幅とスリットのスリット幅の合計は６ユニット幅である（すなわち、３．０＋３．０）。領域２に双方が完全に位置するバリアのバリア幅とスリットのスリット幅の合計は６ユニット幅である（すなわち、３．０＋３．０）。図２５は、領域１がスリット番号ｉを有し、領域２がスリット番号ｉ＋１を有している場合、領域２のスリットが領域１のスリットの方向に０．５ユニットと等しい分だけ移動する必要があることを示す。一般に、領域２のスリットを領域１のスリットに近づける第１の方法は、領域１と領域２の間のある場所において、バリア幅２．０ユニットに隣接するスリット幅３．５ユニットから構成されたバリアとスリットとの組み合わせを有することである。このスリットとバリアの組み合わせは少なくとも部分的にサブ領域１内に存在する。このスリットとバリアとの組み合わせにおけるバリア部分は、サブ領域１の内部か、部分的にサブ領域１の内部か、サブ領域１に近接する。このスリットとバリアとの組み合わせにおけるスリット部分は、サブ領域１の内部か、部分的にサブ領域１の内部か、サブ領域１に近接する。
【０１２５】
図２５は、“輝線”（bright line）を例示する。これは、領域２のスリットを領域１のスリットに近づけるために領域１と領域２の間にスリット幅３．５ユニットとバリア幅２．０ユニットが位置するためである。言い換えると、スリット（ＳＬＷ＝３．５）がバリア（ＢＲＷ＝２．０）よりも大きいことから、これは“輝線”である。
【０１２６】
図２６を参照して、領域１のスリット位置番号がｉであり、領域２のスリット位置番号がｉ＋１である一般的な状況を検討する。ここで、ｉは、１から１２の間の整数であり、１と１２との間を周期する（すなわち、ｉ＝１２の場合、ｉ＋１＝１である）。図２６は、サブ領域１の電極状態が“輝線”となるすべてのケースにおいて示す（すなわち、スリット幅３．５ユニットはバリア幅２．０ユニットに隣接し、このバリア及びスリットの組み合わせが領域１と領域２の間に位置する）。“１”と示される電極状態は、電極がオンとなり、バリア（ＢＲ）が形成される状態を示す。“０”と示される電極状態は、電極がオフとなり、スリット（ＳＬ）が形成される状態を示す。領域１がスリット位置番号１２、５、６、又は７を有する場合、２つの電極状態が使用されうる。“輝線エントリ”（bright line entry）の数は、参照目的のための数字である。
【０１２７】
図２７を参照して、領域１のスリット位置番号が４であり、領域２のスリット位置番号が５である特殊な状況を検討する。図２７は図２５に類似する。しかしながら、サブ領域１では電極Ｅ７もオンとなっている（つまり、電極ＳＲ１Ｅ７がオン）。それぞれの電極の幅が１．０ユニット幅と考えられる場合（図面の明瞭性のため、電極間ギャップは無視される）、領域１におけるバリア幅は３．０ユニット幅（ＢＲＷ＝３．０）であり、領域２のバリア幅は３．０ユニット幅（ＢＲＷ＝３．０）であり、サブ領域１におけるバリア幅は３．０ユニット幅（ＢＲＷ＝３．０）である。領域１のスリットは３．０ユニット幅（ＳＬＷ＝３．０）であり、領域２のスリットは３．０ユニット幅（ＳＬＷ＝３．０）であり、サブ領域１の部分的なスリットは２．５ユニット幅（ＳＬＷ＝２．５）である。サブ領域１において部分的に存在するバリア幅（ＢＲＷ）及びスリット幅（ＳＬＷ）の合計は５．５ユニットである（３．５＋２．０）。領域１に双方が完全に位置するバリア幅及びスリット幅の合計は６．０ユニットである（３．０＋３．０）。領域２に双方が完全に位置するバリア幅及びスリット幅の合計は６．０ユニットである（３．０＋３．０）。図２７は、領域１がスリット番号ｉを有し、領域２がスリット番号ｉ＋１を有している場合、領域２のスリットが領域１のスリットの方向に０．５ユニットと等しい分だけ移動する必要があることを示す。一般に、領域２のスリットを領域１のスリットに近づける第２の方法は、領域１と領域２の間のある場所において、スリット幅２．５ユニット及びバリア幅３．０ユニットを有することである。このスリットとバリアの組み合わせは少なくとも部分的にサブ領域１内に存在する。このスリットとバリアとの組み合わせにおけるバリア部分は、サブ領域１の内部か、部分的にサブ領域１の内部か、サブ領域１に近接する。このスリットとバリアとの組み合わせにおけるスリット部分は、サブ領域１の内部か、部分的にサブ領域１の内部か、サブ領域１に近接する。
【０１２８】
図２７は、“暗線”（dark line）を例示する。これは、領域２のスリットを領域１のスリットに近づけるために領域１と領域２の間にスリット幅２．５ユニットとバリア幅３．０ユニットが位置するためである。言い換えると、スリット（ＳＬＷ＝２．５）がバリア（ＢＲＷ＝３．０）よりも大きいことから、これは“暗線”である。
【０１２９】
図２８を参照して、領域１のスリット位置番号がｉであり、領域２のスリット位置番号がｉ＋１である一般的な状況を検討する。ここで、ｉは、周期的配置を考慮した１から１２の間の整数である（すなわち、ｉ＝１２の場合、ｉ＋１＝１である）。図２８は、サブ領域１の電極状態が“暗線”となるすべてのケースにおいて示す（すなわち、スリット幅２．５ユニットはバリア幅３．０ユニットに隣接し、このバリア及びスリットの組み合わせが領域１と領域２の間に位置する）。“１”と示される電極状態は、電極がオンとなり、バリア（ＢＲ）が形成される状態を示す。“０”と示される電極状態は、電極がオフとなり、スリット（ＳＬ）が形成される状態を示す。領域１がスリット位置番号５、６、又は７を有する場合、２つの電極状態が使用されうる。“暗線エントリ”（bright line entry）の数は、参照目的のための数字である。
【０１３０】
図２９を参照して、領域１のスリット位置番号が４であり、領域２のスリット位置番号が３である特殊な状況を検討する。領域２のスリット位置が異なることを除き、図２９は図２３と同じである。図９を参照して、電極Ｅ１０、Ｅ１２、及びＥ１１は、オンになり、領域２にバリアが形成される（スリット番号３）。電極Ｅ１２及び電極Ｅ１１は、オンとなり、領域１にバリアを形成する。それぞれの電極の幅が１．０ユニット幅と考えられる場合（図面の明瞭性のため、電極間ギャップは無視される）、領域１におけるバリア幅は３．０ユニット幅（ＢＲＷ＝３．０）であり、領域２のバリア幅は３．０ユニット幅（ＢＲＷ＝３．０）であり、サブ領域１における部分的なバリア幅は３．０ユニット幅（ＢＲＷ＝３．０）である。領域１のスリットは３．０ユニット幅（ＳＬＷ＝３．０）であり、領域２のスリットは３．０ユニット幅（ＳＬＷ＝３．０）であり、サブ領域１の部分的なスリットは３．５ユニット幅（ＳＬＷ＝３．５）である。領域１のスリットは３．０ユニット幅（ＳＬＷ＝３．０）であり、領域２のスリットは３．０ユニット幅（ＳＬＷ＝３．０）であり、サブ領域１の部分的なスリットは３．５ユニット幅（ＳＬＷ＝３．５）である。サブ領域１において部分的に存在するバリア幅（ＢＲＷ）及びスリット幅（ＳＬＷ）の合計は６．５ユニットである（３．０＋３．５）。領域１に双方が完全に位置するバリア幅及びスリット幅の合計は６．０ユニットである（３．０＋３．０）。領域２に双方が完全に位置するバリア幅及びスリット幅の合計は６．０ユニットである（３．０＋３．０）。図２９は、領域１がスリット番号ｉを有し、領域２がスリット番号ｉ−１を有している場合、領域２のスリットが領域１のスリットから０．５ユニットと等しい分だけ離れる必要があることを示す。一般に、領域２のスリットを領域１のスリットから遠ざける第１の方法は、領域１と領域２の間のある場所において、バリア幅３．０ユニットに隣接してスリット幅３．５ユニットを有することである。このスリットとバリアの組み合わせは少なくとも部分的にサブ領域１内に存在する。このスリットとバリアとの組み合わせにおけるバリア部分は、サブ領域１の内部か、部分的にサブ領域１の内部か、サブ領域１に近接する。このスリットとバリアとの組み合わせにおけるスリット部分は、サブ領域１の内部か、部分的にサブ領域１の内部か、サブ領域１に近接する。
【０１３１】
図２９は、“輝線”（bright line）を例示する。これは、領域２のスリットを領域１のスリットから遠ざけるために領域１と領域２の間にスリット幅３．５ユニットとバリア幅３．０ユニットが位置するためである。言い換えると、スリットがバリアよりも大きいことから、これは“輝線”である。
【０１３２】
図３０を参照して、領域１のスリット位置番号がｉであり、領域２のスリット位置番号がｉ−１である一般的な状況を検討する。ここで、ｉは、周期的配置を考慮した１から１２の間の整数である（すなわち、ｉ＝１の場合、ｉ−１＝１２である）。図３０は、サブ領域１の電極状態が“輝線”となるすべてのケースを示す（すなわち、スリット幅３．５ユニットはバリア幅３．０ユニットに隣接し、このバリア及びスリットが領域１と領域２の間に位置する）。“１”と示される電極状態は、電極がオンとなり、バリア（ＢＲ）が形成される状態を示す。“０”と示される電極状態は、電極がオフとなり、スリット（ＳＬ）が形成される状態を示す。領域１がスリット位置番号７を有する場合、２つの電極状態が使用されうる。“輝線エントリ”（bright line entry）の数は、参照目的のための数字である。
【０１３３】
図３１を参照して、領域１のスリット位置番号が４であり、領域２のスリット位置番号が３である特殊な状況を検討する。図３１は図２３に類似する。しかしながら、領域２のスリット位置は異なる。図９を参照して、電極Ｅ１０、Ｅ１２、及びＥ１１は、オンになり、領域２にバリアが形成される（スリット番号３）。電極Ｅ１２、Ｅ１１、及びＥ７は、オンとなり、サブ領域１にバリアを形成する。それぞれの電極の幅が１．０ユニット幅と考えられる場合（図面の明瞭性のため、電極間ギャップは無視される）、領域１におけるバリア幅は３．０ユニット幅（ＢＲＷ＝３．０）であり、領域２のバリア幅は３．０ユニット幅（ＢＲＷ＝３．０）であり、サブ領域１における部分的なバリア幅は４．０ユニット幅（ＢＲＷ＝４．０）である。領域１のスリットは３．０ユニット幅（ＳＬＷ＝３．０）であり、領域２のスリットは３．０ユニット幅（ＳＬＷ＝３．０）であり、サブ領域１の部分的なスリットは２．５ユニット幅（ＳＬＷ＝２．５）である。サブ領域１において部分的に存在するバリア幅（ＢＲＷ）及びスリット幅（ＳＬＷ）の合計は６．５ユニットである（４．０＋２．５）。領域１に双方が完全に位置するバリア幅及びスリット幅の合計は６．０ユニットである（３．０＋３．０）。領域２に双方が完全に位置するバリア幅及びスリット幅の合計は６．０ユニットである（３．０＋３．０）。図３１は、領域１がスリット番号ｉを有し、領域２がスリット番号ｉ−１を有している場合、領域２のスリットが領域１のスリットから０．５ユニットと等しい分だけ離れる必要があることを示す。一般に、領域２のスリットを領域１のスリットから遠ざける第２の方法は、領域１と領域２の間のある場所、及びサブ領域１に近接して、バリア幅４．０ユニットに隣接してスリット幅２．５ユニットを有することである。図３１は、“暗線”（dark line）を例示する。これは、領域１と領域２の間にスリット幅２．５ユニットとバリア幅４．０ユニットが位置するためである。このスリットとバリアの組み合わせは少なくとも部分的にサブ領域１内に存在する。このスリットとバリアとの組み合わせにおけるバリア部分は、サブ領域１の内部か、部分的にサブ領域１の内部か、サブ領域１に近接する。このスリットとバリアとの組み合わせにおけるスリット部分は、サブ領域１の内部か、部分的にサブ領域１の内部か、サブ領域１に近接する。
【０１３４】
図３１は、“暗線”（dark line）を例示する。これは、領域２のスリットを領域１のスリットから遠ざけるために領域１と領域２の間にスリット幅２．５ユニットとバリア幅４．０ユニットが位置するためである。言い換えると、スリットがバリアよりも大きいことから、これは“暗線”である。
【０１３５】
図３２を参照して、領域１のスリット位置がｉであり、領域２のスリット位置がｉ−１である一般的な状況を検討する。ここで、ｉは、１から１２の間の整数であり、１と１２との間を周期する（すなわち、ｉ＝１２の場合、ｉ−１＝１である）。図３２は、サブ領域１の電極状態が“暗線”となるすべてのケースを示す（すなわち、スリット幅２．５ユニットはバリア幅４．０ユニットに隣接し、このバリア及びスリットが領域１と領域２の間に位置する）。“１”と示される電極状態は、電極がオンとなり、バリア（ＢＲ）が形成される状態を示す。“０”と示される電極状態は、電極がオフとなり、スリット（ＳＬ）が形成される状態を示す。領域１がスリット位置番号１、２、７、又は１２を有する場合、２つの電極状態が使用されうる。“暗線エントリ”（bright line entry）の数は、参照目的のための数字である。
【０１３６】
図２５及び図２６は、領域１のスリット位置がｉであり、領域２のスリット位置がｉ＋１である場合のサブ領域１における電極をアドレス駆動するための第１の方法を示す。ここで、ｉは、１から１２の間の整数であり、１と１２との間を周期する。この第１の方法は、“輝線”と称されている。第１の方法を使用することで、領域１と領域２の間に可視線アーチファクトが生じうる。第１の方法を使用することで、領域１と領域２の間に可視輝線アーチファクトが生じうる。図２７及び図２８は、領域１のスリット位置がｉであり、領域２のスリット位置がｉ＋１である場合のサブ領域１における電極をアドレス駆動するための第２の方法を示す。ここで、ｉは、１から１２の間の整数であり、１と１２との間を周期する。この第２の方法は、“暗線”と称されている。第２の方法を使用することで、領域１と領域２の間に可視線アーチファクトが生じうる。第２の方法を使用することで、領域１と領域２の間に可視暗線アーチファクトが生じうる。図３３は、領域１のスリット位置がｉであり、領域２のスリット位置がｉ＋１である場合のサブ領域１における電極をアドレス駆動するための第３の方法を示す。この第３の方法は、第１の方法（輝線）及び第２の方法（暗線）の両方を使用する時分割方式である。第３の方法は、第１の期間（ＢＬＴ）ではサブ領域１において輝線電極アドレス駆動を使用し、第２の期間（ＤＬＴ）ではサブ領域１において暗線電極アドレス駆動を使用する。ＢＬＴとＤＬＴとの期間の割合は、領域１のスリット位置がｉであり、領域２のスリット位置がｉ＋１である場合に、領域１と領域２の間に生じる可視線アーチファクトを最小限にする、又は取り除くために選択される。ここで、ｉは、１から１２の間の整数であり、１と１２との間を周期する。
【０１３７】
図２６は、輝線エントリ１（領域１はスリット位置１２を有し、領域２はスリット位置１を有する）が図２８の暗線エントリ１で時分割される様子を示す（図３３に従う）。図２８の暗線エントリ１は、輝線エントリ１又は輝線エントリ２により時分割される（図３３に従う）。図２６の輝線エントリ（輝線エントリ１〜１６）はそれぞれ、ラインアーチファクトを最小限にする、又は取り除くために、時分割方式（図３３に従う）で使用するための図２８に記載の対応する暗線エントリ（暗線エントリ１〜１６）を少なくとも一つ有する。図２８に記載の暗線エントリ（暗線エントリ１〜１６）はそれぞれ、ラインアーチファクトを最小限にする、又は取り除くために、時分割方式（図３３に従う）で使用するための図２６に記載の対応する輝線エントリ（輝線エントリ１〜１６）を少なくとも一つ有する。
【０１３８】
図２９及び図３０は、領域１のスリット位置がｉであり、領域２のスリット位置がｉ−１である場合のサブ領域１における電極をアドレス駆動するための第１の方法を示す。ここで、ｉは、１から１２の間の整数であり、１と１２との間を周期する。この第１の方法は、“輝線”と称されている。第１の方法を使用することで、領域１と領域２の間に可視線アーチファクトが生じうる。第１の方法を使用することで、領域１と領域２の間に可視輝線アーチファクトが生じうる。図３１及び図３２は、領域１のスリット位置がｉであり、領域２のスリット位置がｉ−１である場合のサブ領域１における電極をアドレス駆動するための第２の方法を示す。ここで、ｉは、１から１２の間の整数であり、１と１２との間を周期する。この第２の方法は、“暗線”と称されている。第２の方法を使用することで、領域１と領域２の間に可視線アーチファクトが生じうる。第２の方法を使用することで、領域１と領域２の間に可視暗線アーチファクトが生じうる。図３３は、領域１のスリット位置がｉであり、領域２のスリット位置がｉ−１である場合のサブ領域１における電極をアドレス駆動するための第３の方法を示す。ここで、ｉは、１から１２の間の整数であり、１と１２との間を周期する。この第３の方法は、第１の方法（輝線）及び第２の方法（暗線）の両方を使用する時分割方式である。第３の方法は、第１の期間（ＢＬＴ）ではサブ領域１において輝線電極アドレス駆動を使用し、第２の期間（ＤＬＴ）ではサブ領域１において暗線電極アドレス駆動を使用する。ＢＬＴとＤＬＴとの期間の割合は、領域１のスリット位置がｉであり、領域２のスリット位置がｉ−１である場合に、領域１と領域２の間に生じる可視線アーチファクトを最小限にする、又は取り除くために選択される。ここで、ｉは、１から１２の間の整数であり、１と１２との間を周期する。
【０１３９】
図３０は、輝線エントリ１７（領域１はスリット位置１を有し、領域２はスリット位置１２を有する）が図３２の暗線エントリ１６又は図３２の暗線エントリ１７により時分割される（図３３に従う）様子を示す。図３２の暗線エントリ１８は、輝線エントリ１８により時分割される（図３３に従う）。図３０の輝線エントリ（輝線エントリ１７〜２９）はそれぞれ、ラインアーチファクトを最小限にする、又は取り除くために、時分割方式（図３３に従う）で使用するための図２８に記載の対応する暗線エントリ（暗線エントリ１６〜３１）を少なくとも一つ有する。図３２に記載の暗線エントリ（暗線エントリ１６〜３１）はそれぞれ、ラインアーチファクトを最小限にする、又は取り除くために、時分割方式（図３３に従う）で使用するための図３０に記載の対応する輝線エントリ（輝線エントリ１７〜２９）を少なくとも一つ有する。
【０１４０】
図３３を参照して、期間Ｔは輝線期間（ＢＬＴ）と暗線期間（ＤＬＴ）の合計値である。期間Ｔは、ラインアーチファクトを最小限にする、又は取り除くために選択される。期間Ｔが大きすぎると（Ｔ＞１００ｍｓ）、観察者は、サブ領域１のように点滅するラインアーチファクトを観察しうる。ラインアーチファクトを弱めるために期間は０．１ｍｓ〜５０ｍｓが好適であることが分かった。ラインアーチファクトを弱めるために期間は１ｍｓ〜１０ｍｓが好適であることが分かった。輝線期間（ＢＬＴ）と暗線期間（ＤＬＴ）の最適な比率は、視認距離の関数、及び／又は、サブ領域１の電極に印加される電圧の関数、であってよい。
【０１４１】
一般に、第１の期間（ＢＬＴ）ではサブ領域１において輝線電極アドレス駆動を使用し、第２の期間（ＤＬＴ）ではサブ領域１において暗線電極アドレス駆動を使用することで、サブ領域１において輝線電極のみ（つまり、ＤＬＴ＝０ｍｓ）のアドレス駆動が使用される場合よりもラインアーチファクトの視認性を大幅に軽減しうる。一般に、第１の期間（ＢＬＴ）ではサブ領域１において輝線電極アドレス駆動を使用し、第２の期間（ＤＬＴ）ではサブ領域１において暗線電極アドレス駆動を使用することで、サブ領域１において暗線電極のみ（つまり、ＢＬＴ＝０ｍｓ）のアドレス駆動が使用される場合よりもラインアーチファクトの視認性を大幅に軽減しうる。言い換えると、第１の期間（ＢＬＴ）ではサブ領域１において輝線電極アドレス駆動を使用し、第２の期間（ＤＬＴ）ではサブ領域１において暗線電極アドレス駆動を使用することで、サブ領域１において輝線電極のみ（つまり、ＤＬＴ＝０ｍｓ）又は暗線電極のみ（つまり、ＢＬＴ＝０ｍｓ）のアドレス駆動が使用される場合に領域１と領域２との間に視認されるあらゆる任意のラインアーチファクトを少なくとも部分的に弱めることができる。
【０１４２】
図２２に記載する電極構成による第１の利点は、サブ領域を使用することによって、例えば図１９の視認されるラインアーチファクトを回避できる点にある。図２２に記載する電極構成による第２の利点は、サブ領域を時分割方式（図３３に記載）と共に用いることにより、例えば図１７及び図１８の視認されるラインアーチファクトを回避できる点にある。
【０１４３】
図３４及び図３５は、裸眼立体表示装置１の機能構成を示すブロック図である。図３６は、裸眼立体表示装置１により実行されるプロセスのフローチャートである。裸眼立体表示装置１は、さらに、制御回路４０と、位置センサ４１とを備える。制御回路４０は、演算ユニット４２と、複数の領域を持つ液晶パララックスバリアパネル駆動ユニット４３と、画像表示パネル駆動部４４とを備える。図３５は、さらに、スリットパターンルックアップテーブル（ＬＵＴ）４５を含む。スリットパターンルックアップテーブルは、３Ｄ表示領域７０内の全ての頭部位置のスリットパターンを保存できる。スリットパターンルックアップテーブルは、各パララックスバリアスリット位置番号に対して、各領域におけるパララックスバリアスリット位置番号を得るうえで必要となる、複数の領域を持つ液晶パララックスバリアパネル２０、２００の独立してアドレス駆動可能な電極それぞれの電極状態を保存できる。画像表示パネル駆動部４４は、入力された映像信号に基づいて画像表示パネル１０を駆動し、画像表示パネル１０に画像を表示する。位置センサ４１は、観察者９０の位置情報を取得する（ステップＳ１）。位置センサ４１は、例えば、カメラ及び／又は赤外線センサである。あるいは、位置センサ４１は、例えば、一対のカメラ及び／一対の赤外線センサである。横方向（ｘ方向）に分離された一対のカメラ及び／又は一対の赤外線センサを用いる利点は、一対のセンサによって提供される情報間の差異によって、横方向（ｘ）及び縦方向（ｚ）の両方の頭部位置に係る情報を取得できる点にある。一対のセンサ間に横方向の分離が大きい場合の利点として、各センサから集められた情報によって、決定されるべき縦方向位置のより精度の高い計算が可能になる点が挙げられる。一対のセンサ間に横方向の分離が小さい場合の利点として、センサがより小さい画角を有せる点である。一対のセンサの間の距離が４ｃｍから２５ｃｍの範囲で離れている場合、一人用裸眼立体表示装置１に好適であることが見出された。位置センサ４１は、取得された位置情報を制御回路４０の演算ユニット４２に供給する。
【０１４４】
演算ユニット４２は、位置センサ４１から供給された観察者９０の位置情報を解析し、観察者９０の位置座標（ｘ、ｙ、ｚ）を算出する（ステップＳ２）。例えば、位置座標の算出は、画像処理方法により観察者９０の眼の位置を検出するために、視線追跡システム、顔追跡システム、又は頭部追跡システムによって実行されてもよい。位置座標の算出は、例えば、赤外線による観察者９０の頭部位置を検出する頭部追跡システムによって行うことができる。
【０１４５】
演算ユニット４２は、観察者９０の位置情報を決定した後、複数の領域を持つ液晶パララックスバリアパネル２０、２００に必要なスリットパターンを決定する（ステップＳ３）。言い換えると、観察者９０の位置座標は、複数の領域を持つ液晶パララックスバリアパネル２０、２００の各領域及び各サブ領域のスリット位置番号（スリット位置）を決定するために使用される。スリットパターンは、所定の数式又はアルゴリズムを使用して、観察者９０（ｘ、ｙ、ｚ）の位置座標を計算する。あるいは、有効３Ｄ表示領域７１のためのスリットパターンすべてが、例えばスリットパターンルックアップテーブル（ＬＵＴ）４５のようなメモリに記憶されていてもよい。言い換えると、各領域及び各サブ領域に係る独立してアドレス駆動可能な電極それぞれの状態（オン又はオフ）がスリットパターンルックアップテーブル（ＬＵＴ）４５に記憶されていてもよい。スリットパターンＬＵＴ４５が使用される場合、演算ユニット４２は、スリット位置ＬＵＴ４５から観察者９０（ｘ、ｙ、ｚ）の所与の組の位置座標に対する指定スリットパターンを読み出す。スリットパターンＬＵＴ４５が使用される場合、演算ユニット４２はまた、それぞれのサブ領域における独立してアドレス駆動可能な電極それぞれの指定された電極状態を読み出す。ラインアーチファクトを弱めるために時分割方式が使用される場合、それぞれのサブ領域に対して、輝線アドレス駆動及び暗線アドレス駆動の電極状態がスリットパターンルックアップテーブル（ＬＵＴ）４５に記憶される。ラインアーチファクトを弱めるための期間Ｔ、輝線期間（ＢＬＴ）、及び暗線期間（ＤＬＴ）の最適パラメータがスリットパターンルックアップテーブル（ＬＵＴ）４５に記憶されていてもよい。輝線期間（ＢＬＴ）、及び暗線期間（ＤＬＴ）の最適比率が視認距離に依存する場合、輝線期間（ＢＬＴ）、及び暗線期間（ＤＬＴ）の比率は、視認距離の関数としてスリットパターンルックアップテーブル（ＬＵＴ）４５に記憶されていてもよい。
【０１４６】
演算ユニット４２は、切り替え可能な複数の領域を持つ液晶パララックスバリアパネル駆動部４３に、観察者９０（ｘ、ｙ、ｚ）の位置座標に関連するスリットパターンを供給してもよい。所与のスリットパターンと複数の領域を持つ液晶パララックスバリアパネル２０、２００に係る個々にアドレス駆動可能な電極それぞれにアドレスされる電圧との関係がスリットパターンＬＵＴに記憶されてもよい。演算ユニット４２は、切り替え可能な複数の領域を持つ液晶パララックスバリアパネル駆動部４３に、複数の領域を持つ液晶パララックスバリアパネル２０、２００に係る個々にアドレス駆動可能な電極それぞれに対してアドレスされるべき電圧に関する情報を供給してもよい。一般に、切り替え可能な複数の領域を持つ液晶パララックスバリアパネル駆動部４３は、演算ユニット４２から供給される情報に基づいて、所望の頭部位置に対して高品質３Ｄ画像を表示可能とするために、切り替え可能液晶パララックスバリアパネル２０を駆動する（ステップＳ４）。
【０１４７】
図３８の代替として、二層電極のさらなる例が図３９に開示される。図３９を参照して、電極部分（Ｅ１〜Ｅ１２）でそれぞれ形成されたすべての独立してアドレス駆動可能な電極は、周期的な配置で二層電極構造により第２基板２２上のみに配置され、共通電極ＥＣＯＭは第１基板２１に配置される。第１基板２１は、裸眼立体表示装置１の表示側９０に配置されてもよい。あるいは、第２基板２２が、裸眼立体表示装置１の表示側９０に配置されてもよい。独立してアドレス駆動可能な電極（Ｅ１〜Ｅ１２）及び共通電極ＥＣＯＭに電圧を印加することによって、切り替え可能液晶パララックスバリアパネル２０にパララックスバリアを形成することができる。図３９の実施形態では、電極Ｅ１〜Ｅ１２の少なくとも幾つかは、第１サブセット電極を形成するために、複数の領域を持つ液晶パララックスバリア２０、２００の第２基板上の第１層（下位層）に配置される。絶縁層２５は、第１サブセット電極上に配置される。電極Ｅ１〜Ｅ１２の少なくとも一部、好ましくは残りの部分すべての電極は、第２サブセット電極を形成するために、絶縁層２５上の第２層（上位層）に配置される。第２サブセット電極に含まれる電極は、第１サブセット電極に含まれる電極に対してｘ方向にずれている。第１サブセット電極に含まれる電極は、第２サブセット電極に含まれる電極のいずれにも電気的に接続されていない。
【０１４８】
第２サブセット電極（Ｅ２、Ｅ４...）の基板２２上の高さと第１サブセット電極（Ｅ１、Ｅ３...）の基板２２上の高さとの差は、第１サブセット電極と第２サブセット電極との間に絶縁層２５を設ける必要性による。一方で、図３７のような単層電極構造において不可欠に存在するギャップＧを排除するように、第２サブセット電極（Ｅ２、Ｅ４...）の幅を、下位層の隣接電極（Ｅ１、Ｅ３...）との間のギャップと等しくする。２つのサブセット電極間に有効な絶縁層を設けることを条件として、一般に、この高さの差を最小にすることが望ましい。
【０１４９】
絶縁層２５は、基板及び第１サブセット電極（下部電極）を順応的に被覆することができる。理解の容易のために、図３８〜４４にはコンフォーマルコーティング（絶縁保護コーティング）を記載していない。
【０１５０】
図３９を参照して、偶数番号の電極（Ｅ２、Ｅ４、Ｅ６等）は、二層電極構造の上部電極（第２サブセット）に指定される。上位層に係る電極は幅ＷＵを有する。上位層上の隣接電極間のギャップはＧＵである。図３９を参照して、奇数番目の電極（Ｅ１、Ｅ３、Ｅ５等）は、二層電極構造の下部電極（第１サブセット）に指定される。下位層の電極は幅ＷＬを有する。下位層上の隣接電極間のギャップはＧＬである。上位層の電極は、下位層の電極と同じ幅（すなわちＷＵ＝ＷＬ）を有してもよい。あるいは、上位層の電極は下位層の電極に対して異なる幅を有してもよい（すなわち、ＷＵ≠ＷＬ）。上位層の電極間のギャップは、下位層の電極間のギャップと同じ幅を有していてもよい（すなわち、ＧＵ＝ＧＬ）。あるいは、上位層の電極間のギャップは下位層の電極間のギャップに対して異なる幅を有していてもよい（ＧＵ≠ＧＬ）。上位層の隣接電極間のギャップは、下位層の隣接電極間と同じ幅を有してもよい（すなわち、ＧＵ＝ＷＬ）。あるいは、上位層の隣接電極間のギャップは、下位層の隣接電極間と異なる幅を有していてもよい（すなわち、ＧＵ≠ＷＬ）。破線５０を参照して、上位層（この例ではＥ６）上の電極の右端は、好ましくは下位層（この例ではＥ７）上の電極の左端と整列している。破線５１を参照して、上位層（この例ではＥ８）上の電極の左端は、好ましくは、下位層の電極の右端（この例ではＥ７）と整列している。破線５０及び破線５１は、上位層の電極と下層の電極との間にｘ方向にギャップが存在しないことを示す。上位層の電極と下位層の電極との間のｘ方向のギャップは、光学的クロストークを増加させる可能性があり、したがって、３Ｄ性能にとって有害でありうる。ＧＵ、ＧＬ、ＷＵ、及びＷＬは、領域及び／又はパネルのｘ方向の距離の関数として変化する可能性があり、そうであれば、ＷＵ＝ＷＬのような電極パラメータ間の任意の関係は局所的に適用される。
【０１５１】
上位層及び下位層の電極は、製造公差を考慮してｘ方向に重なるように構成することができ、これにより低い光学的クロストークが担保される。言い換えると、上位層の電極と下位層の電極との間に少なくともｘ方向にギャップがないことが望ましい。製造公差内において、下位層の各電極の中心（ｘ方向）は上位層に係る特定のギャップの中心と整列するのが好ましく、例えば、図３９の点線５２によって示される。上位層の各電極の中心（ｘ方向）は、下位層に関連する特定のギャップの中心と整列することが好ましく、例えば、図３９の破線５３によって示される。
【０１５２】
図４０を参照して、独立してアドレス駆動可能な電極（Ｅ１〜Ｅ１２及びＥＣＯＭ）に電圧を印加することによって、切り替え可能液晶パララックスバリアパネル２０にパララックスバリアを形成することができる。図４０は、第１電圧が電極Ｅ２、Ｅ３、Ｅ４、Ｅ５、Ｅ６及びＥ７に印加され、第２電圧が残りの電極Ｅ１、Ｅ８、Ｅ９、Ｅ１０、Ｅ１１、Ｅ１２及びＥＣＯＭに印加される様子を示す。第１電圧と第２電圧との電圧差は、液晶を偏光板１４（図示せず）及び偏光板２４を組み合わせてバリアＢＲ（非透過領域）を形成する状態にするのに十分である。これに対し、正味０の電圧を印加すると、液晶は偏光板１４（図示せず）及び偏光板２４を組み合わせてスリットＳＬ（透過領域）を形成する状態になる。図４０は、バリア位置が電極Ｅ２、Ｅ３、Ｅ４、Ｅ５、Ｅ６、Ｅ７、及びＥＣＯＭによって制御されることを示す。図４０は、バリアＢＲの幅がスリットＳＬの幅にほぼ等しいことを示す（図４０では１つのバリアＢＲだけが示されているが、次のバリア領域の左端は図４０に示されている右端の電極の右端と一致する（「Ｅ１」とラベルされた第２電極）。図４０に示すように、バリアＢＲは頭の動きに対応するためにｘ方向に移動（すなわち、左または右に移動）する。それゆえ、高品質３Ｄが表示され、上位層の３つの電極及び下位層の３つの電極は、常にバリアＢＲの位置を制御するために使用される。こうして、パララックスバリアを可能な限り最も少ない距離だけ右側に移動させるために（すなわち、一つの電極位置分）、電極Ｅ３、Ｅ４、Ｅ５、Ｅ６、Ｅ７、及びＥ８に第１電圧が印加され、残りの電極Ｅ１、Ｅ２、Ｅ９、Ｅ１０、Ｅ１１、Ｅ１２、及びＥＣＯＭに第２電圧が印加される。
【０１５３】
図４０において、バリア領域ＢＲ及びスリットＳＬは、電極Ｅ１からＥ１２の電極６つ分の幅と同じ幅を有し、バリア：スリット比が１：１であるパララックスバリアが提供される。バリア領域の幅は、（ＷＬ＋ＷＵ）の倍数、この例ではスリットの幅と同様に３ＷＵ＋３ＷＬで与えられる。この場合、バリア領域の幅及びスリットの幅は、パララックスバリアが１つ以上の電極位置分だけ左右に移動したときにも一定のままである。
【０１５４】
本発明はまた、バリア領域ＢＲがスリットと同じ幅を有さないパララックスバリアを提供し、その例が図４１及び図４２に示される。しかしながら、この実施形態では、パララックスバリアが１つ以上の電極位置分だけ左右に移動したときにバリア領域及びスリットの幅が同じであり続けるよう注意深い電極設計が求められる。
【０１５５】
図４１は、第１バリア位置を示す。図４１は、電極Ｅ３、Ｅ４、Ｅ５、Ｅ６、Ｅ７に第１電圧が印加され、残りの電極Ｅ１、Ｅ２、Ｅ８、Ｅ９、Ｅ１０、Ｅ１１、Ｅ１２、ＥＣＯＭに第２電圧が印加される様子を示す。したがって、バリアＢＲの幅は、上位層上の２つの電極（Ｅ４及びＥ６）及び下位層上の３つの電極（Ｅ３、Ｅ５及びＥ７）、ならびに電極ＥＣＯＭによって制御される。図４２は、図４１に示す第１バリア位置に隣接する第２バリア位置を示す。図４２を参照して、バリアＢＲが最小位置増加分だけ（すなわち、一つの電極位置分）ｘ方向に進む場合、上位層上の３つの電極（Ｅ４、Ｅ６及びＥ８）及び下位層上の２つの電極（Ｅ５及びＥ７）によってバリア幅が決定される。ＧＵ＝ＧＬ及びＷＵ＝ＷＬの場合、図４１に示すバリアＢＲの幅（ｘ方向）は、図４２に示すバリア幅（ｘ方向）と異なりうる。これは、フリンジフィールド効果によって上位層の電極（Ｅ４、Ｅ６）により印加される電界が膨張（bulge out）し、その結果、上位層の電極にスイッチされた液晶領域の幅が電極の幅よりも大きくなりやすくなるためである。しかしながら、下位層の電極からのフリンジ電場は上位層の電極に遮蔽される。例えば、下位層の電極Ｅ３のフリンジ電場は上位層の電極Ｅ２及びＥ４に遮蔽される。その結果、下位層の電極にスイッチされた液晶領域の幅は、上位層の電極にスイッチされた液晶領域の幅よりも小さくなりやすくなる。これにより、ＷＵ＝ＷＬであっても、上位層の電極にスイッチされる液晶領域の幅は、下位層の電極にスイッチされる液晶領域の幅よりも大きくなりやすくなる。その結果、上位層の３つの電極と下位層の２つの電極とによって規定されるバリア領域は、下位層の３つの電極と上位層の２つの電極とによって規定されるバリア領域と異なる幅を有し、パララックスバリアが図４１から図４２までの１つの電極位置だけ右に移動するにつれてバリア幅（及び、バリアスリット比）が変化する。図４１と図４２とのバリア幅の差は、比較的小さいため、図示されていない。しかしながら、図４１と図４２とのバリア幅のいかなる差であっても３Ｄ画像品質に大きな影響を及ぼしうる。光学的シミュレーション及び実験により、図４１のバリア幅は、図４２に示されるバリア幅よりも小さくなることが確認された。
【０１５６】
上述したように、図４１のバリア幅と図４２のバリア幅とは実質的に同じ（すなわち、幅が５μｍ未満である）ことが有利でありうる。ＬＣ光学シミュレーション及び実験的証拠から、図４１及び図４２に示されるバリア幅は、上位層に係る全ての電極が第１電極幅を有し、下位層に係る全ての電極が第２電極幅を有することによって互いに実質的に同じになる。ここで、第１電極幅と第２電極幅とは相違する（すなわち、ＷＵ≠ＷＬ）。より好ましくは、上位層に係る電極の幅は下位層に係る電極の幅よりも小さく（すなわち、ＷＵ＜ＷＬ）、上位層のギャップ幅は上位層の電極幅よりも大きい（すなわち、ＧＵ＞ＷＵ）。要約すると、ＷＵ＜ＷＬ及びＧＵ＞ＷＵである。
【０１５７】
図４３は、ＷＵ＜ＷＬであり、下位層の電極と上位層の電極との間にｘ方向に重なりがない状況を示す。図４４は、ＷＵ＜ＷＬであり、下位層の電極が上位層の電極とｘ方向に重なっている様子を示す（図４４の電極の重なりは製造公差を許容するためであることを理解されたい。原理的には、電極の重なりは必要ない。すべての電極について電極の左端Ｅｉが電極Ｅ（ｉ−１）の右端と正確に一致するように図４３に示す電極配置を製造することができれば、図４３の実施形態は図４４の実施形態と同じ結果をもたらす。）。図４３及び図４４を参照して、第１基板２１が裸眼立体表示装置１の表示側９０に配置されてもよいし、第２基板２２が裸眼立体表示装置１の表示側９０に配置されてもよい。
【０１５８】
オーバーラップは距離５４によって示されている。図４３及び図４４は、製造公差内で、下位層の各電極の中心（好ましくはｘ方向）が、好ましくは上位層に関する特定ギャップの中心に整列している様子を示す。例えば、破線５２により示される。また、図４３及び図４４は、製造公差内で、上位層の各電極の中心（ｘ方向）が、好ましくは下位層に関する特定ギャップの中心に整列している様子を示す。例えば、破線５３により示される。電極寸法を適切に選択することによって、上下層の電極に対する異なるフリンジフィールド効果を効果的に排除することが可能となる。その結果、バリア上位層の３つの電極と下位層の２つの電極とによって規定される領域は、上位層の２つの電極と３つの電極によって規定されるバリア領域と同じ幅を有する。
【０１５９】
上述したように、図４３及び２９の実施形態では、ＷＵ＜ＷＬ及びＧＵ＞ＷＵであり、図４４の実施形態では、ＷＬ＞ＧＵである。ＧＵ、ＧＬ、ＷＵ及びＷＬは、領域及び／又はパネルのｘ方向の距離の関数として変化する可能性があり、そうであれば、これらの不等式は局所的に満足される。
【０１６０】
ＬＣ光学シミュレーションは、図４１及び図４２に示す条件に対して同じバリア幅を得るためには、すべての上位層電極の第１電極幅とすべての下位層電極の第２電極幅との間の最適な差異が幾つかのパラメータの関数となるべきことを示唆する。当該幾つかのパラメータは、以下のパラメータを含む。
１）上部電極及び下部電極に印加される電圧
２）電極に対するＬＣ配向方向
３）ＬＣ材料特性（弾性定数等）
４）ＬＣ層の厚さ（ｚ方向）
５）絶縁層２５の特性（ｚ方向の厚さ、誘電率など）
【０１６１】
６）電極の厚さ（ｚ方向）
下部電極の最適幅は上部電極の幅の関数であってもよく、その逆であってもよい。
【０１６２】
一例として、そして図４１、図４２及び図４３を参照して、シミュレーションは、隣接するパララックスバリア位置に対して同じバリア幅を得るために、上部電極幅ＷＵが３〜９μｍ（１つの好ましい実施形態ではＷＵ〜６.５μｍ)、下部電極幅ＷＬが６μｍ〜１８μｍ（好ましい実施形態ではＷＬ〜１０.５μｍ）、バリア電極への印加電圧＝５Ｖ、上部電極に隣接するＬＣはｘ方向に整列し、ＬＣ層の厚さ＝４.６μｍ、ＳｉＮｘ誘電体スペーサ層２５の厚さは２００ｎｍ、ＩＴＯ電極の厚さ＝５０ｎｍ、であるべきことを示唆する。この特定のシミュレーションでは、ＷＵ＜ＷＬ、ＧＵ＞ＷＵ及びＧＵ＝ＷＬ及びＷＵ−ＷＬ＝４.０μｍである。下部電極の最適幅は上部電極の幅の関数でもよいし、その逆でもよい。上記数値範囲は、上部電極及び下部電極の異なる幅に対して、より大きくてもよいし、より小さくてもよい。
【０１６３】
さらなる例として、そして図４１、図４２及び図４３を参照して、シミュレーションは、隣接するパララックスバリア位置が同じバリア幅を有するために、上部電極幅ＷＵが３〜９μｍ（１つの好ましい実施形態では、ＷＵ〜５.５μｍ）、下部電極幅ＷＬが６μｍ〜１８μｍ（好ましい実施形態ではＷＵ〜１１.５μｍ）、バリア電極への印加電圧＝５Ｖ、上部電極に隣接するＬＣがｙ方向に整列し、ＬＣ層の厚さ＝４.６μｍ、ＳｉＮｘ誘電体スペーサ層２５の厚さ２００ｎｍ、ＩＴＯ電極の厚さ＝５０ｎｍ、であるべきことを示唆する。この特定のシミュレーションでは、ＷＵ＜ＷＬ、ＧＵ＞ＷＵ及びＧＵ＝ＷＬ及びＷＵ−ＷＬ＝６.０μｍである。下部電極の最適幅は上部電極の幅の関数でもよいし、その逆でもよい。上記数値範囲は、上部電極及び下部電極の異なる幅に対して、より大きくてもよいし、より小さくてもよい。
【０１６４】
図４１、図４２及び図４３を参照して、実験結果は、上部電極幅と下部電極幅との差が０.２５μｍ〜５μｍ（すなわちＷＵ＜ＷＬ）の範囲内であり、１つの好ましい実施形態では０.５μｍ〜２μｍの範囲であるべきことを示唆する。上述したように、シミュレーション結果は、上部電極幅と下部電極幅との差が２μｍ〜１１μｍ（すなわち、ＷＵ＜ＷＬ）の範囲内であり、好ましい一実施形態では４μｍ〜６μｍの範囲内にあるべきことを示唆する。実験結果はシミュレーション結果と僅かに異なる。しかしながら、図４１、図４２、図４３及び図４４を参照して電極設計を最適化したときに、ＷＵ＜ＷＬ及びＧＵ＞ＷＵという一般原理は、シミュレーション及び実験の両方に妥当することが判明した。
【０１６５】
図３８−図４４に示すすべての実施形態を参照して、パターニングされた電極（Ｅ１、Ｅ２、Ｅ３...Ｅ１２）は第２基板上に配置され、共通電極（ＥＣＯＭ）は第１基板上に配置される。代替的に、パターニングされた電極が第１基板上に配置され、共通電極が第２基板上に配置されてもよいことが理解される。
【０１６６】
図３７〜図４４は、パネルの第１領域における電極配置のみを示しており、パネルの第２領域における電極配置、又は、パネルの第１領域とパネルの第２領域との間の補償領域の電極を示していない。共通電極（ＥＣＯＭ）は、単一基板上に配置され、パネルの第１領域、パネルの第１領域とパネルの第２領域との間の補償領域、及びパネルの第２領域の間で連続的（すなわち、パターン化されていない）であることが好ましい。したがって、パネルの第１領域において、パターニングされた電極（Ｅ１、Ｅ２、Ｅ３...Ｅ１２）が第２基板上に配置され、共通電極（ＥＣＯＭ）が第１基板上に配置される場合、第２領域のパターニングされた電極、及び補償領域（パネルの第１領域とパネルの第２領域との間）の電極もまた第２基板上に配置されることが好ましい。逆に、パネルの第１領域において、パターニングされた電極（Ｅ１、Ｅ２、Ｅ３...Ｅ１２）が第１基板上に配置され、共通電極（ＥＣＯＭ）が第２基板上に配置される場合、第２領域のパターニングされた電極、及び補償領域（パネルの第１領域とパネルの第２領域との間）の電極もまた第１基板上に配置されることが好ましい。換言すれば、第２領域のパターニングされた電極及び補償領域の電極は、第１領域のパターニングされた電極と同じ基板上に配置され、共通電極（ＥＣＯＭ）は、第１領域のパターニングされた電極と同じ基板上に配置されない。しかしながら、本発明は原則としてこれに限定されない。
【０１６７】
本発明は、切り替え可能複数の領域を持つ液晶パララックスバリアの例を参照して説明されている。原理的には、本発明は液晶パララックスバリアに限定されず、他の電気光学材料で実施することもできる。
【図１】
2018519553.tif 000003
【図２】
2018519553.tif 000004
【図３】
2018519553.tif 000005
【図４】
2018519553.tif 000006
【図５】
2018519553.tif 000007
【図６】
2018519553.tif 000008
【図７】
2018519553.tif 000009
【図８】
2018519553.tif 000010
【図９】
2018519553.tif 000011
【図１０】
2018519553.tif 000012
【図１１】
2018519553.tif 000013
【図１２】
2018519553.tif 000014
【図１３】
2018519553.tif 000015
【図１４】
2018519553.tif 000016
【図１５】
2018519553.tif 000017
【図１６】
2018519553.tif 000018
【図１７】
2018519553.tif 000019
【図１８】
2018519553.tif 000020
【図１９】
2018519553.tif 000021
【図２０】
2018519553.tif 000022
【図２１】
2018519553.tif 000023
【図２２】
2018519553.tif 000024
【図２３】
2018519553.tif 000025
【図２４】
2018519553.tif 000026
【図２５】
2018519553.tif 000027
【図２６】
2018519553.tif 000028
【図２７】
2018519553.tif 000029
【図２８】
2018519553.tif 000030
【図２９】
2018519553.tif 000031
【図３０】
2018519553.tif 000032
【図３１】
2018519553.tif 000033
【図３２】
2018519553.tif 000034
【図３３】
2018519553.tif 000035
【図３４】
2018519553.tif 000036
【図３５】
2018519553.tif 000037
【図３６】
2018519553.tif 000038
【図３７】
2018519553.tif 000039
【図３８】
2018519553.tif 000040
【図３９】
2018519553.tif 000041
【図４０】
2018519553.tif 000042
【図４１】
2018519553.tif 000043
【図４２】
2018519553.tif 000044
【図４３】
2018519553.tif 000045
【図４４】
2018519553.tif 000046
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
電気光学材料を備えた再構成可能なパララックスバリアパネルであって、
上記パララックスバリアパネルの第１領域は、上記電気光学材料をアドレス駆動するための複数の第１電極を備え、当該複数の第１電極は、互いに独立してアドレス駆動可能であり、第１方向に延び、かつ、第２方向に沿って互いに横方向に離間した、電気的に接続する２以上の電極部分を含み、上記複数の第１電極の上記電極部分は周期的に配設されており、
上記パララックスバリアパネルの第２領域は、上記電気光学材料をアドレス駆動するための複数の第２電極を備え、当該複数の第２電極は、互いに、かつ、上記複数の第１電極から独立してアドレス駆動可能であり、第１方向に延び、かつ、第２方向に沿って互いに横方向に離間した、電気的に接続する２以上の電極部分を含み、上記複数の第２電極の上記電極部分は周期的に配設されており、
上記パララックスバリアパネルの第１補償領域は、上記電気光学材料をアドレス駆動するための複数の電極を備え、上記第１補償領域の当該複数の電極は、第１方向に延びるとともに、互いに、並びに、上記複数の第１電極及び上記複数の第２電極から独立してアドレス駆動可能であり、第１補償領域は上記第１領域と上記第２領域の間に配され、
上記パララックスバリアパネルは、使用中、少なくとも１つの受信駆動信号に基づいて、上記複数の第１電極、上記複数の第２電極、及び上記第１補償領域の上記複数の電極が、以下となるようにアドレス駆動されることを特徴とするパララックスバリアパネル。
・上記複数の第１電極は、上記パララックスバリアパネルの上記第１領域において、複数の所定のパララックスバリアアレイから選択される第１パララックスバリアアレイを規定する。
・上記複数の第２電極は、上記パララックスバリアパネルの上記第２領域において、上記第１パララックスバリアアレイから独立して、上記複数の所定のパララックスバリアアレイから選択される第２パララックスバリアアレイを規定する。及び、
・上記第１補償領域の上記複数の電極は、上記第１パララックスバリアアレイ及び上記第２パララックスバリアアレイに応じて、上記第１領域と上記第２領域の間に、少なくとも一つのスリット及び／又は少なくとも一つのバリアを規定する。
【請求項２】
上記第１補償領域は、上記第１領域及び上記第２領域の少なくとも一方と隣り合うことを特徴とする請求項１に記載のパララックスバリアパネル。
【請求項３】
第１のモードにおいて、
上記複数の第１電極は、上記第１領域において上記複数の所定のパララックスバリアアレイのうちの一つである第１パララックスバリアアレイを規定するためにアドレス駆動され、
上記複数の第２電極は、上記第２領域において、上記複数の所定のパララックスバリアアレイのうちの一つである、上記第１パララックスバリアアレイとは異なる第２パララックスバリアアレイを規定するためにアドレス駆動され、
上記第１補償領域の上記複数の電極は、上記第１パララックスバリアアレイと上記第２パララックスバリアアレイとの間の移行部においてあらゆるラインアーチファクトを少なくとも部分的に弱めるために、上記少なくとも一つのスリット及び／又は上記少なくとも一つのバリアを規定することを特徴とする請求項１に記載のパララックスバリアパネル。
【請求項４】
上記複数の第１電極の電極部分はグループで周期的に配設されており、
上記複数の第１電極の電極部分の境界グループは、上記第１補償領域に最も近い上記複数の第１電極の電極部分のグループであり、上記複数の第１電極のｉ番目（ｉ≧１）の電極部分を失っており、
上記第１補償領域の少なくとも幾つかの電極は、上記複数の第１電極のアドレス駆動に基づいてアドレス駆動されることを特徴とする請求項１から３の何れか１項に記載のパララックスバリアパネル。
【請求項５】
上記複数の第２電極の電極部分はグループで周期的に配設されており、
上記複数の第２電極の電極部分の境界グループは、上記第１補償領域に最も近い上記複数の第２電極の電極部分のグループであり、上記複数の第２電極のｊ番目（ｊ≧１）の電極部分を失っており、
上記第１補償領域の少なくとも幾つかの電極は、上記複数の第２電極のアドレス駆動に基づいてアドレス駆動されることを特徴とする請求項１から４の何れか１項に記載のパララックスバリアパネル。
【請求項６】
ｉ＝ｊであることを特徴とする請求項５に記載のパララックスバリアパネル。
【請求項７】
上記第１補償領域は、ｉ＋ｊの第３電極を含むことを特徴とする請求項４から６の何れか１項に記載のパララックスバリアパネル。
【請求項８】
上記第１のモードにおいて、
上記第１領域において規定された上記第１パララックスバリアアレイは第１スリット位置番号を有し、
上記第２領域において規定された上記第２パララックスバリアアレイは、上記第１スリット位置番号とは異なる第２スリット位置番号を有し、
上記第１補償領域の上記複数の電極は、上記第１領域と上記第２領域との間のスリット位置番号の差を補償するために上記少なくとも一つのスリット及び／又は上記少なくとも一つのバリアを規定することを特徴とする請求項３、又は請求項３に従属するときの請求項４から７の何れか１項に記載のパララックスバリアパネル。
【請求項９】
上記第１のモードにおいて、
上記複数の第１電極は、上記第１領域において上記第１パララックスバリアアレイを規定するためにアドレス駆動され、
上記複数の第２電極は、上記第２領域において上記第２パララックスバリアアレイを規定するためにアドレス駆動され、
上記第１補償領域の上記複数の電極は、上記第１領域と上記第２領域との間に第３パララックスバリアが規定されるようにアドレス駆動され、
上記第３パララックスバリアは、バリアとスリットを有し、
上記バリアは上記スリットと隣り合い、
上記バリアと上記スリットは少なくとも部分的に上記第１補償領域に含まれており、
上記スリットの幅は、上記第２方向において、上記第１領域又は上記第２領域にすべてが含まれるスリットの幅よりも小さく、及び／又は、上記バリアの幅は、上記第２方向において、上記第１領域又は上記第２領域にすべてが含まれるバリアの幅よりも大きいことを特徴とする請求項８に記載のパララックスバリアパネル。
【請求項１０】
上記第１のモードにおいて、
上記複数の第１電極は、上記第１領域において上記第１パララックスバリアアレイを規定するようにアドレス駆動され、
上記複数の第２電極は、上記第２領域において上記第２パララックスバリアアレイを規定するようにアドレス駆動され、
上記第１補償領域の上記複数の電極は、上記第１領域と上記第２領域との間に第４パララックスバリアが規定されるようにアドレス駆動され、
上記第４パララックスバリアは、バリアとスリットを有し、
上記バリアは上記スリットと隣り合い、
上記バリアと上記スリットは少なくとも部分的に上記第１補償領域に含まれており、
上記スリットの幅は、上記第２方向において、上記第１領域又は上記第２領域にすべてが含まれるスリットの幅よりも大きく、及び／又は、上記バリアの幅は、上記第２方向において、上記第１領域又は上記第２領域にすべてが含まれるバリアの幅よりも小さいことを特徴とする請求項９に記載のパララックスバリアパネル。
【請求項１１】
上記第３パララックスバリア及び上記第４パララックスバリアの何れか一方は、そのバリア：スリット比が、上記複数の所定のパララックスバリアアレイのバリア：スリット比よりも大きく、
上記第３パララックスバリア及び上記第４パララックスバリアの他方は、そのバリア：スリット比が、上記複数の所定のパララックスバリアアレイのバリア：スリット比よりも小さいことを特徴とする請求項１０に記載のパララックスバリアパネル。
【請求項１２】
第１の期間において上記第３パララックスバリアを規定し、第２の期間において上記第４パララックスバリアを規定するように適応されていることを特徴とする請求項１０又は１１に記載のパララックスバリアパネル。
【請求項１３】
上記第３パララックスバリア及び上記第４パララックスバリアを時間ごとに規定し、
上記第３パララックスバリアが規定される期間と上記第４パララックスバリアが規定される期間との比率が、上記第１パララックスバリアアレイと上記第２パララックスバリアアレイとの間の移行部におけるラインアーチファクトの視認性を軽減するように選択されることを特徴とする請求項１０から１２の何れか１項に記載のパララックスバリアパネル。
【請求項１４】
第２のモードにおいて、
上記複数の第１電極、上記複数の第２電極及び上記第１補償領域の上記複数の電極は、少なくとも１つの第２受信駆動信号に基づいて、以下の規定が行われるようにアドレス駆動されることを特徴とする請求項１から１３の何れか１項に記載のパララックスバリアパネル。
・上記複数の第１電極及び上記複数の第２電極が、上記第１領域及び上記第２領域において、上記複数の所定のパララックスバリアアレイから選択された同じパララックスバリアアレイを規定する。及び、
上記第１補償領域の上記複数の電極は、上記第１補償領域において、上記第１パララックスバリアアレイ及び上記第２パララックスバリアアレイに連続するパララックスバリアを規定する。
【請求項１５】
第３のモードにおいて、上記複数の第１電極、上記複数の第２電極、及び上記第１補償領域の上記複数の電極は、上記パララックスバリアパネルが結像機能を提供しないように、受信した少なくとも１つの第３駆動信号に基づいてアドレス駆動されることを特徴とする請求項１から１４の何れか１項に記載のパララックスバリアパネル。
【請求項１６】
さらに、第１基板と、第２基板と、を備え、
上記電気光学材料は、上記第１基板と上記第２基板との間に配設され、
上記複数の第１電極の少なくとも幾つかは、上記第１基板上に配設され、
上記複数の第１電極の少なくともその他は、上記第２基板上に配設されていることを特徴とする請求項１から１５の何れか１項に記載のパララックスバリアパネル。
【請求項１７】
上記第１基板上に配設された上記複数の第１電極の上記少なくとも幾つかは、上記第２基板上に配設された上記複数の第１電極の上記少なくともその他に対して、上記第２方向にオフセットされていることを特徴とする請求項１６に記載のパララックスバリアパネル。
【請求項１８】
上記第１基板上に配設された上記複数の第１電極の上記少なくとも幾つかは、上記第２基板上に配設された上記複数の第１電極の上記少なくともその他に対して、上記電極ピッチの略半分の距離だけ上記第２方向にオフセットされていることを特徴とする請求項１６又は１７に記載のパララックスバリアパネル。
【請求項１９】
さらに、第１基板と、第２基板と、を備え、
上記電気光学材料は、上記第１基板と上記第２基板との間に配設され、
上記複数の第１電極はそれぞれ、上記第１基板又は上記第２基板の何れか一方に配設されていることを特徴とする請求項１から１５の何れか１項に記載のパララックスバリアパネル。
【請求項２０】
第１電極部分はそれぞれ、第１部分及び第２部分を備え、
上記第１部分及び上記第２部分は、上記パララックスバリアパネルの厚み方向に互いにオフセットされ、かつ、上記電極ギャップに略等しい距離だけ上記第２方向に互いにオフセットされていることを特徴とする請求項１から１９の何れか１項に記載のパララックスバリアパネル。
【請求項２１】
上記第１基板及び上記第２基板の何れか一方の上方に上記複数の第１電極の第１サブセットが配設され、上記複数の第１電極の上記第１サブセットの上方に絶縁層が配設され、当該絶縁層の上方に上記複数の第１電極の第２サブセットが配設され、当該第２サブセットの第１電極は、上記第２方向において、上記第１サブセットの第１電極からオフセットされていることを特徴とする請求項１９に記載のパララックスバリアパネル。
【請求項２２】
上記第２サブセットの第１電極の幅は、上記第１サブセットの第１電極の幅よりも小さく、かつ、上記第２サブセットの第１電極の幅は、上記第２サブセットに係る隣接する２つの第１電極間のギャップよりも小さいことを特徴とする請求項２１に記載のパララックスバリアパネル。
【請求項２３】
上記複数の第１電極の上記第１サブセットの電極の幅は、当該複数の第１電極の上記第２サブセットの隣接する２つの電極間のギャップよりも大きいことを特徴とする請求項２２に記載のパララックスバリアパネル。
【請求項２４】
画像表示パネルと、
上記画像表示パネル内の光路中に配設される、請求項１〜２３の何れか１項に記載のパララックスバリアパネルと、
上記パララックスバリアパネルに少なくとも１つの駆動信号を供給する制御回路と、を備えることを特徴とする表示装置。
【請求項２５】
さらに、観察者の位置を判定するための１つ以上の位置センサを備えることを特徴とする請求項２４に記載の表示装置。
【請求項２６】
上記制御回路は、判定された上記観察者の位置に応じて、上記複数の第１電極及び上記複数の第２電極をアドレス駆動することを特徴とする請求項２５に記載の表示装置。
【請求項２７】
上記第１領域は１２個の第１電極を備え、
上記第２領域は１２個の第２電極を備え、
上記パララックスバリアパネルは、さらに、第３領域から第９領域の領域を含み、
上記第３領域から上記第９領域の領域は、上記電気光学材料をアドレス駆動するための１２個の第３電極から第９電極をそれぞれ備え、
第ｐ領域（１≦ｐ≦９）の複数の電極は、お互いに、かつ、第ｐ’領域（１≦ｐ’≦９、ｐ≠ｐ’）の複数の電極から独立してアドレス駆動可能であり、
上記第３電極から上記第９電極は、上記第１方向に沿って延び、かつ、上記第２方向に沿って互いに横方向に離間した、電気的に接続する２以上の電極部分を備え、
上記第ｐ領域（１≦ｐ≦９）の上記複数の電極の上記電極部分は周期的に配設されており、
上記パララックスバリアパネルの上記第１補償領域は、上記電気光学材料をアドレス駆動するための８個の独立してアドレス駆動可能な電極を有し、
上記パララックスバリアパネルは、さらに、第２補償領域から第８補償領域を有し、当該第２補償領域から当該第８補償領域はそれぞれ、上記電気光学材料をアドレス駆動するための８個の電極を有し、
第ｐ補償領域の複数の電極は、上記第１方向に沿って延び、かつ、上記第２方向に沿って互いに横方向に離間し、お互いに独立してアドレス駆動可能であり、他の補償領域の複数の電極から独立してアドレス駆動可能であり、上記第１電極から上記第９電極までの電極から独立してアドレス駆動可能であり、上記第ｐ補償領域は上記第ｐ領域と上記第（ｐ＋１）領域との間に配設されており、
上記駆動回路は、上記第ｐ領域及び上記第（ｐ＋１）領域に対するアドレス駆動に応じて、上記第ｐ補償領域の複数の電極をアドレス駆動することを特徴とする請求項２４から２６の何れか１項に記載の表示装置。
【手続補正２】
【補正対象書類名】明細書
【補正対象項目名】００５９
【補正方法】変更
【補正の内容】
【００５９】
図４及び図５の代わりに、液晶パララックスバリアパネル２０に二層電極が使用されてもよい。二層電極の一例を図８に示す。図８を参照して、第１基板２１及び第２基板２２は二層電極構造を有する。第１基板２１は、（１）第１基板２１上に周期的に配設された複数の電極部分（Ｅ７〜Ｅ１２）からそれぞれ形成された、独立してアドレス駆動可能な電極からなる第一層と、（２）独立してアドレス駆動可能な電極からなる第一層上に配設された絶縁層２５と、（３）絶縁層２５上に周期的に配設された複数の電極部分（Ｅ７〜Ｅ１２）からそれぞれ形成された、独立してアドレス駆動可能な電極からなる第二層と、を含む。すなわち、電極部はそれぞれ、パネルの厚さ方向に互いにずれ、かつ、横方向に互いにずれた２つの部分で形成されている。電極部の当該２つの部分は互いに電気的に接続されている。第一層に係る電極部Ｅｎは、第二層に係る電極部Ｅｎに電気的に接続されている。nは整数である。第１基板２１の第一層に係る、独立してアドレス駆動可能な電極Ｅ１１の一例が図８の参照符号２６により示されている。第１基板の第二層に係る、独立してアドレス駆動可能な電極Ｅ１１の一例が図８の参照符号２７により示されている。第１基板２１の第一電極層は、基板に対して垂直な方向から見たときに第二層電極部（例えば、第二層電極部Ｅ１１（２７））が、対応する第一層電極部及び隣接する第一層電極部との間のギャップ（例えば、第一層電極部Ｅ１１（２６）と隣接する第一層電極部Ｅ１０との間のギャップ）を埋めるように、又はほぼ埋めるように、電極間ギャップＧに等しいか、又は略等しい分だけ第１基板の第二電極層からオフセットされている（すなわち、６μｍ以内、好ましくは４μｍ以内）。これにより、隣接する電極部分によって規定されるダーク領域間のギャップをなくす、又はほとんどギャップをなくすことができる（例：電極部分Ｅ１１（２６、２７）によって規定されるダーク領域と電極部分Ｅ１０によって規定されるダーク領域との間にギャップがない、またはほとんどギャップがない。それゆえ、結果として生じるパララックスバリアの品質が改善する。同様に、第２基板の第一電極層は、電極間ギャップＧに等しいか、又は略等しい分だけ第２基板の第二電極層から離れている（すなわち、６μｍ以内、好ましくは４μｍ以内）。（独立してアドレス駆動可能な第一層と独立してアドレス駆動可能な第二層との間に位置する）絶縁層２５は、画像表示領域（すなわち、画像を表示する、裸眼立体表示装置１の領域）において、独立してアドレス駆動可能な第一層と独立してアドレス駆動可能な第二層との間の電気的接続を妨げる。絶縁層２５は、例えば、シリコン窒化物（ＳｉＮｘ）であってもよく、１５０ｎｍ〜３００ｎｍの範囲の厚さを有してもよい。
【手続補正３】
【補正対象書類名】明細書
【補正対象項目名】００６０
【補正方法】変更
【補正の内容】
【００６０】
図４及び図５の代わりに、図３８を参照して、独立してアドレス駆動可能な電極（Ｅ１〜Ｅ１２）すべてが第２基板２２上の二層電極構造にのみ周期的に配設され、共通電極ＥＣＯＭが第１基板２１に配設されてもよい。第１基板２１が裸眼立体表示装置１の視認側９０に配置されてもよいし、第２基板２２が裸眼立体表示装置１の視認側９０に配置されてもよい。図３８を参照して、第２基板２２は、（１）第１基板２２上に周期的に配設された複数の電極部分（Ｅ１〜Ｅ１２）からそれぞれ形成された、独立してアドレス駆動可能な電極からなる第一層と、（２）独立してアドレス駆動可能な電極からなる第一層上に配設された絶縁層２５と、（３）絶縁層２５上に周期的に配設された複数の電極部分（Ｅ１〜Ｅ１２）からそれぞれ形成された、独立してアドレス駆動可能な電極からなる第二層と、を含む。Ｅ１０、Ｅ１１、及びＥ１２は図３８に図示されていない。独立してアドレス駆動可能な電極（Ｅ１〜Ｅ１２）及び共通電極ＥＣＯＭに電圧を印加することによって、切り替え可能液晶パララックスバリアパネル２０内にパララックスバリアが形成される。上述したように、独立してアドレス駆動可能な１２個の電極が周期的に単一基板上に配設されている場合、電極Ｅ１は電極Ｅ２及びＥ１２に隣接する。図８を参照して説明された理由により、第１基板又は第２基板の第一電極層は、電極間ギャップＧに等しいか、又は略等しい分だけ第二電極層からオフセットされている（すなわち、６μｍ以内、好ましくは４μｍ以内）。
【手続補正４】
【補正対象書類名】明細書
【補正対象項目名】００６５
【補正方法】変更
【補正の内容】
【００６５】
二層電極構成（図８）の利点は、単一層電極構成（図４）よりも高品質３Ｄ（低光学３Ｄクロストーク）を実現しうる点にある。電極の二層電極構成により、独立してアドレス駆動可能な電極間のギャップＧを効率的に排除し、高品質３Ｄ（低光学３Ｄクロストーク）を実現することができる。このことを図６及び図７を参照して説明する。図６及び図７において、バリアＢＲは、スリットＳＬに達するまで連続的に現れる。しかしながら、図６及び図７は、バリアＢＲ上の有限ギャップＧの影響を正確に示していない。より正確に説明すると、図６及び図７には示されていないが、バリアＢＲは、隣接する独立してアドレス駆動可能な電極間のギャップＧにおいて発生する非常に小さなスリットＳＬ領域を有しうる。バリア領域ＢＲを穿孔するこれらの不要な非常に小さなスリットＳＬ領域（不図示）は、望まれない光学的３Ｄクロストークを引き起こす。図８の二重層電極構成が使用される場合、独立してアドレス駆動可能な第一層と独立してアドレス駆動可能な第二層との間のオフセットによって、バリア領域内のこれらの非常に小さい透過スリット領域は除去されうる。電極の二層電極構成の欠点は、単層電極構成よりも製造コストが高くなりうる点にある。
【手続補正５】
【補正対象書類名】明細書
【補正対象項目名】００９５
【補正方法】変更
【補正の内容】
【００９５】
図１３は、裸眼立体表示装置１からの距離が変化したときの、裸眼立体表示装置１の軸上の観察者に対する各領域（Ｒ１、Ｒ２等）のスリット位置番号を例示する（すなわち、観察者の頭部位置は、裸眼立体表示装置１の中央に位置し、横方向の位置が一定である。）。領域が図１３の行に従うスリット位置番号を有するパララックスバリアを含むようにディスプレイの領域を駆動すると、当該行に対応する表示装置からの距離に位置する観察者に対して高品質３Ｄを表示することができる。軸上の観察者は、位置ｘ＝０に位置すると考えることができ、中央表示部から左側は負のｘ位置であり、中央表示部から右側は正のｘ位置である。上述したように、従来の単一領域切替可能液晶パララックスバリアパネル２０のスリット位置番号は、横方向頭部位置の関数としてのみ変化する。対照的に、複数の領域を持つ液晶パララックスバリアパネル２００のスリット位置番号は、裸眼立体表示装置１のそのときの表示領域全体に亘って高品質３Ｄ画像を提供するために、横方向頭部位置及び／又は縦方向頭部位置の関数として変化する。図１３に示すように、スリット位置番号は、表示距離（すなわち、縦方向の頭部位置）が変化すると幾つかの領域に対して変化する。また、図示されるように、パララックスバリアパネルの各領域が同じスリット位置番号を有する１つの視認距離が存在する。このとき、当該視認距離に位置する観察者のためにアドレス駆動される（この例では視認距離７３０ｍｍ）。好ましくは、パララックスバリアパネルは、パララックスバリアパネルのすべての領域が設計視認距離において同じスリット位置番号を有するように構成される。この視認距離（Ｖｄ）は、方程式：φ＝２ＰＰ／Ｖｄ（Ｖｄ＋Ｓ／ｎ）を解くことによって選択される。この設計視認距離において、電極グループピッチφは、すべての領域に対して同じスリット位置番号が必要となるように選択される。第１近似では、左側への比較的僅かな横方向への頭部の動きに対して、図１３に示されるすべてのスリット位置番号は同じ量だけ減少する。第１近似では、右側への比較的僅かな横方向への頭部の動きに対して、図１３に示されるすべてのスリット位置番号は同じ量だけ増加する。図１３に示すように、軸上観察者の距離が設計視認距離から離れるにつれて、裸眼立体表示装置１の端部領域（すなわち、Ｒ１及びＲ９）のスリット位置番号が最初に変化する。さらに、上記軸上観察者が設計視認距離から離れるにつれて、裸眼立体表示装置１の端部領域のスリット位置番号の変化（Ｒ１及びＲ９）は中央領域（Ｒ５）に対して大きくなる。
【手続補正６】
【補正対象書類名】明細書
【補正対象項目名】０１２８
【補正方法】変更
【補正の内容】
【０１２８】
図２７は、“暗線”（dark line）を例示する。これは、領域２のスリットを領域１のスリットに近づけるために領域１と領域２の間にスリット幅２．５ユニットとバリア幅３．０ユニットが位置するためである。言い換えると、スリット（ＳＬＷ＝２．５）がバリア（ＢＲＷ＝３．０）よりも小さいことから、これは“暗線”である。
【手続補正７】
【補正対象書類名】明細書
【補正対象項目名】０１３４
【補正方法】変更
【補正の内容】
【０１３４】
図３１は、“暗線”（dark line）を例示する。これは、領域２のスリットを領域１のスリットから遠ざけるために領域１と領域２の間にスリット幅２．５ユニットとバリア幅４．０ユニットが位置するためである。言い換えると、スリットがバリアよりも小さいことから、これは“暗線”である。
【国際調査報告】
2018519553.tif 000047
2018519553.tif 000048